(57)【特許請求の範囲】
【請求項１】
遊技機に対応して設けられ、遊技媒体を計数する計数手段を備える遊技用装置と、
前記遊技用装置と通信可能であり、前記遊技媒体の計数に基づく所有価値を管理する管理装置と、を含む遊技用システムであって、
前記遊技用装置は、
計数された遊技媒体数の範囲内で遊技媒体を付与するための計数付与処理を実行する計数付与処理手段と、
当該遊技用装置に対応する一の付与レートの前記所有価値に基づいて遊技媒体を付与するための通常付与処理を実行する通常付与処理手段と、
当該遊技用装置に対応する前記一の付与レートを含む複数の付与レートの前記所有価値に基づいて遊技媒体を付与するための乗入れ付与処理を実行可能な乗入れ付与処理手段と、
操作を受け付ける操作受付手段と、をさらに備え、
前記遊技用システムは、
所定条件が成立したときに、前記遊技用装置において計数された遊技媒体数を当該遊技用装置に対応する付与レートの所有価値に移行する成立時処理を実行する成立時処理手段と、
前記遊技用装置において所定操作を受け付けたときに、当該遊技用装置において計数された遊技媒体数の少なくとも一部を当該遊技用装置に対応する付与レートの所有価値に移行する移行処理を実行可能な移行処理手段と、を備え、
前記乗入れ付与処理手段は、前記所有価値の不足により前記乗入れ付与処理を実行できない場合に、前記移行処理が実行されたことに基づいて前記乗入れ付与処理を実行することが可能であり、
前記移行処理手段は、計数された遊技媒体数が残存している場合に、前記移行処理により前記所有価値の不足が解消されて前記乗入れ付与処理を実行可能となるときに、前記移行処理を実行し、前記移行処理によっても前記所有価値の不足が解消せず前記乗入れ付与処理を実行可能とならないときに、前記移行処理を実行しない
ことを特徴とする遊技用システム。
【請求項２】
遊技機に対応して設けられ、記録媒体を受け付ける記録媒体受付手段と、遊技媒体を計数する計数手段を備える遊技用装置と、
前記遊技用装置と通信可能であり、前記遊技媒体の計数に基づく所有価値を管理する管理装置と、を含む遊技用システムであって、
前記遊技用装置は、
計数された遊技媒体数の範囲内で遊技媒体を付与するための計数付与処理を実行する計数付与処理手段と、
当該遊技用装置に対応する一の付与レートの前記所有価値に基づいて遊技媒体を付与するための通常付与処理を実行する通常付与処理手段と、
当該遊技用装置に対応する前記一の付与レートを含む複数の付与レートの前記所有価値に基づいて遊技媒体を付与するための乗入れ付与処理を実行可能な乗入れ付与処理手段と、
操作を受け付ける操作受付手段と、をさらに備え、
前記遊技用システムは、
前記遊技用装置において受け付けた記録媒体を返却するときに、計数された遊技媒体数を当該遊技用装置に対応する付与レートの所有価値に移行する返却時処理を実行する返却時処理手段と、
前記遊技用装置において所定操作を受け付けたときに、前記記録媒体を返却することなく、計数された遊技媒体数の少なくとも一部を当該遊技用装置に対応する付与レートの所有価値に移行する移行処理を実行可能な移行処理手段と、を備え、
前記乗入れ付与処理手段は、前記所有価値の不足により前記乗入れ付与処理を実行できない場合に、前記移行処理が実行されたことに基づいて前記乗入れ付与処理を実行することが可能であり、
前記移行処理手段は、計数された遊技媒体数が残存している場合に、前記移行処理により前記所有価値の不足が解消されて前記乗入れ付与処理を実行可能となるときに、前記移行処理を実行し、前記移行処理によっても前記所有価値の不足が解消せず前記乗入れ付与処理を実行可能とならないときに、前記移行処理を実行しない
ことを特徴とする遊技用システム。
【発明の詳細な説明】
【技術分野】
【０００１】
本発明は、遊技機に対応して設けられる遊技用装置に関する。また、遊技用装置及び該遊技用装置と通信可能な管理装置を含む遊技用システムに関する。
【背景技術】
【０００２】
従来より、特許文献１に示されるように、払い出す遊技媒体の遊技種と異なる遊技種の持遊技媒体若しくは貯遊技媒体の残高を減算して遊技媒体を払い出す乗入れ再プレイが可能な遊技媒体管理システムが開示されている。
【先行技術文献】
【特許文献】
【０００３】
【特許文献１】特開２０１５−３９５８７号公報（段落００２４）
【発明の概要】
【発明が解決しようとする課題】
【０００４】
特許文献１に示されるような従来の技術では、付与される遊技媒体とは異なる付与レート（遊技種）の遊技媒体数の不足により乗入れ付与処理（乗入れ再プレイ）を実行できない場合があり、遊技者の利便性が課題となる。
【０００５】
本発明は、このような背景のもとになされたものであり、その目的は、乗入れ付与処理を実行させ易くすることにより、遊技者の利便性を向上させることにある。
【課題を解決するための手段】
【０００６】
本発明は、前記課題を解決するために、次のような手段を採る。なお後述する発明を実施するための形態の説明及び図面で使用した符号を参考のために括弧書きで付記するが、本発明の構成要素は該付記したものには限定されない。
【０００７】
まず手段１に係る発明は、
遊技機（パチンコ機２）に対応して設けられ、遊技媒体（パチンコ玉）を計数する計数手段（計数・端数払出ユニット３４０）を備える遊技用装置（第１実施形態に係るカードユニット３）であって、
計数された遊技媒体数（持玉数）の範囲内で遊技媒体を付与するための計数付与処理（Ｓ１１１０の持玉払出）を実行する計数付与処理手段（制御ユニット３２８）と、
前記遊技媒体の計数に基づく所有価値（貯玉数）を特定する所有価値特定手段（会員管理装置１５０との通信により会員カードの会員番号に対応した各口座の貯玉数を特定する制御ユニット３２８）と、
当該遊技用装置に対応する一の付与レートの前記所有価値（制御ユニット３２８が記憶する基本単価に対応した口座の貯玉数）に基づいて遊技媒体を付与するための通常付与処理（Ｓ１０５０の貯玉払出）を実行する通常付与処理手段（制御ユニット３２８）と、
当該遊技用装置に対応する前記一の付与レートを含む複数の付与レートの前記所有価値（制御ユニット３２８が記憶する基本単価に対応した口座の貯玉数及び基本単価以外の単価に対応した乗入れ元口座の貯玉数）に基づいて遊技媒体を付与するための乗入れ付与処理（Ｓ２０７０，Ｓ３０３０の乗入れ払出）を実行可能な乗入れ付与処理手段（制御ユニット３２８）と、
操作（タッチ操作）を受け付ける操作受付手段（タッチパネル３１４）と、
所定操作（Ｓ４１１０の貯玉移行ボタンの操作）を受け付けたときに、計数された遊技媒体数（持玉数）の少なくとも一部（例えば１２０玉計数されたうちの５５玉）を当該遊技用装置に対応する付与レートの所有価値（制御ユニット３２８が記憶する基本単価に対応した口座の貯玉数）に移行させるための移行処理（Ｓ４１１１の貯玉移行通知の送信）を実行可能な移行処理手段（制御ユニット３２８）と、をさらに備える
ことを特徴とする遊技用装置である。
これによれば、遊技者の操作により、計数された遊技媒体数の少なくとも一部を遊技用装置に対応する付与レートの所有価値に移行させて、乗入れ付与処理を実行可能とすることができるため、乗入れ付与処理が実行され易くなり遊技者の利便性を向上させることができる。
【０００８】
また手段２に係る発明は、
遊技機（パチンコ機２）に対応して設けられ、記録媒体（会員カード）を受け付ける記録媒体受付手段（カードＲ／Ｗ３２７）と、遊技媒体（パチンコ玉）を計数する計数手段（計数・端数払出ユニット３４０）を備える遊技用装置（第２実施形態に係るカードユニット３）であって、
計数された遊技媒体数（計数玉数）の範囲内で遊技媒体を付与するための計数付与処理（Ｓ１１１０に相当する計数払出）を実行する計数付与処理手段（制御ユニット３２８）と、
前記遊技媒体の計数に基づく所有価値（貯玉数）を特定する所有価値特定手段（会員管理装置１５０との通信により会員カードの会員番号に対応した各口座の貯玉数を特定する制御ユニット３２８）と、
当該遊技用装置に対応する一の付与レートの前記所有価値（制御ユニット３２８が記憶する基本単価に対応した口座の貯玉数）に基づいて遊技媒体を付与するための通常付与処理（Ｓ１０５０の貯玉払出）を実行する通常付与処理手段（制御ユニット３２８）と、
当該遊技用装置に対応する前記一の付与レートを含む複数の付与レートの前記所有価値（制御ユニット３２８が記憶する基本単価に対応した口座の貯玉数及び基本単価以外の単価に対応した乗入れ元口座の貯玉数）に基づいて遊技媒体を付与するための乗入れ付与処理（Ｓ２０７０，Ｓ３０３０の乗入れ払出）を実行可能な乗入れ付与処理手段（制御ユニット３２８）と、
受け付けた記録媒体を返却するときに、計数された遊技媒体数（計数玉数）を当該遊技用装置に対応する付与レートの所有価値（制御ユニット３２８が記憶する基本単価に対応した口座の貯玉数）に移行させるための返却時処理（会員番号及び各口座の計数玉数を含むカード排出通知の送信）を実行する返却時処理手段（制御ユニット３２８）と、
操作（タッチ操作）を受け付ける操作受付手段（タッチパネル３１４）と、
所定操作（Ｓ４１１０の貯玉移行ボタンの操作）を受け付けたときに、前記記録媒体を返却することなく、計数された遊技媒体数（計数玉数）の少なくとも一部（例えば１２０玉計数されたうちの７５玉）を当該遊技用装置に対応する付与レートの所有価値（制御ユニット３２８が記憶する基本単価に対応した口座の貯玉数）に移行させるための移行処理（Ｓ４１１１Ａの貯玉移行通知の送信）を実行可能な移行処理手段（制御ユニット３２８）と、をさらに備える
ことを特徴とする遊技用装置である。
これによれば、遊技者の操作により、記録媒体を返却することなく、計数された遊技媒体数の少なくとも一部を遊技用装置に対応する付与レートの所有価値に移行させて、乗入れ付与処理を実行可能とすることができるため、乗入れ付与処理が実行され易くなり遊技者の利便性を向上させることができる。
【０００９】
また手段３に係る発明は、
手段１又は２の遊技用装置であって、
前記移行処理（Ｓ４１１１の貯玉移行通知の送信，Ｓ４１１１Ａの貯玉移行通知の送信）が実行されるときに、当該移行処理の対象となる遊技媒体数（Ｓ４１３０で貯玉に移行された持玉数，Ｓ４１３０Ａで貯玉に移行された計数玉数）を表示する第１表示手段（表示部３１２）をさらに備えることを特徴とする遊技用装置である。
これによれば、移行処理の対象となった遊技媒体数を把握することができる。
【００１０】
また手段４に係る発明は、
手段１〜３から選択されるいずれかの遊技用装置であって、
前記移行処理（Ｓ４１１１の貯玉移行通知の送信，Ｓ４１１１Ａの貯玉移行通知の送信）が実行されるときに、前記乗入れ付与処理により付与可能な遊技媒体数（Ｓ４１５０の乗入れ払出可能玉数）を表示する第２表示手段（表示部３１２）をさらに備えることを特徴とする遊技用装置である。
これによれば、乗入れ付与処理により付与可能な遊技媒体数を把握することができる。
【００１１】
また手段５に係る発明は、
手段１〜４から選択されるいずれかの遊技用装置であって、
前記乗入れ付与処理手段（制御ユニット３２８）は、複数の付与レートの所有価値に関する特定条件（乗入れ先口座の貯玉数及び乗入れ元口座の貯玉数に基づいて算出される乗入れ払出可能玉数が１２５以上となること）が成立するときに前記乗入れ付与処理（乗入れ払出）を実行し、
前記移行処理が実行されることで前記特定条件が成立するか否かを判定する判定手段（現在の各口座の貯玉数に基づいて算出される乗入れ払出可能玉数が１２５未満のときに、貯玉移行処理を実行することで乗入れ払出可能玉数が１２５に達するか否かを判定する制御ユニット３２８）と、
前記特定条件が成立すると判定される場合（貯玉移行処理を実行することで乗入れ払出可能玉数が１２５に達する場合）に、前記移行処理に伴い前記乗入れ付与処理が実行可能となることを特定可能に報知する報知手段（Ｓ４０８０で乗入れ操作領域３１２ｂに貯玉移行ボタンを表示すると共に、Ｓ４１００で「貯玉移行で乗入れ可」のメッセージを表示する表示部３１２）と、
をさらに備えることを特徴とする遊技用装置である。
これによれば、移行処理を行うことで乗入れ付与処理が実行可能となることを把握することができる。
【００１２】
また手段６に係る発明は、
手段１〜５から選択されるいずれかの遊技用装置であって、
前記乗入れ付与処理手段（制御ユニット３２８）は、複数の付与レートの所有価値に関する特定条件（乗入れ先口座の貯玉数及び乗入れ元口座の貯玉数に基づいて算出される乗入れ払出可能玉数が１２５以上となること）が成立するときに前記乗入れ付与処理（乗入れ払出）を実行し、
前記移行処理に伴い前記特定条件が成立するために計数されるべき遊技媒体数（貯玉移行処理を実行したときの乗入れ払出可能玉数が１２５に達するために計数が必要な残り玉数）を算出する遊技媒体数算出手段（Ｓ４０４０，Ｓ４０４０Ａにおいて必要計数玉数を算出する制御ユニット３２８）と、
算出された前記遊技媒体数を特定可能な情報を表示する第３表示手段（Ｓ４０４０，Ｓ４０４０Ａにおいて算出した必要計数玉数を表示する表示部３１２）と、
をさらに備えることを特徴とする遊技用装置である。
これによれば、乗入れ付与処理を実行可能とするために計数されるべき遊技媒体数を把握することができる。
【００１３】
また手段７に係る発明は、
手段１〜６から選択されるいずれかの遊技用装置であって、
前記所定操作は、前記乗入れ付与処理を実行するか否かの遊技者の意思を確認するための意思確認操作と共通である（Ｓ４０８０の貯玉移行ボタンは乗入れ操作領域３１２ｂに表示され、これをタッチすることによりＳ４１６０で乗入れ操作領域３１２ｂには乗入れ払出ボタンが有効態様で表示されることになるため、貯玉移行ボタンの操作は乗入れ払出を実行する意思を確認するための操作となっている）ことを特徴とする遊技用装置である。
これによれば、所定操作とは別に意思確認操作を設ける必要が無く、操作が簡素化される。
【００１４】
また手段８に係る発明は、
手段１〜７から選択されるいずれかの遊技用装置であって、
前記所定操作は、前記乗入れ付与処理を実行させる乗入れ付与操作と共通である（変形例（３）に記載のカードユニットでは、乗入れ操作領域３１２ｂに表示された貯玉移行ボタンを操作することにより、貯玉移行処理の実行後に自動的に乗入れ払出が実行される）ことを特徴とする遊技用装置である。
これによれば、所定操作とは別に乗入れ付与操作を設ける必要が無く、操作が簡素化される。
【００１５】
また手段９に係る発明は、
遊技機（パチンコ機２）に対応して設けられ、遊技媒体（パチンコ玉）を計数する計数手段（計数・端数払出ユニット３４０）を備える遊技用装置（カードユニット３）と、
前記遊技用装置と通信可能であり、前記遊技媒体の計数に基づく所有価値（貯玉数）を管理する管理装置（会員管理装置１５０）と、を含む遊技用システム（１）であって、
前記遊技用装置は、
計数された遊技媒体数（持玉数）の範囲内で遊技媒体を付与するための計数付与処理（Ｓ１１１０の持玉払出）を実行する計数付与処理手段（制御ユニット３２８）と、
当該遊技用装置に対応する一の付与レートの前記所有価値（制御ユニット３２８が記憶する基本単価に対応した口座の貯玉数）に基づいて遊技媒体を付与するための通常付与処理（Ｓ１０５０の貯玉払出）を実行する通常付与処理手段（制御ユニット３２８）と、
当該遊技用装置に対応する前記一の付与レートを含む複数の付与レートの前記所有価値（制御ユニット３２８が記憶する基本単価に対応した口座の貯玉数及び基本単価以外の単価に対応した乗入れ元口座の貯玉数）に基づいて遊技媒体を付与するための乗入れ付与処理（Ｓ２０７０，Ｓ３０３０の乗入れ払出）を実行可能な乗入れ付与処理手段（制御ユニット３２８）と、
操作（タッチ操作）を受け付ける操作受付手段（タッチパネル３１４）と、をさらに備え、
前記遊技用システムは、
所定条件が成立したとき（営業終了時処理が実行されたとき又は景品交換用ＰＯＳ端末１７０に会員カードが挿入されたとき）に、前記遊技用装置において計数された遊技媒体数を当該遊技用装置に対応する付与レートの所有価値に移行する成立時処理（持玉管理装置１４０で管理されていた各口座（４円，２円，１円）の持玉数を、会員管理装置１５０で管理されている各口座（４円，２円，１円）の貯玉数に加算する処理）を実行する成立時処理手段（ＣＰＵ１４２及びＣＰＵ１５２）と、
前記遊技用装置において所定操作（Ｓ４１１０の貯玉移行ボタンの操作）を受け付けたときに、当該遊技用装置において計数された遊技媒体数（持玉数）の少なくとも一部（例えば１２０玉計数されたうちの５５玉）を当該遊技用装置に対応する付与レートの所有価値（制御ユニット３２８が記憶する基本単価に対応した口座の貯玉数）に移行する移行処理（Ｓ４１１１の貯玉移行通知の送信）を実行可能な移行処理手段（制御ユニット３２８）と、を備え、
前記乗入れ付与処理手段は、前記所有価値の不足により前記乗入れ付与処理を実行できない場合に、前記移行処理が実行されたことに基づいて前記乗入れ付与処理を実行することが可能であり、
前記移行処理手段は、計数された遊技媒体数が残存している場合に、前記移行処理により前記所有価値の不足が解消されて前記乗入れ付与処理を実行可能となるときに、前記移行処理を実行し、前記移行処理によっても前記所有価値の不足が解消せず前記乗入れ付与処理を実行可能とならないときに、前記移行処理を実行しない
ことを特徴とする遊技用システムである。
これによれば、遊技者の操作により、計数された遊技媒体数の少なくとも一部を遊技用装置に対応する付与レートの所有価値に移行させて、乗入れ付与処理を実行可能とすることができるため、乗入れ付与処理が実行され易くなり遊技者の利便性を向上させることができる。
【００１６】
さらに手段１０に係る発明は、
遊技機（パチンコ機２）に対応して設けられ、記録媒体（会員カード）を受け付ける記録媒体受付手段（カードＲ／Ｗ３２７）と、遊技媒体（パチンコ玉）を計数する計数手段（計数・端数払出ユニット３４０）を備える遊技用装置（カードユニット３）と、
前記遊技用装置と通信可能であり、前記遊技媒体の計数に基づく所有価値（貯玉数）を管理する管理装置（会員管理装置１５０）と、を含む遊技用システム（１’）であって、
前記遊技用装置は、
計数された遊技媒体数（計数玉数）の範囲内で遊技媒体を付与するための計数付与処理（Ｓ１１１０に相当する計数払出）を実行する計数付与処理手段（制御ユニット３２８）と、
当該遊技用装置に対応する一の付与レートの前記所有価値（制御ユニット３２８が記憶する基本単価に対応した口座の貯玉数）に基づいて遊技媒体を付与するための通常付与処理（Ｓ１０５０の貯玉払出）を実行する通常付与処理手段（制御ユニット３２８）と、
当該遊技用装置に対応する前記一の付与レートを含む複数の付与レートの前記所有価値（制御ユニット３２８が記憶する基本単価に対応した口座の貯玉数及び基本単価以外の単価に対応した乗入れ元口座の貯玉数）に基づいて遊技媒体を付与するための乗入れ付与処理（Ｓ２０７０，Ｓ３０３０の乗入れ払出）を実行可能な乗入れ付与処理手段（制御ユニット３２８）と、
操作（タッチ操作）を受け付ける操作受付手段（タッチパネル３１４）と、をさらに備え、
前記遊技用システムは、
前記遊技用装置において受け付けた記録媒体を返却するときに、計数された遊技媒体数（計数玉数）を当該遊技用装置に対応する付与レートの所有価値（制御ユニット３２８が記憶する基本単価に対応した口座の貯玉数）に移行する返却時処理（会員番号及び各口座の計数玉数を含むカード排出通知の送信）を実行する返却時処理手段（制御ユニット３２８）と、
前記遊技用装置において所定操作（Ｓ４１１０の貯玉移行ボタンの操作）を受け付けたときに、前記記録媒体を返却することなく、計数された遊技媒体数（計数玉数）の少なくとも一部（例えば１２０玉計数されたうちの７５玉）を当該遊技用装置に対応する付与レートの所有価値（制御ユニット３２８が記憶する基本単価に対応した口座の貯玉数）に移行する移行処理（Ｓ４１１１Ａの貯玉移行通知の送信）を実行可能な移行処理手段（制御ユニット３２８）と、を備え、
前記乗入れ付与処理手段は、前記所有価値の不足により前記乗入れ付与処理を実行できない場合に、前記移行処理が実行されたことに基づいて前記乗入れ付与処理を実行することが可能であり、
前記移行処理手段は、計数された遊技媒体数が残存している場合に、前記移行処理により前記所有価値の不足が解消されて前記乗入れ付与処理を実行可能となるときに、前記移行処理を実行し、前記移行処理によっても前記所有価値の不足が解消せず前記乗入れ付与処理を実行可能とならないときに、前記移行処理を実行しない
ことを特徴とする遊技用システムである。
これによれば、遊技者の操作により、記録媒体を返却することなく、計数された遊技媒体数の少なくとも一部を遊技用装置に対応する付与レートの所有価値に移行させて、乗入れ付与処理を実行可能とすることができるため、乗入れ付与処理が実行され易くなり遊技者の利便性を向上させることができる。
【図面の簡単な説明】
【００１７】
【図１】遊技用システムの全体像を示すシステム構成図である。
【図２】遊技用システムに用いたパチンコ機、カードユニットを示す正面図である。
【図３】カードユニットの構成を示すブロック図である。
【図４】残額管理装置の構成を示すブロック図である。
【図５】残額管理テーブルの一例を示す図である。
【図６】持玉管理装置の構成を示すブロック図である。
【図７】持玉管理テーブルの一例を示す図である。
【図８】ＣＵ管理テーブルの一例を示す図である。
【図９】会員管理装置の構成を示すブロック図である。
【図１０】貯玉管理テーブルの一例を示す図である。
【図１１】乗入れ優先順位テーブルの一例を示す図である。
【図１２】遊技用システムで貯玉払出及び持玉払出が実行される場合の動作の流れを示す図である。
【図１３】遊技用システムで１回目の乗入れ払出が実行される場合の動作の流れを示す図である。
【図１４】遊技用システムで２回目の乗入れ払出が実行された後に会員カードが返却される場合の動作の流れを示す図である。
【図１５】必要計数玉数算出処理を示すフローチャートである。
【図１６】遊技用システムで計数処理が行われる場合の動作の流れを示す図である。
【図１７】遊技用システムで貯玉移行処理が行われる場合の動作の流れを示す図である。
【図１８】貯玉移行数算出処理を示すフローチャートである。
【図１９】遊技用システムで貯玉払出及び持玉払出、並びに乗入れ払出が実行される場合の表示情報を示す図である。
【図２０】遊技用システムで貯玉移行処理及び乗入れ払出が実行される場合の表示情報を示す図である。
【図２１】貯玉移行処理による貯玉数及び持玉数の変化の例を示す図である。
【図２２】第２実施形態の遊技用システムで計数処理が行われる場合の動作の流れを示す図である。
【図２３】第２実施形態の遊技用システムで貯玉移行処理が行われる場合の動作の流れを示す図である。
【図２４】貯玉移行処理による貯玉数及び持玉数の変化の例を示す図である。
【発明を実施するための形態】
【００１８】
以下、図面を参照して本発明に係る遊技用装置および遊技用システムを実施するための形態を説明する。本発明に係る遊技用システムには、持玉管理装置１４０が含まれる第１実施形態に係る遊技用システム１と、持玉管理装置１４０が含まれない第２実施形態に係る遊技用システム１’と、が含まれる。以下では、まず、第１実施形態に係る遊技用システム１について説明し、次に、第２実施形態に係る遊技用システム１’について、第１実施形態と異なる点を説明する。
【００１９】
［第１実施形態に係る遊技用システムの構成］
まず、図１は、第１実施形態に係る遊技用システム１の全体像を示すシステム構成図である。遊技用システム１は、遊技場内に複数配置される各遊技島（図示略）に並設される遊技機であるカードリーダ式パチンコ機（以下パチンコ機と略称する）２と、パチンコ機２の所定側の側方位置に該パチンコ機２に対して１対１に対応設置され、会員登録をしていない一般の遊技者に対して発行される遊技用記録媒体であるプリペイド機能を備えるビジターカードや、該遊技場に会員登録した会員遊技者に対して発行される遊技用記録媒体である会員カードを受付けて、遊技機における遊技に使用される遊技媒体であるパチンコ玉を貸し出すための処理や、対応するパチンコ機２における遊技にて獲得されたパチンコ玉を計数するとともに、該計数済みのパチンコ玉数の範囲内のパチンコ玉の払出（返却）を行うカードユニット３と、カードユニット３にて使用されるビジターカードや会員カードのプリペイド残額の管理等を行う残額管理装置１００と、各カードユニット３において計数された計数玉数を持玉数として管理する持玉数管理を行う持玉管理装置１４０や、会員カードを所持する会員遊技者が再度の遊技に使用可能に所有する所有価値としての貯玉数の管理を行う会員管理装置１５０と、遊技場内の景品カウンタに設けられて景品交換を行うための景品交換用ＰＯＳ端末１７０と、から主に構成されている。
【００２０】
そして、これら本実施の形態の遊技用システム１を構成する各装置は、図１に示すように、ハブ（ＨＵＢ）７並びに通信ケーブル８を介して双方向のデータ通信が可能に接続されていて、各接続機器にはそれぞれローカルＩＰアドレスが付与されてローカルエリアネットワーク（ＬＡＮ）が形成されており、該ローカルエリアネットワーク（ＬＡＮ）に接続されているこれら各装置には、当該装置を個々に識別可能な装置ＩＤが付与されている。なお、カードユニット３は遊技機と１対１に対応して設けられており、カードユニット３を識別することによって対応する遊技機も識別可能となるため、以下の説明において、カードユニット３の装置ＩＤを「台番号」と称する場合がある。
【００２１】
この実施の形態において、各カードユニット３と会員管理装置１５０とは、持玉管理装置１４０を介して通信を行うものとする。即ち、持玉管理装置１４０は、カードユニット３と会員管理装置１５０との間の通信を中継するものである。また、持玉管理装置１４０には、通信可能に接続された各カードユニット３の装置ＩＤ（台番号）とローカルＩＰアドレスとが対応付けられた不図示のＩＰアドレステーブルが記憶されている。これにより、カードユニット３のローカルＩＰアドレスから当該カードユニット３の装置ＩＤを特定可能であり、カードユニット３の装置ＩＤから当該カードユニット３のローカルＩＰアドレスを特定可能である。
【００２２】
尚、本実施の形態の残額管理装置１００は、上述したように、各会員カード並びに各ビジターカードに残存するプリペイド残額（遊技用価値）を管理しているとともに、通信回線１１を介して、これら会員カードやビジターカードを管理する遊技場外のカード管理会社に設置された残額管理サーバ１２と双方向のデータ通信を実施できるように接続されていて、これら残額管理サーバ１２に対して残額管理装置１００から、各種の管理情報が送信されることにより、カード管理会社は、該残額管理サーバ１２にて各遊技場の会員カード及びビジターカードによる売上げ等を把握できるようになっている。
【００２３】
また、本実施の形態の会員管理装置１５０は、上述したように、各会員カードから読み取られる情報（カードＩＤ及び会員番号）に関連付けられた貯玉数（所有価値）を管理しているとともに、通信回線１１を介して、各遊技場に対応した口座に預け入れられている貯玉数を管理する遊技場外の貯玉管理機関に設置された貯玉管理サーバ１５と双方向のデータ通信を実施できるように接続されていて、これら貯玉管理サーバ１５に対して会員管理装置１５０から、各種の管理情報が送信されることにより、貯玉管理機関は、該貯玉管理サーバ１５にて各遊技場に対応した口座に預け入れられている貯玉数等を把握できるようになっている。
【００２４】
また、カードユニット３とパチンコ機２とは、図３に示すように、払出単位として予め定められた一単位数（本実施の形態では２５）のパチンコ玉の払出に伴う各種の信号を送受可能に接続されていて、具体的には、後述するＰＲＤＹ信号線、ＢＲＤＹ信号線、ＢＲＱ信号線、及びＥＸＳ信号線が接続されている。
【００２５】
（パチンコ機）
はじめに、本実施の形態に用いた遊技機であるパチンコ機２について、以下に簡単に説明する。パチンコ機２は、図２に示すように、その前面に遊技領域２６、上皿２３、下皿２４及び発射ハンドル２５等を備えると共に、上皿に払出ボタン２１及び返却ボタン２２を備え、図３に示すように、その内部に遊技制御基板２７、払出制御基板２８、及び玉払出装置２９等を備えており、これらの各構成要素は図３に示すように接続されている。
【００２６】
遊技制御基板２７は、遊技領域２６に設けられた各入賞口へのパチンコ玉の入賞を検出してパチンコ機２における遊技（例えば、特別図柄の可変表示や特別可変入賞装置の開放制御等）及び遊技状態（例えば、特別図柄の停止表示結果が特定表示結果となる確率が高められる確変状態や特別図柄の可変表示時間が短縮される時短状態等）を制御するものである。
【００２７】
払出制御基板２８は、カードユニット３の制御ユニット３２８と通信可能に接続されており、パチンコ機２とカードユニット３との間における通信を司るものである。プリペイド残額、持玉数、及び貯玉数のいずれかを減算して、予め定められた一単位数（２５）の倍数に相当する個数のパチンコ玉を払い出すときに、払出制御基板２８と制御ユニット３２８との間で信号の送受信が行われる。
【００２８】
また払出制御基板２８は、玉払出装置２９と接続され、該玉払出装置２９を制御するものである。玉払出装置２９は、払出制御基板２８と制御ユニット３２８との通信に基づいて予め定められた一単位数（２５）の整数倍のパチンコ玉を払い出すと共に、遊技領域２７に設けられた入賞口へのパチンコ玉の入賞に基づいて遊技者に付与されるパチンコ玉（いわゆる賞球）を払い出すものである。
【００２９】
払出ボタン２１は、対応するカードユニット３のカードリーダライタ３２７（以下カードＲ／Ｗ３２７と略記する）にて受け付けたビジターカード又は会員カードから読み取られるカードＩＤに対応付けて残額管理装置１００で管理されているプリペイド残額を減算してパチンコ玉を払い出すプリペイド払出を行うための払出操作を受け付けるボタンである。この払出ボタン２１が操作されたことを払出ボタンスイッチ２１ａが検出すると、制御ユニット３２８との間に設けられている払出入力信号線を介して制御ユニット３２８に払出入力信号が入力され、制御ユニット３２８が払出ボタン２１が操作された旨を認識して、プリペイド残額を使用して一単位数（２５）の整数倍のパチンコ玉を払い出すための払出制御基板２８との通信を実行する。
【００３０】
返却ボタン２２は、対応するカードユニット３のカードＲ／Ｗ３２７にて受け付けたビジターカード又は会員カードを返却するための返却操作を受け付けるボタンである。この返却ボタン２２が操作されたことを返却ボタンスイッチ２２ａが検出すると、制御ユニット３２８との間に設けられている返却入力信号線を介して制御ユニット３２８に返却入力信号が入力され、制御ユニット３２８が返却ボタン２２が操作された旨を認識して、カードＲ／Ｗ３２７にて受付中のビジターカード又は会員カードを返却する。
【００３１】
このパチンコ機２では、発射ハンドル２５が操作されると、上皿２３から発射位置に供給されたパチンコ玉が遊技領域２６に打ち込まれて遊技が行われる。パチンコ玉が遊技領域２６に設けられた各入賞口に入賞した場合には、各入賞口に応じた数の賞球が玉払出装置２９により払い出される。パチンコ玉が始動入賞口に入賞すると、可変表示装置において特別図柄の可変表示（変動表示）が開始され、その停止表示結果が予め定められた特定表示結果となった場合には、特定遊技状態（大当り遊技状態）が発生して特別可変入賞装置が開放制御されることにより、大入賞口へのパチンコ玉の入賞が可能となる。
【００３２】
遊技制御基板２７に搭載されている遊技制御用マイクロコンピュータ（図示せず）は、入賞検出に応じて、払出制御基板２８に搭載されている払出制御用マイクロコンピュータ（図示せず）に、賞球個数を示す払出制御コマンドとしての賞球個数コマンド（賞球個数信号）を出力する。払出制御用マイクロコンピュータは、賞球個数コマンドが示す賞球個数に応じて駆動信号を供給することで、玉払出装置２９を駆動する。玉払出装置２９には、賞球を払出す払出モータが備えられている。払出制御用マイクロコンピュータにより払出モータが回転駆動制御されることにより、払出制御用マイクロコンピュータにより指定された個数の賞球が玉払出装置２９から払出される。
【００３３】
払出制御基板２８の制御により入賞口（始動入賞口，一般入賞口，又は大入賞口等）に応じた数の賞球が玉払出装置２９から払い出されると、該払い出された賞球は、まず上皿２３に導かれ、該上皿が満タンになると下皿２４に導かれる。下皿２４の前面には、下皿２４の底板に固定されたレバー２４ａが設けられている。遊技者がレバー２４ａを操作する（図２の例では左側に引く）ことにより、下皿２４の底板がスライドして下皿２４の底面が開放され、下皿２４に導かれた賞球は、下皿２４から落下して計数・端数払出ユニット３４０に投入される。
【００３４】
（記録媒体）
次に、本実施の形態にて使用されるビジターカードと会員カードとについて、簡潔に説明すると、本実施の形態に使用されるビジターカード並びに会員カードには、種々のデータを記憶するための不揮発性メモリと、これら記録情報の書き換えや読み出しを実施するとともに、外部のリーダライタ装置との非接触通信を実施する制御部とを有するＩＣチップが搭載されたＩＣカードを使用している。これらビジターカード並びに会員カードには、個々のカードを識別可能なカードＩＤ、具体的には、ビジターカードにはＶＣで始まるカードＩＤが、会員カードには、ＫＣで始まるカードＩＤが予め書き換え不能に記憶されていて、その種別がカードＩＤから識別可能とされているとともに、プリペイド残額を特定可能なプリペイド残額データ等の各種データが記憶されている。
【００３５】
尚、会員カードは、遊技場に会員登録を実施した会員遊技者に対して発行されるものであり、該会員に対して付与される会員番号が書き換え不能に記憶されている。また、該会員カードを使用して会員遊技者は、後述するように、一度獲得して計数したパチンコ玉を、当日再度遊技に使用できる持玉として、あるいはその翌日以降においても再度遊技に使用できる貯玉として、遊技場に預けることができるようになっているが、これら会員カードには、該持玉のデータである持玉数および貯玉のデータである貯玉数は直接記録されておらず、これら持玉数および貯玉数は、後述するように、持玉管理装置１４０および会員管理装置１５０において、カードＩＤおよび会員番号に対応付けて記憶されることで、該カードＩＤや会員番号から特定されるようになっている。
【００３６】
また、ビジターカードは、カードユニット３において発行される。尚、ビジターカードには、該ビジターカードを所有する遊技者が計数・端数払出ユニット３４０により計数したパチンコ玉数（計数玉数）に基づく持玉数と該持玉数が計数された日付とが記憶されており、該持玉数をその当日においてのみ、遊技場内の各カードユニット３において使用できるようになっている。
【００３７】
尚、本実施の形態では、上述したように、ビジターカードのみに持玉数を書き込み記録するようにしているが、本発明はこれに限定されるものではなく、これら持玉数や貯玉数のデータを、ビジターカードと同じく、会員カードに記録するようにしても良い。また、会員カードと同様にビジターカードに持玉数を書き込み記録しないようにしても良い。また、プリペイド残額は、会員カード及びビジターカードに記録させることなく、残額管理装置１００がカードＩＤに対応付けて記憶し、カードに対応するプリペイド残額を当該カードのカードＩＤから検索できるように管理してもよい。
【００３８】
（カードユニット）
次に、本実施の形態のカードユニット３について、図２及び図３に基づいて以下に説明すると、本実施の形態のカードユニット３の前面には、図２及び図３に示すように、フルカラーＬＥＤ３０１ａにより構成されて複数の色に点灯することでカードユニット３の状態等を報知可能とされた多機能ランプ３０１等の各種表示部、紙幣を挿入するための紙幣挿入口３０２、装置前面より装置前方側に突出形成された突出部３０５、計数玉数（持玉数）を払い出すための計数払出操作を受付けるための計数プレイボタン３１９、会員カードやビジターカードを挿入するためのカード挿入口３０９が設けられている。
【００３９】
カードユニット３の前面に設けられたカード挿入口３０９は、該カード挿入口３０９に対応する位置に内蔵されるカードＲ／Ｗ３２７（図３参照）のカードスロット（図示略）に連設されており、このカード挿入口３０９を介してビジターカードや会員カードをカードスロットに挿入可能とされている。
【００４０】
カードユニット３の前面には、前方に突出する態様にて突出部３０５が設けられている。該突出部３０５において、遊技者と対向する面には、図２に示すように、各種情報を表示可能な表示部３１２と、後述する持玉払出を実行するときに操作する計数プレイボタン３１９が設けられている。表示部３１２の表面には、表示部３１２に表示された各表示項目を指触により入力可能とするための透明タッチパネル３１４が設けられている。また、計数プレイボタン３１９は透光性を有するプラスチック製のケースにより構成されている。
【００４１】
持玉払出とは、ビジターカード又は会員カードを受け付けた場合（カード貯留部のビジターカードがカードＲ／  Ｗ３２７に供給された場合を含む）において、カードＲ／Ｗ３２７のビジターカード又は会員カードに記録されているカードＩＤ及び会員番号（会員カードのみ）に対応付けて持玉管理装置１４０で管理されている、遊技媒体の単価に対応した各口座の持玉数のうち、当該カードユニット３が記憶している基本単価に対応した口座の持玉数を減算して遊技媒体を払い出す処理である。
【００４２】
本実施の形態では、ビジターカード又は会員カードがＣＵ３に挿入されると、持玉管理装置１４０から取得した持玉数（受け付けたカードＩＤに対応付けて管理されている各口座の持玉数）が制御ユニット３２８に記憶される。そして、持玉払出が実行されると、制御ユニット３２８で記憶されている基本単価の持玉数から払い出された玉数が減算され、計数・端数払出ユニット３４０で計数が実行されると、制御ユニット３２８で記憶されている基本単価の持玉数に計数された玉数が加算される。
【００４３】
また、カード貯留部のビジターカードがカードＲ／  Ｗ３２７に供給され（このとき制御ユニット３２８で記憶されている基本単価の持玉数は０となっている）、計数・端数払出ユニット３４０で計数が実行されると、制御ユニット３２８で記憶されている基本単価の持玉数に計数された玉数が加算される。そして、持玉払出が実行されると、制御ユニット３２８で記憶されている基本単価の持玉数から払い出された玉数が減算される。
【００４４】
持玉管理装置１４０で管理されている持玉数は、ビジターカード又は会員カードがカードユニット３から返却される際に更新され、持玉払出が実行される際や遊技媒体の計数が実行される際には、カードユニット３で記憶されている持玉数は更新されるが、持玉管理装置１４０で管理されている持玉数は更新されないものとする。持玉払出は、制御ユニット３２８が記憶している持玉数（基本単価に対応した持玉数）が１以上である場合に実行可能であり、持玉払出を実行する場合には、計数プレイＬＥＤ３１９ｂが点灯しているときに、計数プレイボタン３１９を操作する。
【００４５】
貯玉払出とは、会員カードを受け付けた場合において、該会員カードに記録されているカードＩＤ及び会員番号に対応付けて会員管理装置１５０で管理されている、遊技媒体の単価に対応した各口座の貯玉数のうち、当該カードユニット３が記憶している基本単価に対応した口座の貯玉数のみを減算して遊技媒体を払い出す処理である。貯玉払出は、当該カードユニット３の基本単価に対応した口座の貯玉数が一単位数（２５）以上である場合に実行可能である。
【００４６】
貯玉払出を実行する場合には、表示部３１２にメイン画面（プリペイド残額、当該カードユニット３の基本単価に対応した口座の持玉数及び貯玉数、並びに、貯球払出ボタン及び乗入れ画面移行ボタンが表示される画面）が表示され、メイン画面の貯玉払出操作領域３１２ａに貯玉払出ボタンが有効態様（後述する無効態様よりも濃い表示態様）で表示されているときに（例えば図１９（１）の状態で）、該貯玉払出ボタンを操作する。
【００４７】
また、本実施の形態では、会員カードを受け付けた場合において、該会員カードに記録されているカードＩＤ及び会員番号に対応付けて会員管理装置１５０で管理されている、遊技媒体の単価に対応した各口座の貯玉数のうち、当該カードユニット３が記憶している基本単価に対応した口座以外の他口座（基本単価とは異なる単価に対応した口座）の貯玉数を減算して基本単価の遊技媒体を払い出す乗入れ払出を実行可能なものである。
【００４８】
乗入れ払出は、当該カードユニット３の基本単価に対応した口座の貯玉数と、他の口座の貯玉数を基本単価の貯玉数に換算した玉数との合算値が基本払出玉数（本例では１２５）以上である場合に実行可能である。当該カードユニット３の基本単価に対応した口座の貯玉数が０ではなく基本払出玉数未満である場合には、他の口座の貯玉数に応じて、基本単価に対応した口座の貯玉数と他の口座の貯玉数とを減算する乗入れ払出が実行可能となる。また、当該カードユニット３の基本単価に対応した口座の貯玉数が０である場合には、他の口座の貯玉数に応じて、他の口座の貯玉数のみを減算する乗入れ払出が実行可能となる。
【００４９】
乗入れ払出を実行する場合には、表示部３１２に乗入れ画面（当該カードユニット３の基本単価に対応した口座及び他口座の貯玉数、並びに、貯玉移行ボタン又は乗入れ払出ボタンが表示される画面）が表示され、乗入れ画面の乗入れ操作領域３１２ｂに乗入れ払出ボタンが有効態様（後述する無効態様よりも濃い表示態様）で表示されているときに（例えば図１９（６）の状態で）、該乗入れ払出ボタンを操作する。
【００５０】
この実施の形態では、乗入れ払出が実行されるときに、カードユニット３が記憶している基本単価に対応した口座の貯玉数が０でなければ、該基本単価に対応した口座の貯玉数と、該基本単価とは異なる単価に対応した口座の貯玉数の両方が減算され、カードユニット３が記憶している基本単価に対応した口座の貯玉数が０である場合には、該基本単価とは異なる単価に対応した口座の貯玉数のみが減算される。即ち、本実施形態の乗入れ払出においては、ＣＵ３の基本単価に対応した口座の貯玉数が優先して減算される。
【００５１】
なお、基本単価に対応した口座及び他口座（基本単価とは異なる単価に対応した口座）の貯玉数を減算して基本単価の遊技媒体を払い出す乗入れ払出が実行される場合、基本単価に対応した口座以外の他口座の貯玉数のみを減算して基本単価の遊技媒体を払い出す乗入れ払出が実行される場合において、当該基本単価に対応した口座を「乗入れ先口座」と称し、当該基本単価を「乗入れ先単価」と称し、当該他口座を「乗入れ元口座」と称し、当該他口座に対応した単価（当該基本単価とは異なる単価）を「乗入れ元単価」と称する。
【００５２】
また、突出部３０５内部には、表示部３１２を成す液晶表示器３１３が設けられており、液晶表示器３１３及び透明タッチパネル３１４が、図３に示すように、表示制御基板３２９に接続されることで、液晶表示器３１３の表示制御や、透明タッチパネル３１４による入力位置検出等が、該表示制御基板３２９によって実施される。
【００５３】
また、表示制御基板３２９には、計数プレイボタン３１９が操作されたことを検出する計数プレイスイッチ３１９ａと、前述した持玉払出が可能なときに点灯する計数プレイＬＥＤ３１９ｂとが接続されている。ここで、制御ユニット３２８により持玉数が確認され、持玉払出が可能な状態であれば、計数プレイＬＥＤ３１９ｂの点灯制御が行われる。計数プレイＬＥＤ３１９ｂは、計数プレイボタン３１９により覆われており、計数プレイＬＥＤ３１９ｂが点灯すると、ＬＥＤから発せられる可視光が計数プレイボタン３１９を透過する。これにより、遊技者は、持玉払出を実行する際に操作する操作領域が点灯していることを認識して、持玉払出が実行可能である（計数プレイボタン３１９の操作が有効である）ことを把握する。計数プレイボタン３１９が操作されたことを計数プレイスイッチ３１９ａが検出すると制御ユニット３２８に計数プレイ信号が入力される。
【００５４】
カードユニット３内の上部位置には、紙幣挿入口３０２に連設され、該紙幣挿入口３０２に投入された紙幣を取り込んでその真贋や紙幣種別の識別を実施し、その識別結果を装置略中央部に設けられている後述する制御ユニット３２８に出力する紙幣識別ユニット３２１が設けられており、該紙幣識別ユニット３２１にて各種紙幣（１万円、５千円、２千円、千円の各紙幣）の受付が可能とされている。
【００５５】
また、カードユニット３の略中央部位置には、該カードユニット３を構成する各部と接続しやすいように該カードユニット３の動作を制御する制御ユニット３２８が設けられており、後述するように、該制御ユニット３２８によって該カードユニット３の各種の動作が制御されている。
【００５６】
また、カードユニット３の前面下方端部位置には、パチンコ機２の下皿２４の下方位置に配置されることで、該下皿２４から排出されるパチンコ玉を計数するとともに、払出単位として予め定められた一単位数（本実施の形態では２５）未満の端数のパチンコ玉の払出を行う箱状の計数・端数払出ユニット３４０から排出されるパチンコ玉をカードユニット３内に流入させるための連結樋３４４が装着される。該連結樋３４４を流下して図示しない回収流路ボックスに流入してきたパチンコ玉が、回収流路ボックスをカードユニット３の前方側から後方（島内部）側に流下していき、カードユニット３の後方下端から遊技島内の図示しない回収樋に排出される。
【００５７】
図３は、本実施の形態のカードユニット３の構成を示すブロック図である。カードユニット３は、上述したように、主には、紙幣識別ユニット３２１と、カードＲ／Ｗ３２７と、表示制御基板３２９と、計数・端数払出ユニット３４０と、カードユニット３の各部の制御を制御プログラムにより実施して該カードユニット３の各種の機能を提供する制御ユニット３２８とから構成されており、紙幣識別ユニット３２１、カードＲ／Ｗ３２７、計数・端数払出ユニット３４０および表示制御基板３２９は制御ユニット３２８と接続されて各種データの送受が可能とされている。
【００５８】
カードＲ／Ｗ３２７は、カード挿入口３０９から挿入される会員カード又はビジターカードに記録されているカードＩＤ、会員番号（会員カードのみ）、持玉数及び日付（ビジターカードのみ）、プリペイド残額等の記録情報の読み出し、並びに、持玉数及び日付（ビジターカードのみ）、プリペイド残額等の書き込みを行う。カードユニット３の内方側終端部位置には、ビジターカードを最大１０枚まで貯留できる不図示のカード貯留部が設けられており、新規のビジターカードを発行可能とされている。カード貯留部のビジターカードはカード貯留部及びカードＲ／Ｗ３２７に設けられた搬送機構によりデータの読み出し及び書き込みが可能な所定位置まで搬送される。
【００５９】
カードの挿入が挿入センサにより検出されると、挿入されたカードがカードＲ／Ｗ３２７に設けられた搬送機構により所定位置まで搬送される。該所定位置に停止されたカードを対象とした給電やデータ通信を行うことにより、受付中のカードを対象としたデータの読み出し及び書き込みが可能となっている。制御ユニット３２８が返却ボタン２２の操作を検知すると、カードＲ／Ｗ３２７に対して所定位置にある受付中のカードの排出を指示する。このとき、カードＲ／Ｗ３２７に設けられた搬送機構により、所定位置にあるカードがカード挿入口３０９から排出され遊技者に返却される。
【００６０】
ここで、この実施の形態では、（１）カードＲ／Ｗ３２７の所定位置に会員カードが存在する状態、（２）カードＲ／Ｗ３２７の所定位置にビジターカードが存在し、且つ、制御ユニット３２８で記憶されているプリペイド残額（表示部３１２に表示されているプリペイド残額）及び各口座の持玉数のうち少なくとも１以上が０ではない状態では、不図示のシャッタ用ソレノイドの動作により、カード挿入口３０９を水平方向に横切る棒状のシャッタが出現してカードの挿入が阻止される。即ち、会員カードが受け付けられている期間、及び受付中のビジターカードについてプリペイド残額又は持玉数が残存している期間は、新たなカードの挿入が禁止される。
【００６１】
一方、（３）カードＲ／Ｗ３２７の所定位置にビジターカードが存在しており、制御ユニット３２８で記憶されているプリペイド残額（表示部３１２に表示されているプリペイド残額）及び各口座の持玉数がいずれも０となっている状態では、カード挿入口３０９のシャッタが解除されており、新たなカードの挿入が可能となっている。即ち、カードＲ／Ｗ３２７のビジターカードについてプリペイド残額及び持玉数がいずれも残存していない期間は、新たなカードの挿入が許容される。
【００６２】
（３）の状態において、新たなカードの挿入が検出されると、カードＲ／Ｗ３２７の所定位置に存在するビジターカードに記録されているプリペイド残額及び各口座の持玉数が０にクリアされると共に、カードユニット３から持玉管理装置１４０に対して当該ビジターカードのカードＩＤ及び制御ユニット３２８で記憶されている各口座の持玉数（いずれも０である）を含む擬似的なカード排出通知が送信される（実際にはビジターカードは排出されずにカード貯留部に収納されることになるため「擬似的」としている）。
【００６３】
そして、挿入検出されたカードがカードＲ／Ｗ３２７の所定位置に搬送されることに伴い、該所定位置に存在していたビジターカードは、カードＲ／Ｗ３２７及びカード貯留部に設けられた搬送機構によりカード貯留部に搬送されて収納される。持玉管理装置１４０では、受信した擬似的なカード排出通知に含まれるカードＩＤに対応付けて管理している各口座の持玉数を、受信した各口座の持玉数（擬似的なカード排出通知に含まれる各口座の持玉数）に更新する。
【００６４】
前述した（１）及び（２）のいずれかの状態において、返却ボタン２２が操作されると、カード挿入口のシャッタが解除され、カードＲ／Ｗ３２７の所定位置に存在するカードが返却されると共に、カード貯留部からカードＲ／Ｗ３２７の所定位置にビジターカードが搬送される。該所定位置に搬送されたビジターカードに記録されているプリペイド残額及び各口座の持玉数は０であり、該ビジターカードのカードＩＤに関連付けて持玉管理装置１４０で管理されている各口座の持玉数も０である。返却ボタン２２の操作により返却されるカードが会員カードである場合には、該会員カードに制御ユニット３２８で記憶されているプリペイド残額が記録され、返却されるカードがビジターカードである場合には、該ビジターカードに制御ユニット３２８で記憶されているプリペイド残額並びに各口座の持玉数及び日付が記録される。
【００６５】
次に、本実施の形態の制御ユニット３２８について説明する。制御ユニット３２８は、図３に示すように、制御プログラムを実行可能な中央演算処理回路（ＣＰＵ）３２８ａや、カードリーダライタ３２７に受付中のビジターカード及び会員カードのカードＩＤや、会員番号（会員カードのみ）、並びにプリペイド残額や、持玉数、貯玉数等の各種のデータを記憶可能なＲＡＭ３２８ｂや、中央演算処理回路（ＣＰＵ）３２８ａが実行する制御プログラムや、当該カードユニット３の装置ＩＤを含む設定情報や、各種のデータを書き換え記憶可能な不揮発性メモリであるＥＥＰＲＯＭ３２８ｃや、その時点の時刻情報やカレンダ情報等を出力可能なリアルタイムクロック（ＲＴＣ）３２８ｄを含み、ＲＡＭ３２８ｂは図示しない電池によりバックアップされており、電源が遮断されても、所定期間において記憶されているデータが保持される。
【００６６】
本実施の形態の制御ユニット３２８は、前述したようにパチンコ玉の貸出に伴う各種の信号の送受を、パチンコ機２に設けられている払出制御基板２８との間において実施可能に接続されている。
【００６７】
また、制御ユニット３２８は、計数・端数払出ユニット３４０と接続されており、後述するように、該計数・端数払出ユニット３４０から出力されてくる計数情報の受信に応じて、表示部３１２に表示する計数玉数（持玉数）の値を更新することで、計数・端数払出ユニット３４０にて計数された計数玉数が持玉数として表示される。
【００６８】
また、制御ユニット３２８は、前述したように、パチンコ機１の上皿２３に設けられた払出ボタン２１が操作されたことを検知するための払出ボタンスイッチ２１ａに接続されており、払出ボタン２１の操作に応じた信号が、該払出ボタンスイッチ２１ａから入力されることにより、払出ボタン２１の操作の有無を把握し、払出ボタン２１の操作があったときにはプリペイド払出を実施することで、一単位数（２５）の整数倍のパチンコ玉の払出を対応するパチンコ機２から実施させる。
【００６９】
ここでカードユニット３とパチンコ機２との間で行われる信号のやりとりについて説明する。本例では、ＲＡＭ３２８ａに基本払出玉数として１２５（一単位数である２５の５倍に相当）が記憶されているものとする。本実施の形態では、プリペイド払出のみならず、持玉払出、貯玉払出、及び、乗入れ払出においても、カードユニット３（制御ユニット３２８）とパチンコ機２との間で通信が行われ、一単位数の整数倍のパチンコ玉が払い出されるものとしている。
【００７０】
まずパチンコ機２及びカードユニット３の電源投入時に、両者の間における接続確認が行われると、パチンコ機２の払出制御基板２８は、ＰＲＤＹをＬＯＷとすることにより、ＰＲＤＹ信号線を介して、カードユニット３の制御部ユニット３２８に払出可能信号を送信して（Ｓ１）、スタンバイ状態となる。
【００７１】
次にカードユニット３の制御ユニット３２８は、ＰＲＤＹのＬＯＷ（払出可能信号）を受信しているスタンバイ状態において払出ボタン２１（又は、計数プレイボタン３１９、メイン画面の貯玉払出操作領域３１２ａに有効態様で表示される貯玉払出ボタン、若しくは乗入れ画面の乗入れ操作領域３１２ｂに有効態様で表示される乗入れ払出ボタン）の操作を検出すると、ＢＲＤＹをＬＯＷとすることにより、ＢＲＤＹ信号線を介して、パチンコ機２の払出制御基板２８に払出可能信号を送信する（Ｓ２）。
【００７２】
この状態において、カードユニット３の制御ユニット３２８は、ＢＲＱをＬＯＷとすることにより、ＢＲＱ信号線を介して、パチンコ機２の払出制御基板２８に単位払出要求信号を送信する（Ｓ３）。次にパチンコ機２の払出制御基板２８は、ＢＲＤＹのＬＯＷ（払出可能信号）を受信した状態においてＢＲＱのＬＯＷ（単位払出要求信号）を受信すると、玉確認センサ（図示せず）により一単位数（２５）のパチンコ玉を払い出す準備（払出準備）が整っているか否かを確認し、該払出準備が整っていることを条件として、ＥＸＳをＬＯＷとすることにより、ＥＸＳ信号線を介して、カードユニット３の制御ユニット３２８に単位払出準備信号を送信する（Ｓ４）。
【００７３】
次に該ＥＸＳのＬＯＷ（単位払出準備信号）を受信したカードユニット３の制御ユニット３２８は、ＢＲＱをＨＩＧＨとすることにより、ＢＲＱ信号線を介して、パチンコ機２の払出制御基板２８に単位払出指令信号を送信する（Ｓ５）。次に該ＢＲＱのＨＩＧＨ（単位払出指令信号）を受信したパチンコ機２の払出制御基板２８は、玉払出装置２９に対して払出信号を出力し、これに基づいて一単位数（２５）のパチンコ玉の払出が行われると共に、該払出の完了に基づいて、ＥＸＳをＨＩＧＨとすることにより、ＥＸＳ信号線を介して、カードユニット３の制御ユニット３２８に単位払出完了信号を送信する（Ｓ６）。
【００７４】
これらＳ３〜Ｓ６の制御を、５回繰り返すことにより、１２５玉をパチンコ機２から払い出し、これらの制御の終了に基づいて、ＢＲＤＹをＨＩＧＨとすることにより、ＢＲＤＹ信号線を介して、パチンコ機２の払出制御基板２８に払出終了信号を送信し（Ｓ７）、１２５玉の払出を終了する。このように、パチンコ玉が払い出されるときのＳ３〜Ｓ６の制御の繰り返し回数を「払出度数」と称する。この実施の形態では、払出度数の１度数（Ｓ３〜Ｓ６の制御１回）あたり２５玉のパチンコ玉が払い出されるようになっており、１度数あたりの払出玉数を一単位数としている。
【００７５】
また、制御ユニット３２８は、通信部３３４並びにＨＵＢ７を介して、ローカルエリアネットワーク（ＬＡＮ）に接続されている前述の残額管理装置１００、持玉管理装置１４０、及び会員管理装置１５０等とデータ通信可能に接続されており、これらの各コンピュータと各種データの送受が該通信部３３４を通じて可能とされている。
【００７６】
また、制御ユニット３２８に接続された表示制御基板３２９は、表示部３１２を構成する液晶表示器３１３、透明タッチパネル３１４、並びに、計数プレイボタン３１９に対応する計数プレイスイッチ３１９ａ及び計数プレイＬＥＤ３１９ｂ等の電子部品が接続されており、これら透明タッチパネル３１４の操作情報や、計数プレイボタン３１９の操作情報が、表示制御基板３２９を介して制御ユニット３２８に出力される。
【００７７】
本実施の形態の表示制御基板３２９には、液晶表示器３１３の表示駆動を行う表示駆動回路（図示略）や、前記透明タッチパネル３１４からの出力信号に基づいて押圧操作された位置を特定して該特定した入力位置情報を出力する入力位置検出回路（図示略）や、表示部３１２に表示する表示映像に関する処理を行うＶＤＰ（図示略）や、メニュー表示等に使用する画像データ等を記憶するＶＲＯＭ（図示略）や、表示部３１２に表示する表示データを一時記憶するＶＲＡＭ（図示略）や、制御ユニット３２８から独立して、各種スイッチ類や透明タッチパネル等の入力に伴う判断や処理を処理プログラムに基づいて実施する表示制御マイコン等が実装されており、制御ユニット３２８から出力される表示データ（ページデータ）等に基づいて、各種の表示画面を、表示部３１２を構成する液晶表示器３１３に表示可能とされている。
【００７８】
また、制御ユニット３２８は、持玉管理装置１４０から定期的（本実施の形態では約１０秒毎）に送信されてくるオンライン確認要求の受信の有無により、持玉管理装置１４０との通信状態がオンライン状態であるかオフライン（通信不能）状態であるかを検知できるようになっているとともに、これらオンライン確認要求の受信に応じてオンライン確認応答を持玉管理装置１４０に返信することで、持玉管理装置１４０においても各カードユニット３のオンライン・オフライン状態を検知できるようになっている。尚、これらオンライン確認要求としては、他のデータ送信要求にて代用される場合がある。
【００７９】
この実施の形態では、カードユニット３は、持玉管理装置１４０を介して会員管理装置１５０と通信を行う。ここで、カードユニット３と持玉管理装置１４０との間でオンライン状態が成立している場合であっても、持玉管理装置１４０と会員管理装置１５０との間ではオフライン状態となっている場合がある。このような場合には、持玉管理装置１４０は、会員管理装置１５０とのオフライン状態を通知するためのオフライン情報をカードユニット３に送信する。オフライン情報を受信したカードユニット３では、持玉管理装置１４０との間ではオンライン状態であるが、会員管理装置１５０との間ではオフライン状態であることを把握することができるため、例えば、持玉数の更新を可能とし、貯玉数の更新（貯玉払出や乗入れ払出）を禁止するといった制御を行うことが可能となる。
【００８０】
また、この実施の形態では、カードユニット３がオンライン確認要求を受信しており、且つオフライン情報を受信していないとき、即ち、持玉管理装置１４０と通信可能であり、且つ会員管理装置１５０と通信可能である場合にのみ、貯玉数の更新（後述する乗入れ払出も含む）が許容される。
【００８１】
また、制御ユニット３２８は、計数・端数払出ユニット３４０と計数情報や端数払出要求等の各種のデータを、少ない通信線数にてデータの送受が可能なシリアル通信により送受可能に接続されている。
【００８２】
ここで、本実施の形態の計数・端数払出ユニット３４０について説明する。本実施の形態の計数・端数払出ユニット３４０は、図２に示すように、パチンコ機２の下皿２４の直下に配置された横長の箱状物であり、カードユニット３の最も下方位置に設けられている不図示の回収流路ボックスに連結樋３４４を介して連結されている。
【００８３】
そして、計数・端数払出ユニット３４０の上面には、下皿２４から排出されるパチンコ玉が投入されるホッパ形状とされた不図示の投入部が形成されていて、その前面のカードユニット３本体側（向かって左側）には、払出（返却）された端数のパチンコ玉が取り出し可能に貯留される返却貯留部３４２が設けられている。
【００８４】
計数・端数払出ユニット３４０の内部には、計数・端数払出ユニット３４０の制御を行う制御マイコン等が搭載された制御基板により構成される制御部３５０が内蔵されている。この制御部３５０には、図３に示すように、流路変更シャッタ３５１、払出モータ３５３、払出センサ３５４、計数センサ３５６、及び貯留玉センサ３５７等が接続されていて、該制御部３５０にて計数・端数払出ユニット３４０の各機能が形成されるように制御される。また、制御部３５０は、カードユニット３の本体と連結樋３４４を介して電気的に接続されている。
【００８５】
計数・端数払出ユニット３４０の投入部に投入されたパチンコ玉は不図示の計数流路に流入して該計数流路上を連結樋３４４の方向に向けて流下し、該計数流路の下流部に設けられている計数センサ３５６にて検出されるようになっている。計数センサ３５６にて検出されたパチンコ玉の流下方向は流路変更シャッタ３５１により変更可能となっている。該流路変更シャッタ３５１が出没することによって、パチンコ玉の流下方向を、連結樋３４４側或いはパチンコ玉を貯留する不図示の貯留部側に切り替えることが可能とされている。
【００８６】
ここで、計数センサ３５６によりパチンコ玉が検出される毎に、制御部３５０から制御ユニット３２８に対して計数信号が入力され、制御ユニット３２８のＲＡＭ３２８ｂに記憶されている計数玉数の値が加算される。そして、所定のタイミング（例えば、計数玉数が更新されることなく５秒が経過したタイミング）で、ＲＡＭ３２８ｂに記憶されている当該カードユニット３に対応した口座（ＲＡＭ３２８ｂに記憶している基本単価に対応した口座）の持玉数に、計数玉数の値が加算されて持玉数が加算更新されると共に、計数玉数の値は０にリセットされる。
【００８７】
貯留部に流入するパチンコ玉は、貯留玉センサ３５７により検出されていき、貯留部内がパチンコ玉により満たされることにより、貯留玉センサ３５７によってパチンコ玉が所定時間以上連続して検出された場合には、流路変更シャッタ３５１による貯留部側への流路変更が解除されることで、計数センサ３５６により検出された計数済みのパチンコ玉は全て、連結樋３４４を流下してカードユニット３内部の回収流路ボックスを介して遊技島内に回収される。
【００８８】
また、貯留部に貯留されたパチンコ玉は、払出モータ３５３によって１つずつ返却貯留部３４２に払出可能となる。このとき、払出センサ３５４により、遊技者に払出（返却）するパチンコ玉数を計数可能となっている。
【００８９】
貯留部にパチンコ玉が貯留されている状態において、一単位数未満の端数のパチンコ玉数、例えば、端数として２０玉の払出（返却）がなされる場合、つまり、制御部３５０が制御ユニット３２８から払出（返却）する端数である２０玉を含む端数払出要求を受信した場合には、該受信した端数払出要求に含まれる払出玉数（端数）である２０の検出信号が払出センサ３５４から入力されてくるまで払出モータ３５３を作動させることにより、該払出玉数（端数）である２０個のパチンコ玉が、返却貯留部３４２に返却されて貯留されるようになる。
【００９０】
制御部３５０は、端数に相当する数の検出信号が払出センサ３５４から入力されてきた際には、端数払出要求の応答として、端数払出完了通知を制御ユニット３２８に対して送信することにより、制御ユニット３２８は、端数払出要求で指定した端数の払出が完了したことを認識する。
【００９１】
この実施の形態では、各カードユニット３において設定される基本払出玉数はいずれも一単位数（２５）の整数倍であるため、プリペイド残額が基本払出玉数に相当する金額（例えば４．００円×１２５＝５００円）以上のときにプリペイド払出を実行する場合、当該カードユニット３が記憶する基本単価に対応した口座の持玉数が基本払出玉数以上のときに持玉払出を実行する場合、当該カードユニット３が記憶する基本単価に対応した口座の貯玉数が基本払出玉数以上のときに貯玉払出を実行する場合には、前述した払出制御基板２８と制御ユニット３２８との通信によって、基本払出玉数に相当する全数を払出可能となっている。
【００９２】
また、プリペイド払出において、プリペイド残額が基本払出玉数に相当する金額（例えば４．００円×１２５＝５００円）未満であるが一単位数に相当する金額（例えば４．００円×２５＝１００円）以上の場合には、［一単位数×ｎ≦（プリペイド残額／基本単価）］となる最大のｎを払出度数として設定し、前述した払出制御基板２８と制御ユニット３２８との通信によって、設定された払出度数に相当する数のパチンコ玉を払い出す。
【００９３】
また、プリペイド払出において、プリペイド残額が一単位数に相当する金額（例えば４．００円×２５＝１００円）未満である場合には、［基本単価×ｎ≦プリペイド残額］となる最大のｎを端数として設定し、制御ユニット３２８から計数・端数払出ユニット３４０に対して、設定した端数を含む端数払出要求が送信され、計数・端数払出ユニット３４０の返却貯留部３４２に端数相当のパチンコ玉が払い出される。
【００９４】
また、持玉払出において、当該カードユニット３が記憶する基本単価に対応した口座の持玉数が基本払出玉数未満であるが一単位数以上の場合には、［一単位数×ｎ≦持玉数］となる最大のｎを払出度数として設定し、前述した払出制御基板２８と制御ユニット３２８との通信によって、設定された払出度数に相当する数のパチンコ玉を払い出す。
【００９５】
また、持玉払出において、当該カードユニット３が記憶する基本単価に対応した口座の持玉数が一単位数未満である場合には、当該持玉数を端数として設定し、制御ユニット３２８から計数・端数払出ユニット３４０に対して、設定した端数を含む端数払出要求が送信され、計数・端数払出ユニット３４０の返却貯留部３４２に端数相当のパチンコ玉が払い出される。
【００９６】
また、貯玉払出において、当該カードユニット３が記憶する基本単価に対応した口座の貯玉数が基本払出玉数未満であるが一単位数以上の場合には、［一単位数×ｎ≦貯玉数］となる最大のｎを払出度数として設定し、前述した払出制御基板２８と制御ユニット３２８との通信によって、設定された払出度数に相当する数のパチンコ玉を払い出す。
【００９７】
また、本例では、当該カードユニット３が記憶する基本単価に対応した口座の貯玉数が一単位数未満である場合には、メイン画面の貯玉払出操作領域３１２ａに表示される貯玉払出ボタンの表示態様を無効態様（前述した有効態様よりも薄い表示態様）とし、仮に無効態様の貯玉払出ボタンが操作されたとしても貯玉払出を実行しないことにより、一単位数未満の貯玉払出の実行を禁止するようにしている。
【００９８】
ここで、この実施の形態においては、乗入れ払出が行われる場合には、基本払出玉数のパチンコ玉が払い出されるものとする。即ち、当該カードユニット３が記憶する基本単価に対応した口座の貯玉数が一単位数未満の場合には、当該口座の貯玉数のみを減算してパチンコ玉を払い出す貯玉払出は実行されないが、当該基本単価とは異なる単価に対応した他口座の貯玉数を減算して基本払出玉数のパチンコ玉を払い出す乗入れ払出は実行可能となる場合がある。
【００９９】
例えば、カードユニット３に記憶されている基本単価が４円である場合において、会員管理装置１５０における４円口座の貯玉数が一単位数未満のときには、４円口座の貯玉数のみを減算する貯玉払出は実行されない。ただし、４円口座の他に２円口座と１円口座が存在しており、乗入れ先口座を４円口座、乗入れ元口座を２円口座及び１円口座とする乗入れ払出が許容されている場合には、［４円口座の貯玉数＋（２円口座の貯玉数×２円÷４円）＋（１円口座の貯玉数×１円÷４円）］が基本払出玉数以上となるときに、乗入れ払出を実行可能となり、乗入れ払出によって基本払出玉数のパチンコ玉が払い出される。一方、［４円口座の貯玉数＋（２円口座の貯玉数×２円÷４円）＋（１円口座の貯玉数×１円÷４円）］が基本払出玉数未満となるときには、乗入れ払出は実行されない。
【０１００】
なお、基本払出玉数として一単位数の整数倍ではない払出玉数が設定されている場合には、前述した払出制御基板２８と制御ユニット３２８と通信による払出と、計数・端数払出ユニット３４０による払出の両方が実行されることにより、該基本払出玉数のパチンコ玉が払い出されるようにすると良い。例えば、基本払出玉数として１１６が設定されている場合には、払出度数が４に設定され、前述した払出制御基板２８と制御ユニット３２８との通信によって１００玉がパチンコ機２から払い出され、計数・端数払出ユニット３４０の返却貯留部３４２に端数の１６玉が払い出される。
【０１０１】
なお、この実施の形態では、計数・端数払出ユニット３４０の内部に設けられた貯留部に端数払出用のパチンコ玉を貯留するようにしているが、このような形態に限らず、端数相当のパチンコ玉を払い出す場合に、遊技島の玉供給経路から計数・端数払出ユニット３４０に供給されたパチンコ玉を払い出すようにしても良い。例えば、カードユニット３から上皿２３にパチンコ玉を供給するためのノズルを設けて、玉供給経路から供給されたパチンコ玉をノズルを通じて上皿２３に供給するようにしても良い。
【０１０２】
このような構成において、持玉払出、貯球払出、及び乗入れ払出が実行される場合には、制御ユニット３２８と払出制御基板２８との間の通信によらず、払い出されるパチンコ玉は全てノズルから供給するようにしても良く、払い出されるパチンコ玉のうち一単位数の整数倍は制御ユニット３２８と払出制御基板２８との間の通信に基づいて払い出し、一単位数未満の端数のみをノズルから供給するようにしても良い。
【０１０３】
（残額管理装置）
次に、本実施の形態の残額管理装置１００について、図４に基づき説明する。まず、本実施の形態に用いた残額管理装置１００は、図４に示すように、コンピュータ内部にてデータの送受を行うデータバス１０１に、該残額管理装置１００が実施する各種処理を行うＣＰＵ１０２、ワークメモリ等として使用されるＲＡＭ１０３、時刻情報やカレンダ情報を出力するＲＴＣ１０４、ハードディスク等からなる記憶装置１０５、キーボードやマウス等の入力装置１０６、各種の画面を表示出力する表示装置１０７、各種情報をプリント出力するプリンタ１０８、ローカルエリアネットワーク（ＬＡＮ）に接続されたカードユニット３（制御ユニット３２８）やカード発行・入金機等の各装置とのデータ通信を行う通信部１０９、カード会社に設置された残額管理サーバ１２とのデータ通信を行うデジタルサービスユニット（ＤＳＵ）１１０が接続された通常のコンピュータである。
【０１０４】
記憶装置１０５には、残額管理装置１００において実施される各種処理を行うための処理内容が記述された処理プログラムに加えて、会員カード及びビジターカードに残存するプリペイド残額を管理するための残額管理テーブル（図５参照）が記憶されている。
【０１０５】
残額管理テーブルには、図５に示すように、各ビジターカード及び各会員カードを個々に識別可能なカードＩＤに対応付けて、当該会員カードの発行を受けた会員遊技者の会員番号（会員カードのみ）と、プリペイド残額とが記憶されており、会員カードに記憶されているカードＩＤ若しくは会員番号、ビジターカードに記憶されているカードＩＤから、プリペイド残額を特定できるようになっている。
【０１０６】
カードユニット３の紙幣識別ユニット３２１により紙幣が受け付けられたときには、該カードユニット３と残額管理装置１００との間で通信が行われ、該受け付けた紙幣に応じた識別額が、カードユニット３にて受付中の会員カード又はビジターカードのカードＩＤに対応付けて残額管理テーブルで管理されているプリペイド残額に加算される。また、カードユニット３の制御ユニット３２８に記憶されているプリペイド残額も加算後のプリペイド残額に更新される。
【０１０７】
払出ボタン２１が操作され、受付中の会員カード又はビジターカードのプリペイド残額を使用したプリペイド払出が実行されるときには、該カードユニット３と残額管理装置１００との間で通信が行われ、カードユニット３にて受付中の会員カード又はビジターカードのカードＩＤに対応付けて残額管理テーブルで管理されているプリペイド残額から、使用金額（払出玉数×当該カードユニット３に記憶されている基本単価に相当）が減算される。また、カードユニット３の制御ユニット３２８に記憶されているプリペイド残額も減算後のプリペイド残額に更新される。
【０１０８】
（持玉管理装置）
次に、本実施の形態の持玉管理装置１４０について、図６に基づき説明する。まず、本実施の形態に用いた持玉管理装置１４０は、図６に示すように、コンピュータ内部にてデータの送受を行うデータバス１４１に、該管理コンピュータ１４０が実施する各種処理を行う中央演算処理装置（ＣＰＵ）１４２、ワークメモリ等として使用されるＲＡＭ１４３、時刻情報やカレンダ情報を出力するリアルタイムクロック（ＲＴＣ）１４４、ハードディスク等からなる記憶装置１４５、キーボードやマウス等の入力装置１４６、各種の画面を表示出力する表示装置１４７、各種情報をプリント出力するプリンタ１４８、ローカルエリアネットワーク（ＬＡＮ）に接続されたカードユニット３及び会員管理装置１５０、並びに景品交換用ＰＯＳ端末１７０等とのデータ通信を行う通信部１４９が接続された通常のコンピュータである。
【０１０９】
また、ＣＰＵ１４２は、前述したように、通信部１４９から各カードユニット３に対して定期的にオンライン確認要求を送信し、各カードユニットから装置ＩＤを含むオンライン確認応答を受信することにより、各カードユニット３とオンライン状態であるかオフライン状態であるかを検知可能である。また、会員管理装置１５０に対しても、定期的にオンライン確認要求を送信し、会員管理装置１５０からオンライン確認応答を受信することにより、会員管理装置１５０とオンライン状態であるかオフライン状態であるかを検知可能である。会員管理装置１５０とオフライン状態である場合には、カードユニット３に対してオフライン情報を送信する。
【０１１０】
ここで、会員管理装置１５０と持玉管理装置１４０との間でオンライン状態が成立している場合であっても、持玉管理装置１４０とカードユニット３との間ではオフライン状態となっている場合がある。このような場合には、持玉管理装置１４０は、ＣＵ３とのオフライン状態を通知するためのオフライン情報を会員管理装置１５０に送信する。オフライン情報を受信した会員管理装置１５０では、持玉管理装置１４０との間ではオンライン状態であるが、カードユニット３との間ではオフライン状態であることを把握することができるため、例えば、カードユニット３に対してのコマンドの送信を中断するといった制御を行うことが可能となる。
【０１１１】
記憶装置１４５には、持玉管理装置１４０において実施される各種処理を行うための処理内容が記述された処理プログラムに加えて、遊技者（会員カードを使用する会員遊技者及びビジターカードを使用するビジター遊技者）の所有価値である、当日において獲得された持玉数を管理するための持玉管理テーブル（図７参照）と、各カードユニット３の基本単価及び基本払出玉数、並びに各カードユニット３で受付中の会員カード又はビジターカードのカードＩＤを管理するためのＣＵ管理テーブル（図８参照）とが記憶されている。
【０１１２】
持玉管理テーブルには、図７に示すように、各カードＩＤ及び各会員番号（会員カードのみ）に対応付けて、当該会員カード又はビジターカードを使用した遊技者がその当日において獲得した獲得玉数の合計であって遊技や景品交換に未使用の玉数である持玉数が記憶されており、ビジターカードや会員カードに記憶されているカードＩＤ若しくは会員番号（会員カードのみ）から、当該遊技者が所有する持玉数を特定できるようになっている。
【０１１３】
なお、持玉管理テーブルに管理されている持玉数は、その当日のみ持玉数として管理されており、遊技場の営業終了後に遊技用システム１で実行される営業終了時処理において、会員カードのカードＩＤ及び会員番号に対応する持玉数は、会員管理装置１５０（貯玉管理テーブル）にて管理される当該会員カードのカードＩＤ及び会員番号に対応する貯玉数に加算された後、全て０にクリアされる。また、営業終了時処理においてビジターカードのカードＩＤに対応する持玉数は、全て０にクリアされる。
【０１１４】
また、営業終了時処理と同様に、後述する景品交換用ＰＯＳ端末１７０に会員カードが挿入されたとき（持玉管理装置１４０又は会員管理装置１５０が、景品交換用ＰＯＳ端末１７０に挿入された会員カードのカードＩＤ及び会員番号を景品交換用ＰＯＳ端末１７０から受信したとき）にも、当該会員カードのカードＩＤ及び会員番号に対応する持玉数が、当該会員カードのカードＩＤ及び会員番号に対応する貯玉数に加算された後、全て０にクリアされる。
【０１１５】
ここで、図７に示すように、持玉数は、遊技機での遊技に使用可能な遊技媒体の単価毎に管理されている。この例では、４円口座は単価４円の遊技媒体の持玉数、２円口座は単価２円の遊技媒体の持玉数、１円口座は単価１円の遊技媒体の持玉数を管理するための記憶領域であり、各口座の持玉数は、当該口座に対応した単価の遊技媒体を使用する遊技機での遊技で獲得した持玉数である。
【０１１６】
営業終了時処理が実行されたとき、及び、景品交換用ＰＯＳ端末１７０に会員カードが挿入されたときには、持玉管理テーブルにおける各口座の持玉数が、後述する貯玉管理テーブルにおける当該口座に対応した口座（同じ単価の口座）の貯玉数に加算されると共に、持玉管理テーブルにおける各口座の持玉数が全て０にクリアされる。カードＩＤがＫＣ−００００１（会員番号がＫ−００００１）の例では、図７に示すように、４円口座、２円口座、１円口座の持玉数が、それぞれ０、２００、３００となっており、図１０に示すように、４円口座、２円口座、１円口座の貯玉数が、それぞれ０、２０００、３０００となっている。この例では、営業終了時処理が実行されたとき、及び景品交換用ＰＯＳ端末１７０に会員カードが挿入されたときに、４円口座、２円口座、１円口座の貯玉数が、それぞれ０（０＋０）、２２００（２０００＋２００）、３３００（３０００＋３００）に更新され、４円口座、２円口座、１円口座の持玉数が、いずれも０にクリアされる。
【０１１７】
ＣＵ管理テーブルには、図８に示すように、各カードユニット３の装置ＩＤ（台番号）に対応付けて、当該カードユニットに対応して設けられる遊技機において使用可能な遊技媒体の単価である基本単価と、前述したプリペイド払出、持玉払出、貯玉払出、及び乗入れ払出で払い出されるパチンコ玉の数である基本払出玉数と、当該カードユニットにおいて受付中の会員カード又はビジターカードのカードＩＤである受付中カードＩＤと、が記憶されている。
【０１１８】
ここで記憶されている基本単価及び基本払出玉数は、遊技場の営業開始前に遊技用システム１で実行される営業開始時処理において、持玉管理装置１４０から各装置ＩＤのカードユニット３に送信され、制御ユニット３２８のＲＡＭ３２８ｂに記憶される。そして、パチンコ玉の払出（前述したプリペイド払出、持玉払出、貯玉払出、及び乗入れ払出）を実行するときに、各カードユニット３で記憶される基本払出玉数のパチンコ玉が払い出される。例えば、基本単価が４．００円の場合の基本払出玉数は１２５となっているため、制御ユニット３２８とパチンコ機２との間で通信が実行され、５度数相当の１２５玉が払い出されることになる。また、基本単価が２．００円及び１．００円の場合の基本払出玉数は２００となっているため、制御ユニット３２８とパチンコ機２との間で通信が実行され、８度数相当の２００玉が払い出されることになる。
【０１１９】
なお、本実施の形態では、プリペイド払出、持玉払出、貯玉払出、及び乗入れ払出の各種別の払出について共通の払出玉数（基本払出玉数である１２５）が設定されているが、このような形態に限らず、払出の種別に応じて異なる払出玉数を設定するようにしても良い。例えば、乗入れ払出についてのみ払出玉数を２００と設定して、算出される払出可能な玉数が２００以上となる場合にのみ乗入れ払出を実行可能としても良い。また、基本払出玉数未満の乗入れ払出を実行可能としても良い。例えば、乗入れ払出を持玉払出と同様に１玉から可能とし、算出される払出可能な玉数が１以上であれば乗入れ払出を実行可能としても良い。また、算出される払出可能な玉数が基本払出玉数未満であるが一単位数以上である場合には、一単位数の整数倍であって該払出可能な玉数を超えない最大数を乗入れ払出によって払い出すようにすると良い。
【０１２０】
（会員管理装置）
次に、本実施の形態の会員管理装置１５０について、図９に基づき説明する。まず、本実施の形態に用いた会員管理装置１５０は、図９に示すように、コンピュータ内部にてデータの送受を行うデータバス１５１に、該会員管理装置１５０が実施する各種処理を行うＣＰＵ１５２、ワークメモリ等として使用されるＲＡＭ１５３、時刻情報やカレンダ情報を出力するＲＴＣ１５４、ハードディスク等からなる記憶装置１５５、キーボードやマウス等の入力装置１５６、各種の画面を表示出力する表示装置１５７、各種情報をプリント出力するプリンタ１５８、ローカルエリアネットワーク（ＬＡＮ）に接続された持玉管理装置１４０及び景品交換用ＰＯＳ端末１７０等の各装置とのデータ通信を行う通信部１５９、貯玉管理期間に設置された貯玉管理サーバ１５とのデータ通信を行うデジタルサービスユニット（ＤＳＵ）１６０が接続された通常のコンピュータである。
【０１２１】
記憶装置１５５には、会員管理装置１５０において実施される各種処理を行うための処理内容が記述された処理プログラムに加えて、会員カードを所持する会員遊技者が所有する当日前に当該会員遊技者により獲得された貯玉数を管理するための貯玉管理テーブル（図１０参照）と、乗入れ払出を実行する場合に選択される乗入れ元口座の優先順位を管理する乗入れ優先順位テーブル（図１１参照）と、前述した持玉管理装置１４０から取得可能なＣＵ管理テーブルとが記憶されている。
【０１２２】
貯玉管理テーブルには、図１０に示すように、会員カードの各カードＩＤに対応付けて、当該会員カードの発行を受けた会員遊技者を個々に識別可能な会員識別情報である会員番号と、当該会員遊技者が当日前（ただし当日に景品交換用ＰＯＳ端末１７０の使用によって持玉数が貯玉数に移行された場合には、当該貯玉数も含まれる）において獲得した獲得玉数の合計であって遊技や景品交換に未使用の玉数である貯玉数とが記憶されており、会員カードに記憶されている会員カードＩＤ若しくは会員番号から、当該会員遊技者が所有する所有価値である貯玉数を特定できるようになっている。
【０１２３】
ここで、図１０に示すように、貯玉数は、遊技機での遊技に使用可能な遊技媒体の単価毎に管理されている。この例では、４円口座は単価４円の遊技媒体の貯玉数、２円口座は単価２円の遊技媒体の貯玉数、１円口座は単価１円の遊技媒体の貯玉数を管理するための記憶領域であり、各口座の貯玉数は、当該口座に対応した単価の遊技媒体を使用する遊技機での遊技で獲得した所有価値である。
【０１２４】
また、カードユニット３において表示部３１２に表示された貯玉払出ボタンが操作され、貯玉払出が実行されるときには、該カードユニット３と会員管理装置１５０との間で通信が行われ、カードユニット３にて受付中の会員カードの会員番号に対応付けて貯玉管理テーブルで管理されている各口座の貯玉数のうち、当該カードユニット３の装置ＩＤに対応した基本単価に対応した口座の貯玉数から、払出玉数が減算される。
【０１２５】
乗入れ優先順位テーブルには、図１１に示すように、貯玉管理テーブルで管理される各口座毎に、当該口座を乗入れ先口座とした場合の乗入れ元口座の優先順位が管理されている。本例では、４円口座を乗入れ先口座として乗入れ払出を実行するときは、優先順位１の４円口座、優先順位２の２円口座、優先順位３の１円口座の順序で貯玉数を減算する。また、２円口座を乗入れ先口座として乗入れ払出を実行するときは、優先順位１の２円口座、優先順位２の４円口座、優先順位３の１円口座の順序に貯玉数を減算する。また、１円口座を乗入れ先口座として乗入れ払出を実行するときは、優先順位１の１円口座、優先順位２の４円口座、優先順位３の２円口座の順序に貯玉数を減算する。
【０１２６】
即ち、本例では、乗入れ払出において減算対象とする乗入れ元口座の優先順位は、遊技媒体の単価が高い順序に従って設定されている。このような形態に限らず、乗入れ元口座の優先順位は、遊技媒体の単価が低い順序に従って設定されるようにしても良く、貯玉数が多い順序（又は少ない順序）に従って設定されるようにしても良い。
【０１２７】
また、乗入れ払出が実行されるときに減算対象とならない口座（優先順位を設定しない口座）を設けるようにしても良く、例えば、乗入れ先口座の貯玉数（基本単価に対応した口座の貯玉数）が残存している場合であっても、該乗入れ先口座の貯玉数は減算せずに、乗入れ元口座の貯玉数（基本単価とは異なる単価に対応した口座の貯玉数）のみを減算する乗入れ払出を実行するようにしても良い。また、乗入れ元口座の優先順位は、遊技場の管理者が会員管理装置１５０の入力装置１５６等を操作して設定するようにしても良く、遊技者がカードユニット３のタッチパネル３１４等を操作して設定するようにしても良い。
【０１２８】
図１１の乗入れ優先順位テーブルにおいて、各乗入れ先口座に対応した乗入れ元口座の優先順位は、持玉管理装置１４０を経由して、各乗入れ先口座に対応したカードユニット３に送信され、送信された優先順位は制御ユニット３２８に記憶される。この例では、ＣＵ管理テーブルにおける基本単価４円に対応した装置ＩＤのＣＵ３に対して、４円口座が優先順位１、２円口座が優先順位２、１円口座が優先順位３であることを指定する情報を送信する。また、ＣＵ管理テーブルにおける基本単価２円に対応した装置ＩＤのＣＵ３に対して、２円口座が優先順位１、４円口座が優先順位２、１円口座が優先順位３であることを指定する情報を送信する。また、ＣＵ管理テーブルにおける基本単価１円に対応した装置ＩＤのＣＵ３に対して、１円口座が優先順位１、４円口座が優先順位２、２円口座が優先順位３であることを指定する情報を送信する。
【０１２９】
なお、乗入れ払出を実行する場合の乗入れ元口座は複数に限らず１つのみであっても良い。例えば、４円口座が乗入れ先口座である場合に、２円口座のみを乗入れ元口座として選択可能としても良く、１円口座のみを乗入れ元口座として選択可能としても良い。また、乗入れ元口座として選択された１の口座（例えば２円口座又は１円口座のいずれか一方）の貯玉数のみを減算する乗入れ払出を実行するようにしても良く、乗入れ先口座（例えば４円口座）と乗入れ元口座として選択された１の口座（例えば２円口座又は１円口座のいずれか一方）の貯玉数を減算する乗入れ払出を実行するようにしても良い。
【０１３０】
また、記憶装置１５５には不図示の会員情報管理テーブルも記憶されており、該会員情報記憶テーブルでは、会員カードに記録されているカードＩＤ及び会員番号に対応付けて、当該会員番号により識別される会員遊技者が会員登録時に登録した氏名及び暗証番号が記憶されている。
【０１３１】
（景品交換用ＰＯＳ端末）
景品交換用ＰＯＳ端末１７０（以下、景品ＰＯＳ１７０と略記する）は、マイクロコンピュータが設けられ、このマイクロコンピュータには、制御中枢としてのＣＰＵ、ＣＰＵの制御動作プログラムを格納しているＲＯＭ、ＣＰＵのワークエリアとしてのＲＡＭ、外部機器との信号の入出力を行なうための入出力インターフェイスが設けられている。ＣＰＵは、入出力インターフェイスを介して、持玉管理装置１４０との間での情報の入出力、会員管理装置１５０との間での情報の入出力がそれぞれ可能となっている。また、景品ＰＯＳ１７０には、マイクロコンピュータに接続されるカードリーダライタ、表示装置、キーボード等の入力装置、バーコードリーダ等が設けられている。
【０１３２】
カードリーダライタにビジターカードが挿入されることにより、景品ＰＯＳ１７０と持玉管理装置１４０との間で通信が行われ、カードリーダライタで読み取られたビジターカードのカードＩＤに対応付けて持玉管理装置１４０で記憶されている各口座の持玉数が表示装置に表示される。この状態で、景品に付された景品価値（例えば１０００円相当）を示すバーコードをバーコードリーダで読み取ることにより、あるいは入力装置によって景品価値を入力することにより、該景品価値に相当する交換玉数（例えば４円なら２５０玉、２円なら５００玉、１円なら１０００玉）が、選択された口座（例えば４円口座、２円口座、及び１円口座のいずれか）の持玉数から減算される（これに伴い該交換玉数が、読み取られたカードＩＤに対応付けて持玉管理装置１４０で記憶されている当該口座の持玉数から減算される）ことで、持玉と景品とを交換可能となっている。
【０１３３】
また、カードリーダライタに会員カードが挿入されることにより、景品ＰＯＳ１７０と持玉管理装置１４０及び持玉管理装置１４０と貯玉管理装置１５０との間で通信が行われ、カードリーダライタで読み取られた会員カードのカードＩＤに対応付けて持玉管理装置１４０で記憶されている各口座（４円口座、２円口座、１円口座）の持玉数が、カードリーダライタで読み取られた会員カードの会員番号に対応付けて貯玉管理措置１５０で記憶されている対応する各口座（４円口座、２円口座、１円口座）の貯玉数に加算されると共に、持玉管理装置１４０で記憶されている各口座（４円口座、２円口座、１円口座）の持玉数が０に更新される。そして、該更新後の各口座の貯玉数が表示装置に表示される。
【０１３４】
この状態で、景品に付された景品価値を示すバーコードをバーコードリーダで読み取ることにより、あるいは入力装置によって景品価値を入力することにより、該景品価値に相当する交換玉数（例えば４円なら２５０玉、２円なら５００玉、１円なら１０００玉）が、選択された口座（例えば４円口座、２円口座、及び１円口座のいずれか）の貯玉数から減算される（これに伴い該交換玉数が、読み取られた会員番号に対応付けて会員管理装置１５０で記憶されている当該口座の貯玉数から減算される）ことで、貯玉と景品とを交換可能となっている。なお、更新後の貯玉数の一部のみを景品交換に使用し、残りの貯玉数は次回の遊技に使用することも可能であり、更新後の貯玉数の全てを次回の遊技に使用することも可能である。
【０１３５】
［第１実施形態に係る遊技用システムの処理］
以下、第１実施形態に係る遊技用システム１の動作、特にカードユニット３（以下ＣＵ３と略記する）、持玉管理装置１４０、及び会員管理装置１５０において実行される処理について説明する。
【０１３６】
まず、会員遊技者は、遊技を行う遊技機に対応したＣＵ３のカード挿入口に会員カードを挿入する。挿入された会員カードがカードＲ／Ｗ３２７により受け付けられると、制御ユニット３２８は、残額管理装置１００との通信により、受け付けた会員カードのカードＩＤに対応付けて残額管理装置１００で管理されているプリペイド残額を取得し、持玉管理装置１４０との通信により、該カードＩＤに対応付けて持玉管理装置１４０で管理されている各口座（４円口座、２円口座、１円口座）の持玉数を取得し、会員管理装置１５０との通信により、当該会員カードのカードＩＤ及び会員番号に対応付けて会員管理装置１５０で管理されている各口座（４円口座、２円口座、１円口座）の貯玉数及び暗証番号を取得して、取得したデータをＲＡＭ３２８ｂに記憶する。
【０１３７】
次いで、制御ユニット３２８は、表示部３１２に、０〜９の各数字に対応した数字キーを含む暗証番号入力画面（図示せず）を表示し、遊技者に暗証番号の入力を促す。遊技者が、暗証番号の各桁の数字に対応する数字キーをタッチして、４桁の暗証番号の入力が完了すると、制御ユニット３２８は、ＲＡＭ３２８ｂに記憶している暗証番号と入力された暗証番号との照合を実行する。
【０１３８】
会員管理装置１５０から取得した暗証番号と入力された暗証番号が一致しなければ（照合ＮＧならば）、暗証番号入力画面を再度表示する。一方、会員管理装置１５０から取得した暗証番号と入力された暗証番号が一致すれば（照合ＯＫならば）、暗証番号入力画面から図１９（１）のメイン画面に移行する。
【０１３９】
メイン画面（図１９（１）を参照）には、持玉管理装置１４０から送信されて記憶されている当該ＣＵ３に対応する基本単価及び基本払出玉数に基づいて、当該ＣＵ３が実行する払出処理（プリペイド払出、持玉払出、貯玉払出）により払い出される遊技媒体の単価（「１玉４円コーナー」）と、基本払出玉数（「１２５玉払出」）が表示部３１２の最上部に表示される。
【０１４０】
また、その下方には、残額管理装置１００から送信されてＲＡＭ３２８ｂに記憶されているプリペイド残額（本例では１０００円）が表示されている。なお、制御ユニット３２８は、受け付けた会員カードのカードＩＤに対応付けて残額管理装置１００で管理されているプリペイド残額と、受け付けた会員カードから読み取ったプリペイド残額の照合を実行し、一致すれば（照合ＯＫならば）残額管理装置１００から受信した（会員カードから読み取った）プリペイド残額を表示し、一致しなければ（照合ＮＧならば）、プリペイド残額を表示せず、多機能ランプ３０１を所定の発光態様とすることによりエラー報知を行う。
【０１４１】
また、その下方には、持玉管理装置１４０から送信されてＲＡＭ３２８ｂに記憶されている各口座（４円口座、２円口座、１円口座）の持玉数のうち、当該ＣＵ３に対応した基本単価（本例では４円）に対応した口座の持玉数（本例では１００玉）が表示されている。また、その下方には、貯玉管理装置１５０から送信されてＲＡＭ３２８ｂに記憶されている各口座（４円口座、２円口座、１円口座）の貯玉数のうち、当該ＣＵ３に対応した基本単価（本例では４円）に対応した口座の貯玉数（本例では１４０玉）が表示されている。
【０１４２】
さらに、その下方の貯玉払出操作領域３１２ａには、基本単価に対応した口座の貯玉数が一単位数以上であり、貯玉払出が実行可能となっていることに基づいて貯玉払出ボタンが有効態様（無効態様よりも濃い表示態様）で表示されている。なお、基本単価に対応した口座の貯玉数が一単位数未満であり、貯玉払出を実行できないときには、貯玉払出操作領域３１２ａに貯玉払出ボタンが無効態様（有効態様よりも薄い表示態様）で表示され（例えば、図１９（３）を参照）、該無効態様の貯玉払出ボタンが操作されたとしても貯玉払出は実行されない。
【０１４３】
さらに、その下方の乗入れ操作領域３１２ｂには、表示部３１２の表示画面をメイン画面から乗入れ画面に移行させるときに操作する乗入れ画面移行ボタンが表示される。乗入れ画面移行ボタンが操作されると、表示画面がメイン画面から乗入れ払出操作を実行可能な乗入れ画面（例えば、図１９（６）を参照）に移行する。
【０１４４】
会員カード挿入時の処理が完了した状態において、図１２に示すように、会員管理装置１５０で管理される４円口座の貯玉数が１４０、２円口座の貯玉数が１００、１円口座の貯玉数が８００であり（Ｓ１０００）、持玉管理装置１４０で管理される４円口座の持玉数が１００、２円口座の持玉数が０、１円口座の持玉数が０であるものとする（Ｓ１０１０）。そして、会員カードが挿入されたＣＵ３の基本単価が４円であり、基本払出玉数が１２５玉に設定されているものとする。
【０１４５】
このとき、図１９（１）に示すように、持玉数として１００、貯玉数として１４０が表示されている（図１２のＳ１０２０）。また、持玉数が０ではなく、持玉払出が可能な状態であることに基づいて、計数プレイＬＥＤ３１９ｂが点灯している（図１２のＳ１０２５）。そのため遊技者は、乗入れ払出を行わずとも、持玉払出によって遊技媒体が付与されることを認識できる。
【０１４６】
また、図１９（１）において、基本単価に対応した口座の貯玉数（１４０）が一単位数以上であることに基づいて、貯玉払出操作領域３１２ａに貯玉払出ボタンが有効態様で表示されている（図１２のＳ１０３０）。そのため遊技者は、乗入れ払出を行わずとも、貯玉払出によって遊技媒体が付与されることを認識できる。
【０１４７】
この状態で貯玉払出ボタンが操作されると（図１２のＳ１０４５）、４円口座の貯玉数（１４０）が基本払出玉数（１２５）以上であることに基づいて、制御ユニット３２８と払出制御基板２８との間で通信が行われ、基本払出玉数（５度数相当）のパチンコ玉が対応するパチンコ機２から払い出される貯玉払出が実行される（Ｓ１０５０）。このとき、図１９（２）に示すように、表示部３１２には、「払出中」と表示される。
【０１４８】
そして、図１９（３）に示すように、貯玉払出の実行に伴い、ＲＡＭ３２８ｂで記憶している基本単価に対応した４円口座の貯玉数（１４０）から基本払出玉数（５度数相当の１２５）が減算されて１５になると共に、表示部３１２に表示される当該口座の貯玉数も減算後の貯玉数に更新される（Ｓ１０６５）。
【０１４９】
ここで、本実施の形態において、貯玉払出が実行される場合には、持玉払出が実行される場合と異なり、ＣＵ３から持玉管理装置１４０に対しては、貯玉管理装置１５０で管理されている貯玉数を減算するための貯玉更新要求が送信される（図１２のＳ１０４６）。貯玉更新要求には、受け付けた会員カードから読み取られた会員番号と、各口座の貯玉数から減算する玉数と、が情報として含まれる。
【０１５０】
本例では、ＣＵ３の基本単価に対応した口座（優先順位１）の貯玉数のみを減算する貯玉払出が実行されているため、貯玉更新要求に含まれる４円引き落とし数（４円口座から減算する玉数）が１２５、２円引き落とし数（２円口座から減算する玉数）が０、１円引き落とし数（１円口座から減算する玉数）が０、となっている。持玉管理装置１４０のＣＰＵ１４２は、受信した貯玉更新要求を会員管理装置１５０に対して送信する（Ｓ１０４７）。
【０１５１】
ＣＵ３から送信され、持玉管理装置１４０により中継された貯玉更新要求を受信した会員管理装置１５０では、ＣＰＵ１５２が、該貯玉更新要求に含まれる会員番号に対応付けて貯玉管理テーブルで記憶している各口座の貯玉数から、指定された引き落とし数を減算する（Ｓ１０６０）。本例では、会員番号に対応する４円口座の貯玉数から基本払出玉数（４円引き落とし数１２５）を減算し、２円引き落とし数及び１円引き落とし数が０であることにより、２円口座の貯玉数及び１円口座の貯玉数は減算しない。減算後の貯玉数は、４円口座が１５、２円口座が１００、１円口座が８００となる。
【０１５２】
次いで、会員管理装置１５０のＣＰＵ１５２は、会員管理装置１５０により管理されている貯玉数の更新が完了したことを示す貯玉更新応答を持玉管理装置１４０に対して送信する（Ｓ１０６１）。持玉管理装置１４０のＣＰＵ１４２は、受信した貯玉更新応答をＣＵ３に対して送信する（Ｓ１０６２）。
【０１５３】
会員管理装置１５０から送信され、持玉管理装置１４０により中継された貯玉更新応答を受信したＣＵ３では、会員管理装置１５０において管理されている貯玉数が更新されたことを確認する。そして、制御ユニット３２８は、図１９（３）に示すように、記憶している基本単価（当該ＣＵ３の装置ＩＤに対応する基本単価）に対応した口座の貯玉数が一単位数未満であることに基づいて、貯玉払出操作領域３１２ａに貯玉払出ボタンを無効態様で表示する（Ｓ１０７０）。そのため遊技者は、貯玉払出によって遊技媒体の付与を受けることができないことを認識できる。
【０１５４】
ただし、図１９（３）において、貯玉払出が実行された後の貯玉数は一単位数未満の１５となったが、基本単価に対応した口座の持玉数（１００）が１以上であることに基づいて、計数プレイＬＥＤ３１９ｂは点灯状態のままである。そのため遊技者は、乗入れ払出を行わずとも、持玉払出によって遊技媒体が付与されることを認識できる。
【０１５５】
計数プレイボタン３１９が操作されると（図１２のＳ１１００）、４円口座の持玉数（１００）が基本払出玉数（１２５）未満であり、［一単位数（２５）×ｎ≦持玉数（１００）］となる最大のｎが４であることに基づいて、制御ユニット３２８と払出制御基板２８との間で通信が行われ、４度数相当のパチンコ玉が対応するパチンコ機２から払い出される持玉払出が実行される（Ｓ１１１０）。このとき、図１９（４）に示すように、表示部３１２には、「払出中」と表示され、乗入れ操作領域３１２ｂには乗入れ画面移行ボタンが表示されず、乗入れ払出を実行するための操作を行うことができない状態となる。
【０１５６】
このように、計数・端数払出ユニット３４０により計数された持玉数を減算する持玉払出が実行されている期間は、乗入れ操作領域３１２ｂを操作しても乗入れ払出を実行させないようにすることで、遊技者の混乱を防止するようにしている。そして、図１９（５）に示すように、持玉払出の実行に伴い、ＲＡＭ３２８ｂで記憶している基本単価に対応した４円口座の持玉数（１００）から払出玉数（４度数相当の１００）が減算されて０になると共に、表示部３１２に表示される当該口座の持玉数も減算後の持玉数に更新される（Ｓ１１２０）。そして、制御ユニット３２８は、持玉数が０となり、持玉払出を実行できないことに基づいて、計数プレイＬＥＤ３１９ｂを消灯する（Ｓ１１２５）。
【０１５７】
ここで、本実施の形態において、持玉払出が実行される場合には、貯玉払出や乗入れ払出が実行される場合と異なり、ＣＵ３から持玉管理装置１４０に対しては、持玉管理装置１４０で管理されている持玉数を減算するための情報が送信されず、持玉払出の実行に伴うＣＵ３と持玉管理装置１４０との通信処理が発生しない。また、計数・端数払出ユニット３４０により遊技媒体の計数が行われ、ＲＡＭ３２８ｂに記憶している持玉数（表示部３１２に表示されている持玉数）が更新されたときにも、ＣＵ３から持玉管理装置１４０に対しては、持玉管理装置１４０で管理されている持玉数を加算するための情報が送信されず、計数処理の実行に伴うＣＵ３と持玉管理装置１４０との通信処理が発生しない。
【０１５８】
即ち、持玉管理装置１４０において管理されている持玉数は、ＣＵ３からビジターカード又は会員カードが返却されるとき、営業終了時処理において持玉数が貯玉数に加算されるとき、及び、後述する貯玉移行処理が実行されるときにのみ更新されるようになっている。ＣＵ３での持玉払出及び計数処理が実行されるときには、持玉管理装置１４０において管理されている持玉数は更新されないため、ＣＵ３と持玉管理装置１４０との間での通信は不要となっている。
【０１５９】
このように、持玉数が更新されたときには、ＣＵ３で記憶されている持玉数は更新されるものの、持玉管理装置１４０で管理されている持玉数は更新されないようにすることで、持玉数の更新に伴う通信量の増加を抑制し、遊技用システムの処理負担を軽減するようにしている。後述するように、持玉管理装置１４０で管理されている持玉数の更新は、会員カードがカードＲ／Ｗ３２７から返却されるときに行われるようにしている。
【０１６０】
Ｓ１０４６〜Ｓ１０６２における貯玉払出及びこれに伴う処理の完了後、図１３に示すように、会員管理装置１５０で管理されている４円口座の貯玉数は１５、２円口座の貯玉数は１００、１円口座の貯玉数は８００となっている（Ｓ２０００）。また、持玉管理装置１４０で管理されている持玉数は、会員カード受付時から更新されておらず、４円口座の持玉数は１００、２円口座の持玉数は０、１円口座の持玉数は０となっている（Ｓ２０１０）。このとき、図１９（５）に示すように、持玉数の表示（ＣＵ３で記憶している４円口座の持玉数）は０であり、貯玉数の表示（ＣＵ３で記憶している４円口座の貯玉数）は１５である（図１３のＳ２０２０）。
【０１６１】
遊技者は、計数プレイＬＥＤ３１９ｂが点灯していないことにより、計数プレイボタン３１９を操作したとしても、持玉払出が実行されないことを把握して、乗入れ払出により遊技媒体の付与を受けるべく、メイン画面の乗入れ操作領域３１２ｂに表示された乗入れ画面移行ボタンを操作して、表示画面をメイン画面から図１９（６）の乗入れ画面に切り替える（図１３のＳ２０３０）。乗入れ画面では、メイン画面における持玉数及び貯玉数に代えて、乗入れ先口座（本例では４円口座）及び乗入れ元口座（本例では２円口座及び１円口座）の各口座の貯玉数と、乗入れ払出可能玉数が表示される。
【０１６２】
なお、図１９（６）の乗入れ画面の最下部に表示される「戻る」ボタンを操作すると、図１９（５）のメイン画面に戻る。図１９（６）の乗入れ画面には、乗入れ払出によって払出可能な玉数である乗入れ払出可能玉数が表示される。この乗入れ払出可能玉数は以下のようにして算出される。
【０１６３】
ここで、乗入れ元口座として、乗入れ元口座１、乗入れ元口座２、…、乗入れ元口座ｍ、のｍ個の口座を選択可能であるものとし、乗入れ元口座１に対応する乗入れ元単価を乗入れ元単価１、乗入れ元口座２に対応する乗入れ元単価を乗入れ元単価２、…、乗入れ元口座ｍに対応する乗入れ元単価を乗入れ元単価ｍとする。このとき、［乗入れ先口座の貯玉数＋（乗入れ元口座１の貯玉数×乗入れ元単価１÷乗入れ先単価）＋（乗入れ元口座２の貯玉数×乗入れ元単価２÷乗入れ先単価）＋…＋（乗入れ元口座ｍの貯玉数×乗入れ元単価ｍ÷乗入れ先単価）］以下となる基本払出玉数の倍数の最大値が乗入れ払出可能玉数となる。
【０１６４】
制御ユニット３２８は、算出した乗入れ払出可能玉数をＲＡＭ３２８ｂに記憶すると共に、乗入れ操作領域３１２ｂの上方に表示する。本例では、４円口座を乗入れ先口座とした場合に、２円口座及び１円口座の２つの口座を乗入れ元口座として選択可能であるため、上記の式が［１５玉＋（１００玉×２円÷４円）＋（８００玉×１円÷４円）］＝２６５玉となる。これを超えない基本払出玉数の倍数（１２５×ｎ）は２５０となる（ｎ＝２）。従って、図１９（６）に表示されている乗入れ払出可能玉数は２５０となっている（Ｓ２０５５）。
【０１６５】
このように、乗入れ払出によって払出可能な玉数を表示して遊技者に把握させることで、乗入れ払出によって遊技媒体の付与を受けようとする遊技者の利便性を向上させることができる。なお、この実施の形態のように、１回の乗入れ払出によって払い出される玉数がＣＵ３毎に固定されている（本例ではＣＵ３が記憶する基本払出玉数相当の１２５である）場合には、乗入れ払出を実行可能な回数（本例では２５０÷２＝２回）を表示するようにしても良い。
【０１６６】
また、乗入れ払出可能玉数が基本払出玉数以上であることに基づいて、乗入れ操作領域３１２ｂには、乗入れ払出ボタンが有効態様（後述する無効態様よりも濃い表示態様）で表示される（図１３のＳ２０５６）。遊技者は乗入れ払出ボタンが有効態様で表示されていることにより、乗入れ払出ボタンを操作することにより乗入れ払出が実行されることを把握することができる。
【０１６７】
そして、図１９（６）の乗入れ画面において、乗入れ払出ボタンが操作されると（図１３のＳ２０６０）、乗入れ払出可能玉数（２５０）が基本払出玉数（１２５）以上であることに基づいて、制御ユニット３２８と払出制御基板２８との間で通信が行われ、基本払出玉数（５度数相当）のパチンコ玉が対応するパチンコ機２から払い出される乗入れ払出が実行される（Ｓ２０７０）。このとき、図１９（７）に示すように、表示部３１２には、「払出中」と表示され、乗入れ操作領域３１２ｂには乗入れ払出ボタンが表示されず、乗入れ払出を実行するための乗入れ操作を行うことができない（仮に乗入れ操作領域３１２ｂを操作したとしても乗入れ払出は連続して実行されない）状態となる。
【０１６８】
そして、図１９（８）に示すように、乗入れ払出の実行に伴い、ＲＡＭ３２８ｂで記憶している乗入れ払出可能玉数（２５０）から基本払出玉数（５度数相当の１２５）が減算されて１２５になると共に、表示部３１２に表示される乗入れ払出可能玉数も、減算後の乗入れ払出可能玉数に更新される（Ｓ２０８５）。また、制御ユニット３２８で記憶している優先順位１〜３の各口座（４円口座，２円口座，１円口座）の貯玉数から、以下のようにして算出された各引き落とし数（１５，１００，２４０）を減算する。
【０１６９】
なお、図１９（７）や後述する図１９（９）等に示す乗入れ払出が実行されているときの画面あるいはその前後の画面において、各口座（４円，２円，１円）から減算される玉数を表示するようにしても良い。
【０１７０】
ここで、本実施の形態において、乗入れ払出が実行される場合には、貯玉払出が実行される場合と同様に、ＣＵ３から持玉管理装置１４０に対しては、貯玉管理装置１５０で管理されている貯玉数を減算するための貯玉更新要求が送信される（図１３のＳ２０６５）。貯玉更新要求には、受け付けた会員カードから読み取られた会員番号と、各口座の貯玉数から減算する玉数と、が情報として含まれる。各口座の貯玉数から減算すべき玉数（引き落とし数）は以下のようにして算出される。
【０１７１】
本例では、優先順位１（乗入れ先口座）である４円口座の貯玉数２５玉が基本払出玉数１２５玉未満であるため、４円口座の貯玉数は全数使用され、４円口座からの減算玉数（４円引き落とし数）は４円口座の貯玉数（１５玉）となる。そして、優先順位２（最優先の乗入れ元口座）である２円口座の貯玉数１００玉を乗入れ先単価４円の玉数に換算すると、［（１００玉×２円÷４円）＝５０玉］であり、払い出すべき残り玉数である［１２５玉−１５玉＝１１０玉］未満であるため、２円口座の貯玉数は全数使用され、２円口座からの減算玉数（２円引き落とし数）は２円口座の貯玉数（１００玉）となる。そして、優先順位３（次に優先される乗入れ元口座）である１円口座の貯玉数８００玉を乗入れ先単価４円の玉数に換算すると、［（８００玉×１円÷４円）＝２００玉］であり、払い出すべき残り玉数である［１２５玉−１５玉−５０玉＝６０玉］以上であるため、１円口座の貯玉数から、払い出すべき残り玉数に相当する玉数が使用され、１円口座からの減算玉数（１円引き落とし数）は［（１２５玉−１５玉−５０玉）×４円÷１円＝２４０玉］となる。
【０１７２】
このようにして、ＣＵ３に記憶されている優先順位に基づいて各貯玉口座から減算されるべき玉数が算出される。なお、本実施の形態においては、当該ＣＵ３に記憶されている基本単価に対応した口座の持玉数が１以上である場合であっても、メイン画面から乗入れ画面への切り替え操作（Ｓ２０３０における乗入れ画面移行ボタンの操作）及び乗入れ画面における乗入れ払出を実行させる操作（Ｓ２０６０における乗入れ払出ボタンの操作）の受付が可能となっている。
【０１７３】
従って、計数プレイＬＥＤ３１９ｂが点灯しており持玉払出が可能であると共に、乗入れ払出ボタンが有効態様で表示されており乗入れ払出が可能となる場合がある。このような場合には、計数プレイボタン３１９が操作されたときに持玉払出が実行され、乗入れ払出ボタンが操作されたときには乗入れ払出が実行される。従って、遊技者は、持玉払出及び乗入れ払出のいずれを実行させるかを操作により選択可能となっている。
【０１７４】
この実施の形態では、当該ＣＵ３に記憶されている基本単価に対応した口座の貯玉数が一単位数以上であり、貯玉払出を実行可能なときにも、貯玉払出ボタンが表示される貯玉払出操作領域３１２ａと、乗入れ画面移行ボタン及び乗入れ払出ボタンが表示される乗入れ払出操作領域３１２ｂとが別の領域に設けられているため、メイン画面から乗入れ画面への切り替え操作（Ｓ２０３０における乗入れ画面移行ボタンの操作）及び乗入れ画面における乗入れ払出を実行させる操作（Ｓ２０６０における乗入れ払出ボタンの操作）の受付が可能となっている。従って、遊技者は、貯玉払出及び乗入れ払出のいずれを実行させるかを操作により選択可能となっている。
【０１７５】
このような構成において、乗入れ先口座（基本単価に対応した優先順位１の口座）の貯玉数が基本払出玉数以上である状態で、乗入れ払出ボタンが有効態様で表示される場合がある。このような場合には、乗入れ払出ボタンが操作されたときに、乗入れ先口座の貯玉数のみを減算して基本払出玉数を払い出す貯玉払出が実行されるものとする。即ち、貯玉払出を実行可能であるが優先順位の関係で乗入れ払出は実行できない（優先順位１となる乗入れ先口座の貯玉数のみを減算すれば足りる）ときに、乗入れ払出を実行させる操作を受け付けた場合には、貯玉払出が実行されるようにしている。
【０１７６】
なお、本実施の形態においては、当該ＣＵ３に記憶されている基本単価に対応した口座の貯玉数が一単位数以上であり貯玉払出を実行可能なときにも、乗入れ払出を実行可能としているが、このような形態に限らず、当該ＣＵ３に記憶されている基本単価に対応した口座の貯玉数が一単位数未満であり貯玉払出を実行できないときにのみ、乗入れ払出を実行可能としても良い。例えば、当該ＣＵ３に記憶されている基本単価に対応した口座の貯玉数が一単位数未満であり貯玉払出を実行できないときにのみ、メイン画面の乗入れ操作領域３１２ｂに乗入れ画面移行ボタンが表示される、あるいは、乗入れ画面の乗入れ操作領域３１２ｂに乗入れ払出ボタンが有効態様で表示されるようにしても良い。
【０１７７】
仮に、このような構成とする場合には、貯玉払出を実行させる操作領域と乗入れ払出を実行させる操作領域を共通領域とし、貯玉払出を実行可能なときに該共通領域が操作された場合には貯玉払出を実行し、貯玉払出を実行できないが乗入れ払出を実行可能なときに該共通領域が操作された場合には乗入れ払出を実行するようにすると良い。例えば、貯玉払出ボタンをメイン画面の貯玉払出操作領域３１２ａではなく乗入れ操作領域３１２ｂに表示させるようにして、当該ＣＵ３に記憶されている基本単価に対応した口座の貯玉数が一単位数以上であり貯玉払出を実行可能なときには、メイン画面の乗入れ操作領域３１２ｂに貯玉払出ボタンを表示するようにし、該貯玉数が一単位数未満であり貯玉払出を実行できないときには、メイン画面の乗入れ操作領域３１２ｂに乗入れ画面移行ボタンを表示するようにし、該貯玉数が一単位数未満であり且つ乗入れ払出可能玉数が基本払出玉数以上である場合には、メイン画面から移行した乗入れ画面の乗入れ操作領域３１２ｂに乗入れ払出ボタンを有効態様で表示するようにすると良い。
【０１７８】
なお、本実施の形態では、当該ＣＵ３に記憶されている基本単価に対応した口座の貯玉数が一単位数以上であるときにのみ貯玉払出を実行可能としているが、このような形態に限らず、当該ＣＵ３に記憶されている基本単価に対応した口座の貯玉数が１以上である場合に貯玉払出を実行可能としても良い。なお、貯玉払出ボタンや乗入れ払出ボタンは、表示部３１２に表示させるものではなく、突出部３０５の筐体に設ける（これに対応した操作検出スイッチも別個に設ける）ようにしても良い。
【０１７９】
本実施の形態において、乗入れ払出が実行される場合には、貯玉払出が実行される場合と同様に、ＣＵ３から持玉管理装置１４０に対しては、貯玉管理装置１５０で管理されている貯玉数を減算するための貯玉更新要求が送信される（図１３のＳ２０６５）。本例では、前述したように、優先順位１の４円口座、優先順位２の２円口座、及び優先順位３の１円口座の貯玉数をそれぞれ減算する乗入れ払出が実行されており、貯玉更新要求に含まれる４円引き落とし数（４円口座から減算する玉数）が１５、２円引き落とし数（２円口座から減算する玉数）が１００、１円引き落とし数（１円口座から減算する玉数）が２４０、となっている。持玉管理装置１４０のＣＰＵ１４２は、受信した貯玉更新要求を会員管理装置１５０に対して送信する（Ｓ２０６６）。
【０１８０】
ＣＵ３から送信され、持玉管理装置１４０により中継された貯玉更新要求を受信した会員管理装置１５０では、ＣＰＵ１５２が、該貯玉更新要求に含まれる会員番号に対応付けて貯玉管理テーブルで記憶している各口座の貯玉数から、指定された引き落とし数を減算する（Ｓ２０８０）。本例では、会員番号に対応する４円口座の貯玉数から４円引き落とし数１５を減算し、２円口座の貯玉数から２円引き落とし数１００を減算し、１円口座の貯玉数から１円引き落とし数２４０を減算する。減算後の貯玉数は、４円口座が０、２円口座が０、１円口座が５６０となる。
【０１８１】
次いで、会員管理装置１５０のＣＰＵ１５２は、会員管理装置１５０により管理されている貯玉数の更新が完了したことを示す貯玉更新応答を持玉管理装置１４０に対して送信する（Ｓ２０８１）。持玉管理装置１４０のＣＰＵ１４２は、受信した貯玉更新応答をＣＵ３に対して送信する（Ｓ２０８２）。会員管理装置１５０から送信され、持玉管理装置１４０により中継された貯玉更新応答を受信したＣＵ３では、会員管理装置１５０において管理されている貯玉数が更新されたことを確認する。
【０１８２】
これにより、図１９（８）に示すように、乗入れ払出可能玉数は１２５に更新され、ＣＵ３で記憶されている各口座の貯玉数は、４円口座が０、２円口座が０、１円口座が５６０に更新される。そして、制御ユニット３２８は、図１９（８）に示すように、減算後の乗入れ払出可能玉数が基本払出玉数以上であることに基づいて、乗入れ操作領域３１２ｂに乗入れ払出ボタンを有効態様で表示する。なお、図１９（８）では、制御ユニット３２８は、記憶している基本単価（当該ＣＵ３の装置ＩＤに対応する基本単価）に対応した口座の持玉数が０であることに基づいて、計数プレイＬＥＤ３１９ｂを消灯している。そのため遊技者は、持玉払出を実行できないが、乗入れ払出によって遊技媒体が付与されることを認識できる。
【０１８３】
Ｓ２０６５〜Ｓ２０８２における乗入れ払出及びこれに伴う処理の完了後、図１４に示すように、会員管理装置１５０で管理されている４円口座の貯玉数は０、２円口座の貯玉数は０、１円口座の貯玉数は５６０となっている（Ｓ３０００）。また、持玉管理装置１４０で管理されている持玉数は、会員カード受付時から更新されておらず、４円口座の持玉数は１００、２円口座の持玉数は０、１円口座の持玉数は０となっている（Ｓ３０１０）。このとき、図１９（８）に示すように、乗入れ払出可能玉数の表示は１２５である（図１４のＳ３０２０）。
【０１８４】
そして、図１９（８）の乗入れ画面において、乗入れ払出ボタンが操作されると（図１４のＳ３０２５）、乗入れ払出可能玉数（［５６０玉×１円÷４円＝１４０玉≧１２５玉］であるため、乗入れ払出可能玉数は１２５玉となる）が基本払出玉数（１２５）以上であることに基づいて、制御ユニット３２８と払出制御基板２８との間で通信が行われ、基本払出玉数（５度数相当）のパチンコ玉が対応するパチンコ機２から払い出される乗入れ払出が実行される（Ｓ３０３０）。このとき、図１９（９）に示すように、表示部３１２には、「払出中」と表示され、乗入れ操作領域３１２ｂには乗入れ払出ボタンが表示されず、乗入れ払出を実行するための乗入れ操作を行うことができない（仮に乗入れ操作領域３１２ｂを操作したとしても乗入れ払出は連続して実行されない）状態となる。
【０１８５】
そして、図１９（１０）に示すように、乗入れ払出の実行に伴い、ＲＡＭ３２８ｂで記憶している乗入れ払出可能玉数（１２５）から基本払出玉数（５度数相当の１２５）が減算されて０になると共に、表示部３１２に表示される乗入れ払出可能玉数も減算後の貯玉数に更新される（Ｓ３０５０）。また、制御ユニット３２８で記憶している優先順位１〜３の各口座（４円口座，２円口座，１円口座）の貯玉数から、以下のようにして算出された各引き落とし数（０，０，５００）を減算する。
【０１８６】
本例では、優先順位１（乗入れ先口座）である４円口座及び優先順位２（最優先の乗入れ元口座）である２円口座の貯玉数がいずれも０玉である。そして、優先順位３（次に優先される乗入れ元口座）である１円口座の貯玉数５６０玉を乗入れ先単価４円の玉数に換算すると、［５６０玉×１円÷４円＝１４０玉］であり、基本払出玉数以上となるため、１円口座からの減算玉数（１円引き落とし数）は、［基本単価×基本払出玉数］相当の、［４円×１２５玉÷１円＝５００玉］となる。
【０１８７】
ここで、前述したように、ＣＵ３から持玉管理装置１４０に対しては、貯玉管理装置１５０で管理されている貯玉数を減算するための貯玉更新要求が送信される（図１４のＳ３０２６）。本例では、前述したように、優先順位３の１円口座の貯玉数のみを減算する乗入れ払出が実行されており、貯玉更新要求に含まれる４円引き落とし数（４円口座から減算する玉数）が０、２円引き落とし数（２円口座から減算する玉数）が０、１円引き落とし数（１円口座から減算する玉数）が５００、となっている。持玉管理装置１４０のＣＰＵ１４２は、受信した貯玉更新要求を会員管理装置１５０に対して送信する（Ｓ３０２７）。
【０１８８】
ＣＵ３から送信され、持玉管理装置１４０により中継された貯玉更新要求を受信した会員管理装置１５０では、ＣＰＵ１５２が、該貯玉更新要求に含まれる会員番号に対応付けて貯玉管理テーブルで記憶している各口座の貯玉数から、指定された引き落とし数を減算する（Ｓ３０４０）。本例では、会員番号に対応する１円口座の貯玉数から１円引き落とし数５００を減算する。減算後の貯玉数は、４円口座が０、２円口座が０、１円口座が６０となる。
【０１８９】
次いで、会員管理装置１５０のＣＰＵ１５２は、会員管理装置１５０により管理されている貯玉数の更新が完了したことを示す貯玉更新応答を持玉管理装置１４０に対して送信する（Ｓ３０４１）。持玉管理装置１４０のＣＰＵ１４２は、受信した貯玉更新応答をＣＵ３に対して送信する（Ｓ３０４２）。会員管理装置１５０から送信され、持玉管理装置１４０により中継された貯玉更新応答を受信したＣＵ３では、会員管理装置１５０において管理されている貯玉数が更新されたことを確認する。
【０１９０】
これにより、図１９（１０）に示すように、乗入れ払出可能玉数は０に更新され、ＣＵ３で記憶されている各口座の貯玉数は、４円口座が０、２円口座が０、１円口座が６０に更新される。そして、制御ユニット３２８は、図１９（１０）に示すように、減算後の乗入れ払出可能玉数が基本払出玉数未満である（乗入れ払出によって付与可能な遊技媒体数が０である）ことに基づいて、乗入れ操作領域３１２ｂに乗入れ払出ボタンを無効態様（前述した有効態様よりも薄い表示態様）で表示する（Ｓ３０６０）。
【０１９１】
なお、図１９（１０）では、制御ユニット３２８は、記憶している基本単価（当該ＣＵ３の装置ＩＤに対応する基本単価）に対応した口座の持玉数が０であることに基づいて、計数プレイＬＥＤ３１９ｂを消灯している。そのため遊技者は、持玉払出を実行できず、また、乗入れ払出ボタンが無効態様となっていることにより、仮に乗入れ払出ボタンを操作したとしても乗入れ払出が実行されないことを認識できる。
【０１９２】
次いで、制御ユニット３２８は、乗入れ払出可能玉数が０であり乗入れ払出は実行できないが乗入れ元口座の貯玉数が０ではない（本例では、乗入れ払出可能玉数が０であり１円口座の貯玉数が６０玉となっている）ことに基づいて、乗入れ払出を実行可能とするために必要な残り計数玉数である必要計数玉数を算出する必要計数玉数算出処理（図１５）を実行する。
【０１９３】
この実施の形態では、後述するように、ＣＵ３における貯玉移行操作によって、１以上の口座の持玉数の一部又は全部を、対応する口座の貯玉数に移行する貯玉移行処理を実行可能となっている。従って、乗入れ元口座の貯玉数が残存しているということは、乗入れ先口座の貯玉数が貯玉移行処理によって所定数に達することにより乗入れ払出が実行可能になるということであるため、そのために必要な計数玉数を算出するものである。即ち、貯玉移行処理後の各口座の貯玉数に基づいて乗入れ払出を実行可能とするために、現在の持玉数に加算すべき玉数を必要計数玉数として算出し、算出された必要計数玉数を遊技者に報知するようにしている。
【０１９４】
図１５の必要計数玉数算出処理において、制御ユニット３２８は、Ｓ１００で、乗入れ先口座（本例では４円）の貯玉数に、対応する口座（４円）の現在の持玉数を仮加算すると共に、各乗入れ元口座（本例では２円，１円）の貯玉数に、対応する口座（２円，１円）の現在の持玉数を仮加算する。この仮加算においては、制御ユニット３２８で記憶している表示制御用の各口座の貯玉数及び持玉数の元データは更新されておらず、あくまで必要計数玉数算出処理用にコピーされた各口座の貯玉数及び持玉数のデータが仮加算の対象となる。
【０１９５】
ここで、乗入れ先口座の貯玉数に仮加算する現在の持玉数とは、ビジターカード又は会員カードがＣＵ３に挿入されたときに持玉管理装置１４０から取得され、その後の持玉払出により払出玉数が減算されたり、あるいは、計数処理により計数玉数が加算されたりした後の更新後の持玉数である。また、カード貯留部からビジターカードがカードＲ／Ｗ３２７に供給されたときに０であり、その後の計数処理により計数玉数が加算されたり、あるいは、持玉払出により払出玉数が減算されたりした後の持玉数である。
【０１９６】
本例では、Ｓ１００で、乗入れ先口座である４円口座の貯玉数（０玉）に４円口座の持玉数（０玉）を仮加算し、乗入れ元口座である２円口座の貯玉数（０玉）に２円口座の持玉数（０玉）を仮加算し、乗入れ元口座である１円口座の貯玉数（６０玉）に１円口座の持玉数（０玉）を仮加算する。即ち、仮加算後の各口座の貯玉数は４円口座が０、２円口座が０、１円口座が６０となる。ここでは、貯玉数に仮加算する対象となる持玉数は、持玉管理装置１４０で管理されている各口座の持玉数ではなく、制御ユニット３２８のＲＡＭ３２８ｂに記憶されている各口座の持玉数である。
【０１９７】
次いで、制御ユニット３２８は、Ｓ１０１で、仮加算後の乗入れ元口座の貯玉数を乗入れ先口座の貯玉数に換算する。本例では、［仮加算後の２円口座の貯玉数（０玉）×２円÷４円］により、仮加算後の２円口座の貯玉数を４円口座の玉数に換算し、［仮加算後の１円口座の貯玉数（６０玉）×１円÷４円］により、仮加算後の１円口座の貯玉数を４円口座の玉数に換算する。即ち、仮加算後の２円口座の貯玉数を４円口座の玉数に換算した換算玉数は０、仮加算後の１円口座の貯玉数を４円口座の玉数に換算した換算玉数は１５となる。
【０１９８】
次いで、制御ユニット３２８は、Ｓ１０２で、仮加算後の乗入れ先口座の貯玉数と、算出された換算玉数との合算玉数を算出する。この例では、［仮加算後の乗入れ先口座の貯玉数（０）＋仮加算後の２円口座の貯玉数を４円口座の玉数に換算した換算玉数（０）＋仮加算後の１円口座の貯玉数を４円口座の玉数に換算した換算玉数（１５）］により、合算玉数が算出される。即ち、合算玉数は１５となる。
【０１９９】
次いで、制御ユニット３２８は、Ｓ１０３で、算出された合算玉数が基本払出玉数に達しているか否かを判定する。ここで、算出された合算玉数が基本払出玉数以上であるということは、１以上の口座の持玉数の一部又は全部を対応する口座の貯玉数に移行する貯玉移行処理を行うことで乗入れ払出が実行可能となるということであり（即ち必要計数玉数が０であるということであり）、算出された合算玉数が基本払出玉数未満であるということは、仮に貯玉移行処理を行ったとしても乗入れ払出を実行できない（即ち必要計数玉数が１以上である）ということである。
【０２００】
制御ユニット３２８は、Ｓ１０３で、合算玉数が基本払出玉数以上であれば（Ｙｅｓ）、Ｓ１１０で、乗入れ画面の乗入れ操作領域３１２ｂに貯玉移行ボタンを表示し、さらに、Ｓ１１１で、乗入れ画面に「貯玉移行で乗入れ可」のメッセージを表示して必要計数玉数算出処理を終了する。これにより、遊技者は、貯玉移行ボタンを操作することで乗入れ払出が実行可能となることを把握することができる。
【０２０１】
一方、制御ユニット３２８は、Ｓ１０３で、合算玉数が基本払出玉数未満であれば（Ｎｏ）、Ｓ１０４で、合算玉数と基本払出玉数との差分を算出し、Ｓ１０５で、乗入れ画面に「××玉計数で乗入れ可」のメッセージを表示して必要計数玉数算出処理を終了する。これにより、遊技者は、算出された差分相当（××玉）のパチンコ玉を計数させて、その後に表示される貯玉移行ボタンを操作することで、乗入れ払出が実行可能となることを把握することができる。
【０２０２】
この例では、合算玉数（１５）が基本払出玉数（１２５）に満たないため、Ｓ１０３ではＮｏと判定され、Ｓ１０４では差分が１２５玉−１５玉＝１１０玉と算出され、Ｓ１０５では、「１１０玉計数で乗入れ可」と表示されることになる。
【０２０３】
従って、制御ユニット３２８は、図１９（１０）で乗入れ払出可能玉数が０玉となったことを報知した後に、上記の必要計数玉数算出処理が実行されたことに基づいて、所定時間経過後（例えば５秒経過後）に、図１９（１１）に示すように、乗入れ画面に「１１０玉計数で乗入れ可」のメッセージを表示するようにしている（図１４のＳ３０７０）。なお、乗入れ払出可能玉数と「××玉計数で乗入れ可」のメッセージを乗入れ画面上に同時に表示するようにしても良い。
【０２０４】
なお、この実施の形態では、算出された合算玉数が基本払出玉数以上である場合にのみ（必要計数玉数が０である場合にのみ）、貯玉移行ボタンを乗入れ操作領域３１２ｂに表示して貯玉移行操作を受付可能としているが、このような形態に限らず、算出された合算玉数が基本払出玉数未満である場合にも（必要計数玉数が０ではない場合にも）、貯玉移行操作を受付可能としても良い。そのような構成において、貯玉移行操作が行われることにより、表示されている必要計数玉数が更新されるようにすると良く、例えば、必要計数玉数が１００のとき（「１００玉計数で乗入れ可」の表示）で、２５玉相当の貯玉移行処理が実行された場合には、必要計数玉数が７５に更新される（「７５玉計数で乗入れ可」と表示される）ようにすると良い。
【０２０５】
上記の例において、プリペイド残額を使用するプリペイド払出を実行する場合には、払出ボタン２１を操作することにより、プリペイド残額（本例では１０００円）が、基本単価及び基本払出玉数に応じた額（４円×１２５＝５００円）以上であることに基づいて、制御ユニット３２８と払出制御基板２８との間で通信が行われ、基本払出玉数（５度数相当）のパチンコ玉が対応するパチンコ機２から払い出されるプリペイド払出が実行される。
【０２０６】
そして、プリペイド払出の実行に伴い、ＲＡＭ３２８ｂで記憶しているプリペイド残額（１０００円）から基本払出玉数相当の消費額（５度数相当の１２５玉×４円＝５００円）が減算されて５００円になると共に、表示部３１２に表示されるプリペイド残額も減算後のプリペイド残額に更新される。ＣＵ３におけるプリペイド払出に伴い、受け付けた会員カードから読み取られたカードＩＤとプリペイド払出における消費額（５００円）とを含む消費情報が残額管理装置１００に送信される。残額管理装置１００では、受信した消費情報が指定する消費額を、該消費情報が指定するカードＩＤに対応付けて管理されているプリペイド残額から減算して、減算完了通知をＣＵ３に送信する。減算完了通知を受信したＣＵ３では、残額管理装置１００で管理されているプリペイド残額の更新が完了したことを完了する。
【０２０７】
次に、遊技機での遊技が終了し、返却ボタン２２が操作されると（図１４のＳ３１００）、会員カードから読み取られたカードＩＤ及びＲＡＭ３２８ｂに記憶している各口座（本例では４円口座，２円口座，１円口座）の持玉数（本例では０，０，０）を含むカード排出通知が持玉管理装置１４０に送信され（Ｓ３１０１）、ＲＡＭ３２８ｂに記憶されているプリペイド残額が会員カードに記録されて、ＣＵ３から該会員カードが返却される（Ｓ３１０５）。ＣＵ３からのカード返却に伴い、ＲＡＭ３２８ｂに記憶されているプリペイド残額、並びに各口座の持玉数及び貯玉数は０にクリアされる。
【０２０８】
持玉管理装置１４０は、受信したカード排出通知で指定されるカードＩＤに対応付けて管理されている各口座（４円口座，２円口座，１円口座）の持玉数を、該カード排出通知で指定される各口座の持玉数（０，０，０）に更新する（Ｓ３１１０）。本例では、持玉管理装置１４０で管理される更新後の持玉数は、４円口座が０、２円口座が０、１円口座が０となる。なお、持玉管理装置１４０は、ＣＵ管理テーブルにおいて、受信したカード排出通知で指定される台番号（装置ＩＤ）に対応付けて管理されているカードＩＤ（受付中のカードのカードＩＤ）を消去する。
【０２０９】
次いで、持玉管理装置１４０は、持玉管理装置１４０により管理されている持玉数の更新が完了したことを示すカード排出結果（結果：ＯＫ）をＣＵ３に対して送信する（Ｓ３１１１）。カード排出結果（結果：ＯＫ）を受信したＣＵ３では、持玉管理装置１４０において管理されている持玉数が更新されたことを確認する。
【０２１０】
また、持玉管理装置１４０は、カード排出通知を送信したＣＵ３の台番号（装置ＩＤ）及びカード排出通知で指定されるカードＩＤを含む遊技終了通知を会員管理装置１５０に対して送信する（Ｓ３１２０）。なお、会員管理装置１５０は、ＣＵ管理テーブルにおいて、受信した遊技終了通知で指定される台番号（装置ＩＤ）に対応付けて管理されているカードＩＤ（受付中のカードのカードＩＤ）を消去する。遊技終了通知を受信した会員管理装置１５０は、遊技終了通知を受信したことを示す遊技終了応答を持玉管理装置１４０に対して送信する（Ｓ３１３０）。遊技終了応答を受信した持玉管理装置１４０では、会員管理装置１５０が遊技終了通知を受信したことを確認する。
【０２１１】
（貯玉移行処理）
次に、貯玉移行処理について、図１６、図１７、及び図２０を用いて説明する。ここで、ＣＵ３のカードＲ／Ｗ３２７には会員カードが受け付けられており、該会員カードから読み取られた会員番号に対応付けて会員管理装置１５０で管理されている４円口座の貯玉数が５０、２円口座の貯玉数が０、１円口座の貯玉数が８０であるものとする（図１６のＳ４０００）。また、該会員カードから読み取られたカードＩＤに対応付けて持玉管理装置１４０で管理されている４円口座の持玉数が０、２円口座の持玉数が０、１円口座の貯玉数が０玉であるものとする（図１６のＳ４０１０）。
【０２１２】
また、制御ユニット３２８のＲＡＭ３２８ｂには、会員管理装置１５０で管理されている各口座の貯玉数と合致する貯玉数（４円：５０玉，２円：０玉，１円：８０玉）が記憶されており、持玉管理措置１４０で管理されている各口座の持玉数と合致する持玉数（４円：０玉，２円：０玉，１円：０玉）が記憶された状態であるものとする。このとき、図２０（２０）に示すように、表示部３１２に表示されているメイン画面において、持玉数として基本単価に対応した４円口座の持玉数である０が表示され、貯玉数として基本単価に対応した４円口座の貯玉数である５０が表示される（図１６のＳ４０２０）。
【０２１３】
そして、その下方の貯玉払出領域３１２ａには、基本単価に対応した口座の貯玉数が一単位数以上であり貯玉払出を実行可能なことに基づいて、貯玉払出ボタンが有効態様で表示されている。従って、この状態で貯玉払出ボタンを操作することにより貯玉払出が実行される。また、その下方の乗入れ操作領域３１２ｂには、乗入れ画面移行ボタンが表示されている。そして、この状態で、遊技者により乗入れ画面移行ボタンが操作され、表示画面がメイン画面から乗入れ画面に切り替えられたものとする（図１６のＳ４０２５）。
【０２１４】
図２０（２１）に示す移行後の乗入れ画面では、乗入れ先口座である４円口座の貯玉数（５０玉）、乗入れ元口座である２円口座の貯玉数（０玉）及び１円口座の貯玉数（８０玉）が表示される。また、乗入れ先口座の貯玉数（５０玉）と、乗入れ元口座の貯玉数を乗入れ先口座の貯玉数に換算した玉数（０玉×２円÷４円，８０玉×１円÷４円）との合算玉数（５０玉＋０玉＋２０玉＝７０玉）が、基本払出玉数（１２５玉）未満であることに基づいて、乗入れ払出可能玉数は０玉と表示され（図１６のＳ４０３０）、乗入れ操作領域３１２ｂには、乗入れ払出ボタンが無効態様で表示される（図１６のＳ４０３５）。
【０２１５】
そして、前述したように、制御ユニット３２８は、乗入れ元口座の貯玉数が残存している（１円口座の貯玉数が８０玉である）が乗入れ元口座の貯玉数不足により乗入れ払出を実行できないことに基づいて、必要計数玉数算出処理を実行し、必要計数玉数を算出する。この例では、Ｓ１０２で算出される合算玉数が、５０玉＋０玉＋（８０玉×１円÷４円）＝７０玉であり、Ｓ１０４で算出される基本払出玉数と合算玉数との差分が１２５玉−７０玉＝５５玉となる。
【０２１６】
従って、制御ユニット３２８は、図２０（２１）で乗入れ払出可能玉数が０玉であることを報知した後に、所定時間経過後（例えば５秒経過後）に、図２０（２２）に示すように、乗入れ画面に「５５玉計数で乗入れ可」のメッセージを表示するようにしている（図１６のＳ４０４０）。
【０２１７】
このように、乗入れ払出を実行可能とするために計数すべき玉数（持玉数に加算すべき玉数）を報知することにより、乗入れ払出を実行させようとする遊技者の利便性を高めることができる。例えば、遊技者は、下皿２４にある程度のパチンコ玉が貯留されている状態であれば、レバー２４ａを操作して、貯留されたパチンコ玉を計数・端数払出ユニット３４０に投入して計数処理を実行させることにより、後述する貯玉移行操作及び乗入れ払出を実行可能とする、という措置をとることができる。
【０２１８】
次いで、この状態で、計数・端数払出ユニット３４０によりパチンコ玉の計数が行われる計数処理が発生し、１２０玉が計数されたものとする（図１６のＳ４０５０）。このとき、計数・端数払出ユニット３４０の制御部３５０から制御ユニット３２８に対して計数信号が入力され、制御ユニット３２８のＲＡＭ３２８ｂに記憶されている計数玉数の値が加算される。そして、計数処理の発生に伴い、図２０（２３）に示すように、表示部３１２の表示画面は乗入れ画面から計数中画面に移行し、計数中画面において「計数中」の文字と共に計数玉数の値（本例では１２０）が表示される。
【０２１９】
そして、計数処理が完了したときに（例えば、計数玉数が更新されることなく５秒が経過したタイミングで）、ＲＡＭ３２８ｂに記憶されている当該カードユニット３に対応した口座（ＲＡＭ３２８ｂに記憶している基本単価に対応した口座）の持玉数に、計数玉数の値が加算されて持玉数が加算更新されると共に、計数玉数の値は０にリセットされる。これに伴い、図２０（２４）に示すように、計数中画面において加算後の当該口座の持玉数（本例では１２０）が表示され、当該口座の持玉数が１以上であり持玉払出が可能となったことに基づいて、計数プレイＬＥＤ３１９ｂを点灯し、計数プレイボタン３１９の操作を有効とする（図１６のＳ４０６０）。
【０２２０】
このとき、基本単価に対応した口座の貯玉数は５０玉から更新されていないが、基本単価に対応した口座の持玉数は、０玉から１２０玉に更新されている（図１６のＳ４０７０）。制御ユニット３２８は、計数処理が発生したこと（即ち乗入れ先口座の持玉数が更新されたこと）に基づいて、前述した必要計数玉数算出処理を実行する。
【０２２１】
この例では、必要計数玉数算出処理のＳ１０２で算出される合算玉数が、（５０玉＋１２０玉）＋０玉＋（８０玉×１円÷４円）＝１９０玉となる。制御ユニット３２８は、Ｓ１０３で合算玉数が基本払出玉数以上となっていること、即ち、必要計数玉数が０であることに基づいて、Ｓ１１０で乗入れ画面の乗入れ操作領域３１２ｂに貯玉移行ボタンを表示すると共に、Ｓ１１１で乗入れ画面に「貯玉移行で乗入れ可」のメッセージを表示することになる。
【０２２２】
従って、制御ユニット３２８は、図２０（２４）で基本単価に対応する持玉数が１２０玉となったことを報知した後に、上記の必要計数玉数算出処理が実行されたことに基づいて、所定時間経過後（例えば５秒経過後）に、図２０（２５）に示すように、乗入れ画面の乗入れ操作領域３１２ｂに、無効態様で表示されていた乗入れ払出ボタンに代えて、貯玉移行ボタンを表示する（図１６のＳ４０８０）と共に、「貯玉移行で乗入れ可」のメッセージを表示するようにしている（図１６及び図１７のＳ４１００）。
【０２２３】
これにより、遊技者は、貯玉移行ボタンを操作することで、乗入れ先口座及び乗入れ元口座の１以上の口座の貯玉数に、対応する口座の持玉数の一部又は全部が移行される貯玉移行処理が実行されて、貯玉移行処理後の各口座の貯玉数に基づいて乗入れ払出が可能となることを把握することができる。
【０２２４】
また、この実施の形態では、乗入れ画面において、「貯玉移行で乗入れ可」というメッセージを表示すると共に、乗入れ操作領域３１２ｂに貯玉移行ボタンを表示するようにしている。そのため、乗入れ払出を実行させる意思のある遊技者は、貯玉移行ボタンを操作して貯玉移行処理を実行させることになる。また、この実施の形態では、乗入れ払出に関連する操作である、乗入れ画面移行ボタンの操作、貯玉移行ボタンの操作、及び、乗入れ払出ボタンの操作は、いずれも乗入れ操作領域３１２ｂをタッチする共通の操作となっている。そして、乗入れ操作領域３１２ｂに表示されている貯玉移行ボタンをタッチすることにより、乗入れ操作領域３１２ｂには、貯玉移行ボタンに代えて、タッチされることにより乗入れ払出が実行される有効態様の乗入れ払出ボタンが表示される。
【０２２５】
従って、この実施の形態における貯玉移行ボタンの操作は、乗入れ払出を実行させる乗入れ払出ボタンの操作前に、乗入れ払出を実行させる意思を確認するための意思確認操作を兼ねている。仮に、貯玉移行ボタンの操作とは別に、遊技者に乗入れ払出を実行するか否かの選択を要求する操作を設けた場合には、乗入れ払出を実行させるまでの手順が増加してしまう。この実施の形態では、貯玉移行処理を実行させる操作が、乗入れ払出の意思確認操作を兼ねているため、乗入れ払出が実行されるまでの操作手順を簡素化することができる。
【０２２６】
次に、遊技者が、図２０（２５）の乗入れ画面において、乗入れ操作領域３１２ｂの貯玉移行ボタンを操作したものとする（図１７のＳ４１１０）。このとき、図１８の貯玉移行数算出処理が実行され、乗入れ先口座及び乗入れ元口座の各口座の貯玉数に加算すべき持玉数が算出される。
【０２２７】
図１８の貯玉移行数算出処理において、制御ユニット３２８は、Ｓ２００で、各乗入れ元口座（本例では２円，１円）の貯玉数に、対応する口座（２円，１円）の現在の持玉数を仮加算する。この仮加算においては、制御ユニット３２８で記憶している表示制御用の各口座の貯玉数及び持玉数の元データは更新されておらず、あくまで貯玉移行数算出処理用にコピーされた各口座の貯玉数及び持玉数のデータが仮加算の対象となる。
【０２２８】
本例では、Ｓ２００で、乗入れ元口座である２円口座の貯玉数（０玉）に２円口座の持玉数（０玉）を仮加算し、乗入れ元口座である１円口座の貯玉数（８０玉）に１円口座の持玉数（０玉）を仮加算する。即ち、仮加算後の各口座の貯玉数は、２円口座が０、１円口座が８０となる。ここでは、貯玉数に仮加算する対象となる持玉数は、持玉管理装置１４０で管理されている各口座の持玉数ではなく、制御ユニット３２８のＲＡＭ３２８ｂに記憶されている各口座の持玉数である。
【０２２９】
次いで、制御ユニット３２８は、Ｓ２０１で、仮加算後の乗入れ元口座の貯玉数を乗入れ先口座の貯玉数に換算する。本例では、［仮加算後の２円口座の貯玉数（０玉）×２円÷４円］により、仮加算後の２円口座の貯玉数を４円口座の玉数に換算し、［仮加算後の１円口座の貯玉数（８０玉）×１円÷４円］により、仮加算後の１円口座の貯玉数を４円口座の玉数に換算する。即ち、仮加算後の２円口座の貯玉数を４円口座の玉数に換算した換算玉数は０、仮加算後の１円口座の貯玉数を４円口座の玉数に換算した換算玉数は２０となる。
【０２３０】
次いで、制御ユニット３２８は、Ｓ２０２で、乗入れ先口座の貯玉数と、算出された換算玉数との合算玉数を算出する。この例では、［乗入れ先口座の貯玉数（５０）＋仮加算後の２円口座の貯玉数を４円口座の玉数に換算した換算玉数（０）＋仮加算後の１円口座の貯玉数を４円口座の玉数に換算した換算玉数（２０）］により、合算玉数が算出される。即ち、合算玉数は７０となる。
【０２３１】
次いで、制御ユニット３２８は、Ｓ２０３で、算出された合算玉数が基本払出玉数に達しているか否かを判定する。ここで、算出された合算玉数が基本払出玉数以上であるということは、乗入れ先口座を対象とするまでもなく、乗入れ元口座のみを対象とした貯玉移行処理によって乗入れ払出が可能になるということであり、算出された合算玉数が基本払出玉数未満であるということは、乗入れ先口座を対象とした貯玉移行処理を実行しなければ乗入れ払出が可能とならないということである。
【０２３２】
制御ユニット３２８は、Ｓ２０３で、合算玉数が基本払出玉数以上であれば（Ｙｅｓ）、Ｓ２１０で、乗入れ先口座の貯玉数に加算すべき持玉数を０と設定し、Ｓ２１１で、各乗入れ元口座の貯玉数に加算すべき持玉数を、対応する口座の現在の持玉数と設定して、貯玉移行数算出処理を終了する。これにより、（１）乗入れ元口座の貯玉数に、対応する口座の持玉数を加算すると共に、該対応する口座の持玉数を０にクリアする、乗入れ元口座のみを対象とした貯玉移行処理によって乗入れ払出が可能となる。
【０２３３】
一方、制御ユニット３２８は、Ｓ２０３で、合算玉数が基本払出玉数未満であれば（Ｎｏ）、Ｓ２０４で、合算玉数と基本払出玉数との差分を算出し、Ｓ２０５で、乗入れ先口座の貯玉数に加算すべき持玉数を、算出された差分と設定し、Ｓ２１１で、各乗入れ元口座の貯玉数に加算すべき持玉数を、対応する口座の現在の持玉数と設定して、貯玉移行数算出処理を終了する。これにより、（１）乗入れ元口座の貯玉数に、対応する口座の持玉数を加算すると共に、該対応する口座の持玉数を０にクリアし、（２）乗入れ先口座の貯玉数に、対応する口座の持玉数の少なくとも一部（Ｓ２０４で算出された差分）を加算すると共に、該対応する口座の持玉数から当該加算分（Ｓ２０４で算出された差分）を減算する、乗入れ先口座及び乗入れ元口座の両方を対象とした貯玉移行処理によって乗入れ払出が可能となる。
【０２３４】
この例では、合算玉数（７０）が基本払出玉数（１２５）に満たないため、Ｓ２０３ではＮｏと判定され、Ｓ２０４では差分が１２５玉−７０玉＝５５玉と算出され、Ｓ２０５では、乗入れ先口座である４円口座の貯玉数（５０）に加算すべき４円口座の持玉数が５５と設定される。また、Ｓ２１１では、乗入れ元口座である２円口座の貯玉数（０）に加算すべき２円口座の持玉数が０と設定され、１円口座の貯玉数（８０）に加算すべき１円口座の持玉数が０と設定される。
【０２３５】
次いで、制御ユニット３２８は、持玉管理装置１４０に対して、乗入れ先口座及び乗入れ元口座の各口座に加算すべき持玉数を指定する貯玉移行通知を送信する（図１７のＳ４１１１）。本例では、貯玉移行通知に、会員カードから読み取られた会員番号と、４円口座の貯玉数に加算させるべき４円口座の持玉数を指定する４円加算数（５５）と、２円口座の貯玉数に加算させるべき２円口座の持玉数を指定する２円加算数（０）と、１円口座の貯玉数に加算させるべき１円口座の持玉数を指定する１円加算数（０）と、が含まれる。
【０２３６】
持玉管理装置１４０は、ＣＵ３から受信した貯玉移行通知を会員管理装置１５０に送信する（図１７のＳ４１１７）。貯玉移行通知を受信した会員管理装置１５０は、受信した貯玉移行通知に含まれる会員番号に対応付けて管理されている乗入れ先口座及び乗入れ元口座の貯玉数を特定すると共に、各口座の貯玉数に、指定された加算数を加算する（図１７のＳ４１２０）。本例では、４円口座の貯玉数（５０）に４円加算数（５５）を加算し、２円口座の貯玉数（０）に２円加算数（０）を加算し、１円口座の貯玉数（８０）に１円加算数（０）を加算する。これにより、４円口座の貯玉数は１０５、２円口座の貯玉数は０、１円口座の貯玉数は８０となる。
【０２３７】
次いで、会員管理装置１５０は、会員管理装置１５０で管理されている各口座の貯玉数に対応する口座の持玉数が移行されたことを示す貯玉移行結果を持玉管理装置１４０に送信する（図１７のＳ４１２１）。貯玉移行結果を受信した持玉管理装置１４０は、貯玉移行通知を送信したＣＵ３に対して、貯玉移行結果を送信する（図１７のＳ４１２６）。これにより、貯玉移行結果を受信したＣＵ３の制御ユニット３２８において、会員管理装置１５０で管理されている各口座の貯玉数に、指定した加算玉数が加算されたことが確認される。
【０２３８】
貯玉移行結果を受信した制御ユニット３２８では、ＲＡＭ３２８ｂに記憶している各口座の貯玉数に、Ｓ４１１１で指定した各口座に対応する加算数を加算すると共に、ＲＡＭ３２８に記憶している各口座の持玉数から、Ｓ４１１１で指定した各口座に対応する加算数を減算する（図１７のＳ４１２８）。
【０２３９】
本例では、４円口座の貯玉数（５０）に４円加算数（５５）を加算し、２円口座の貯玉数（０）に２円加算数（０）を加算し、１円口座の貯玉数（８０）に１円加算数（０）を加算する。これにより、制御ユニット３２８が記憶する４円口座の貯玉数は１０５、２円口座の貯玉数は０、１円口座の貯玉数は８０となる。また、４円口座の持玉数（１２０）から４円加算数（５５）を減算し、２円口座の持玉数（０）から２円加算数（０）を減算し、１円口座の持玉数（０）から１円加算数（０）を減算する。これにより、４円口座の持玉数は６５、２円口座の持玉数は０、１円口座の持玉数は０となる。
【０２４０】
以上に示した貯玉移行数算出処理（Ｓ２００〜Ｓ２１１）、会員管理装置１５０により管理されている各口座の貯玉数を更新するための処理（Ｓ４１１１〜Ｓ４１２６）、及び、ＣＵ３により記憶されている各口座の貯玉数及び持玉数を更新するための処理（Ｓ４１２８）が実行されることにより、１以上の口座の持玉数の少なくとも一部を、対応する口座の貯玉数に移行する貯玉移行処理が完了する。
【０２４１】
貯玉移行処理が完了すると、制御ユニット３２８は、図２０（２６）に示すように、貯玉移行処理後の各口座の貯玉数を表示する。また、貯玉移行処理により、各口座の持玉数のうち対応する口座の貯玉数に移行された玉数、即ち、各口座の貯玉数に加算された玉数を、各口座毎に表示する。本例では、Ｓ４１１１で設定された４円加算数が５５、２円加算数が０、１円加算数が０であったことにより、「４円持玉５５玉を貯玉に移行しました。」とのみ表示される（図１７のＳ４１３０）。
【０２４２】
なお、この例では、Ｓ４１１１で設定した４円加算数のみが０ではないため、このような表示となっているが、仮に、２円加算数が０でない場合や、１円加算数が０ではない場合には、「４円持玉５５玉を貯玉に移行しました。」に加えて、「２円持玉××玉を貯玉に移行しました。」や、「１円持玉××玉を貯玉に移行しました。」が乗入れ画面に表示されることになる。
【０２４３】
このように、各口座の持玉数のうち、対応する口座の貯玉数に移行された玉数を、各口座毎に表示することにより、いずれの口座を対象として貯玉移行処理が実行されたのか、また、貯玉移行処理によって当該口座の持玉数のうち何玉が移行されたのかを把握することができる。遊技者は、図２０（２６）の乗入れ画面により、４円口座の持玉数のうち５５玉が４円口座の貯玉数に加算され、４円口座の貯玉数が１０５に増加したことを把握することができる。
【０２４４】
制御ユニット３２８は、図２０（２６）で、貯玉移行処理の対象となった口座及び当該口座の貯玉数に加算された持玉数を報知した後に、所定時間経過後（例えば５秒経過後）に、図２０（２７）に示すように、乗入れ払出可能玉数が再計算され（図１７のＳ４１５０）、乗入れ操作領域３１２ｂに貯玉移行ボタンに代えて乗入れ払出ボタンが有効態様で表示された乗入れ画面を表示する（図１７のＳ４１６０）。
【０２４５】
本例では、貯玉移行処理により、４円口座の貯玉数は１０５、２円口座の貯玉数は０、１円口座の貯玉数は８０となっているため、乗入れ画面に表示される乗入れ払出可能玉数は、［１０５玉＋（０玉×２円÷４円）＋（８０玉×１円÷４円）］＝１２５玉となる。これにより、遊技者は、乗入れ払出が可能となり、乗入れ払出ボタンを操作することで乗入れ払出が実行されることを把握することができる。
【０２４６】
そして、図２０（２７）の乗入れ画面において、乗入れ払出ボタンが操作されると、乗入れ払出可能玉数（１２５）が基本払出玉数（１２５）以上であることに基づいて、制御ユニット３２８と払出制御基板２８との間で通信が行われ、基本払出玉数（５度数相当）のパチンコ玉が対応するパチンコ機２から払い出される乗入れ払出が実行される。このとき、図２０（２８）に示すように、表示部３１２には、「払出中」と表示される。
【０２４７】
そして、図２０（２９）に示すように、乗入れ払出の実行に伴い、ＲＡＭ３２８ｂで記憶している乗入れ払出可能玉数（１２５）から基本払出玉数（５度数相当の１２５）が減算されて０になると共に、表示部３１２に表示される乗入れ払出可能玉数も減算後の貯玉数に更新される。また、制御ユニット３２８で記憶している優先順位１〜３の各口座（４円口座，２円口座，１円口座）の貯玉数から、以下のようにして算出された各引き落とし数（１０５，０，８０）を減算する。
【０２４８】
本例では、優先順位１（乗入れ先口座）である４円口座の貯玉数が１０５、優先順位２（最優先の乗入れ元口座）である２円口座の貯玉数が０、優先順位３（次に優先される乗入れ元口座）である１円口座の貯玉数が８０である。従って、優先順位１である４円口座の貯玉数１０５玉が基本払出玉数１２５玉未満であるため、４円口座の貯玉数は全数使用され、４円口座からの減算玉数（４円引き落とし数）は４円口座の貯玉数（１０５玉）となる。また、優先順位２である２円口座からの減算玉数（２円引き落とし数）は０となる。そして、優先順位３である１円口座の貯玉数８０玉を乗入れ先単価４円の玉数に換算すると、［（８０玉×１円÷４円）＝２０玉］であり、払い出すべき残り玉数である［１２５玉−１０５玉＝２０玉］と合致するため、１円口座の貯玉数は全数使用され、１円口座からの減算玉数（１円引き落とし数）は１円口座の貯玉数（２０玉）となる。
【０２４９】
これに伴い、前述したように、算出された各口座の引き落とし数を指定する貯玉更新要求が制御ユニット３２８から持玉管理装置１４０を介して会員管理装置１５０に送信され、会員管理装置１５０では、ＣＰＵ１５２が、該貯玉更新要求に含まれる会員番号に対応付けて貯玉管理テーブルで記憶している各口座の貯玉数から、指定された引き落とし数を減算する。本例では、減算後の貯玉数は、４円口座が０、２円口座が０、１円口座が０となる。
【０２５０】
これにより、図２０（２９）に示すように、乗入れ払出可能玉数は０に更新され、ＣＵ３で記憶されている各口座の貯玉数は、４円口座が０、２円口座が０、１円口座が０に更新される。そして、制御ユニット３２８は、図２０（２９）に示すように、減算後の乗入れ払出可能玉数が基本払出玉数未満である（乗入れ払出によって付与可能な遊技媒体数が０である）ことに基づいて、乗入れ操作領域３１２ｂに乗入れ払出ボタンを無効態様で表示する。
【０２５１】
乗入れ払出を実行できなくなったことを把握した遊技者が、図２０（２９）の「戻る」ボタンを操作すると、図２０（３０）のメイン画面に戻る。このメイン画面で表示される基本単価（４円）に対応した口座の持玉数（６５玉）は、前述した貯玉移行処理で対応する口座の貯玉数に移行されずに残存している持玉数である。この例では、図２０（２４）で計数された持玉数１２０玉のうち、図２０（２６）の貯玉移行処理で５５玉が貯玉に移行し、６５玉が持玉として残存している。従って、図２０（２６）の貯玉移行処理後も、当該口座の持玉数が１以上であり持玉払出が可能であることに基づいて、計数プレイＬＥＤ３１９ｂを点灯し、計数プレイボタン３１９の操作を有効としている。
【０２５２】
なお、図２０（２２）に示したケースでは、制御ユニット３２８は、乗入れ払出可能玉数が０であり乗入れ払出は実行できないが乗入れ元口座の貯玉数が０ではない、即ち、乗入れ先口座の貯玉数が増加することにより乗入れ払出が可能となるとして、必要計数玉数算出処理を実行した。これに対して、図２０（２９）のケースでは、乗入れ元口座の貯玉数が０であるため、仮に乗入れ先口座の貯玉数が増加したとしても、乗入れ元口座の貯玉数を減算する乗入れ払出を実行することができない。そのため、各乗入れ元口座の貯玉数がいずれも０である場合には、必要計数玉数算出処理を実行する必要がない。
【０２５３】
上記の例における各口座の貯玉数及び持玉数の推移は、図２１の例１として示される。計数処理前の、４円貯玉数が５０玉、２円貯玉数が０玉、１円貯玉数が８０玉であり、４円持玉数が０玉、２円持玉数が０玉、１円持玉数が０玉の状態では、算出される必要計数玉数は、［１２５玉−（５０玉＋０玉）−｛（０玉＋０玉）×２円÷４円｝−｛（８０玉＋０玉）×１円÷４円｝］＝５５玉となる。
【０２５４】
そして、計数処理が発生して１２０玉の計数が行われると、４円持玉数が１２０玉となる。この状態で貯玉移行処理が実行されると、４円持玉数１２０玉のうち５５玉が貯玉移行処理の対象となり、貯玉移行処理後の４円貯玉数は５０玉＋５５玉＝１０５玉、４円持玉数は１２０玉−５５玉＝６５玉となる。このとき、乗入れ払出可能玉数は、［１０５玉＋（０玉×２円÷４円）＋（８０玉×１円÷４円）］＝１２５玉となる。
【０２５５】
なお、例１において、仮に、計数処理が発生して５５玉の計数が行われたとすると、４円持玉数が５５玉となる。この状態で貯玉移行処理が実行されると、４円持玉数（５５玉）の全部が４円貯玉数に加算され、４円貯玉数が１０５玉となり、４円持玉数は０となる。即ち、貯玉移行処理が実行されることにより、乗入れ先口座に対応した持玉数の一部ではなく全部が移行される場合もある。
【０２５６】
このように、この実施の形態では、貯玉移行ボタンが操作されたときに、貯玉移行処理が実行され、乗入れ先口座の貯玉数に、対応する口座の持玉数の少なくとも一部を移行させるようにしている。従来であれば、前述したように、営業終了時処理が実行されたとき又は景品交換用ＰＯＳ端末１７０に会員カードが挿入されたときにのみ、各口座の持玉数全部を、対応する各口座の貯玉数に加算すると共に、各口座の持玉数を０にクリアする処理を実行するところであるが、この実施の形態では、ＣＵ３における遊技者の操作によって貯玉移行処理を実行可能としているため、乗入れ払出を実行させようとする遊技者の利便性を高めることができる。
【０２５７】
また、上記の実施形態（例１）では、乗入れ先口座に対応する４円持玉数のうち、乗入れ払出を実行可能とするために必要となる最低玉数（１２０玉のうちの５５玉）のみを貯玉数に移行させ、残り（１２０玉のうち６５玉）は持玉数として残存させるようにしている。これにより、残った持玉数を、持玉払出により遊技に使用することができる。
【０２５８】
特に、この実施の形態では、貯玉払出が一単位数以上の貯玉数を要するのに対して、持玉払出しは、１玉以上の持玉数から可能となっている。従って、仮に貯玉移行処理によって、乗入れ先口座に対応する持玉数を全数移行させるようにした場合、乗入れ払出が実行された後、残存する乗入れ先口座の貯玉数が０より大きく一単位数未満となったときには、移行させた玉数の一部を遊技に使用できなくなってしまうことになる。そのため、この実施の形態では、４円持玉数のうち乗入れ払出を実行可能とするために必要ない分（６５玉）については、貯玉移行処理の対象としないことにより、遊技に使用可能な遊技媒体数を極力多く確保するようにしている。
【０２５９】
図２１の例２では、計数処理前、４円貯玉数が１０玉、２円貯玉数が６０玉、１円貯玉数が８０玉であり、４円持玉数が２５玉、２円持玉数が０玉、１円持玉数が０玉の状態である。このとき算出される必要計数玉数は、［１２５玉−（１０玉＋２５玉）−｛（６０玉＋０玉）×２円÷４円｝−｛（８０玉＋０玉）×１円÷４円｝］＝４０玉となる。
【０２６０】
そして、計数処理が発生して６０玉の計数が行われると、４円持玉数が８５玉となる。この状態で貯玉移行処理が実行されると、４円持玉数８５玉のうち６５玉が貯玉移行処理の対象となり、貯玉移行処理後の４円貯玉数は１０玉＋６５玉＝７５玉、４円持玉数は８５玉−６５玉＝２０玉となる。このとき、乗入れ払出可能玉数は、［７５玉＋（６０玉×２円÷４円）＋（８０玉×１円÷４円）］＝１２５玉となる。
【０２６１】
このように、計数処理前の乗入れ先口座に対応した口座の持玉数（４円持玉数２５玉）に、計数処理により計数された計数玉数（６０玉）が加算され、更新後の持玉数（４円持玉数８５玉）の少なくとも一部（６５玉）が乗入れ先口座の貯玉数（１０玉）に移行される。
【０２６２】
図２１の例３では、計数処理前、４円貯玉数が５玉、２円貯玉数が２０玉、１円貯玉数が４０玉であり、４円持玉数が１０玉、２円持玉数が３０玉、１円持玉数が６０玉の状態である。このとき算出される必要計数玉数は、［１２５玉−（５玉＋１０玉）−｛（２０玉＋３０玉）×２円÷４円｝−｛（４０玉＋６０玉）×１円÷４円｝］＝６０玉となる。
【０２６３】
そして、計数処理が発生して１００玉の計数が行われると、４円持玉数が１１０玉となる。この状態で貯玉移行処理が実行されると、２円持玉数の全部である３０玉、１円持玉数の全部である６０玉、４円持玉数１１０玉のうち７０玉が貯玉移行処理の対象となり、貯玉移行処理後の２円貯玉数は２０玉＋３０玉＝５０玉、２円持玉数は３０玉−３０玉＝０玉、１円貯玉数は４０玉＋６０玉＝１００玉、１円持玉数は６０玉−６０玉＝０玉、４円貯玉数は５玉＋７０玉＝７５玉、４円持玉数は１１０玉−７０玉＝４０玉となる。このとき、乗入れ払出可能玉数は、［７５玉＋（５０玉×２円÷４円）＋（１００玉×１円÷４円）］＝１２５玉となる。
【０２６４】
このように、乗入れ元口座の貯玉数（２円貯玉数２０，１円貯玉数４０）に、貯玉移行処理によって、乗入れ元口座に対応した口座の持玉数の全部（２円持玉数３０，１円貯玉数６０）が移行される。そして、乗入れ先口座に対応した口座の持玉数のうち、乗入れ払出可能玉数に不足する差分（７０玉）のみが、乗入れ先口座の貯玉数（５玉）に移行される。即ち、乗入れ元口座を対象とした貯玉移行処理によって不足する差分のみを乗入れ先口座を対象とした貯玉移行処理によって補足する構成としており、これにより、前述したように、遊技に使用可能な遊技媒体数を最大化することができる。
【０２６５】
図２１の例４では、計数処理前、４円貯玉数が２５玉、２円貯玉数が４０玉、１円貯玉数が８０玉であり、４円持玉数が２０玉、２円持玉数が８０玉、１円持玉数が１２０玉の状態である。このとき算出される必要計数玉数は、［１２５玉−（２５玉＋２０玉）−｛（４０玉＋８０玉）×２円÷４円｝−｛（８０玉＋１２０玉）×１円÷４円｝］≦０、であるため、０玉となる。
【０２６６】
そして、計数処理が発生することなく、この状態で貯玉移行処理が実行されると、２円持玉数の全部である８０玉、１円持玉数の全部である１２０玉が貯玉移行処理の対象となり、貯玉移行処理後の２円貯玉数は４０玉＋８０玉＝１２０玉、２円持玉数は８０玉−８０玉＝０玉、１円貯玉数は８０玉＋１２０玉＝２００玉、１円持玉数は１２０玉−１２０玉＝０玉となる。このとき、乗入れ払出可能玉数は、１２５玉≦［２５玉＋（１２０玉×２円÷４円）＋（２００玉×１円÷４円）＝１３５玉］＜２５０玉、であるため、１２５玉となる。
【０２６７】
このように、乗入れ元口座の貯玉数（２円貯玉数４０，１円貯玉数８０）に、貯玉移行処理によって、乗入れ元口座に対応した口座の持玉数の全部（２円持玉数８０，１円貯玉数１２０）が移行される。そして、乗入れ先口座の貯玉数（４円貯玉数２５）に、対応する口座の持玉数（４円持玉数２０）を加算するまでもなく、乗入れ払出を実行可能となる。即ち、乗入れ元口座を対象とした貯玉移行処理によって不足する差分がないため、乗入れ先口座を対象とした貯玉移行処理は実行しない構成としており、これにより、前述したように、遊技に使用可能な遊技媒体数を最大化することができる。
【０２６８】
［第２実施形態に係る遊技用システム］
次に、第２実施形態に係る遊技用システム１’に関して、第１実施形態と異なる点を説明する。第２実施形態に係る遊技用システム１’には、図１に示すように、持玉管理装置１４０が設けられておらず、ＣＵ３は、持玉管理装置１４０を中継することなく、会員管理装置１５０と通信可能に接続されている。
【０２６９】
従って、第１実施形態においてＣＵ３から持玉管理装置１４０を介して会員管理装置１５０に送信されたコマンド（貯玉更新要求や貯玉移行通知等）は、第２実施形態ではＣＵ３から直接、会員管理装置１５０に送信される。また、第１実施形態において会員管理装置１５０から持玉管理装置１４０を介してＣＵ３に送信されたコマンド（貯玉更新応答や貯玉移行結果等）は、会員管理装置１５０から直接、ＣＵ３に送信される。
【０２７０】
第１実施形態において制御ユニット３２８に記憶されている各口座の持玉数（表示される持玉数）に関する処理は、第２実施形態において制御ユニット３２８に記憶されている各口座の計数玉数（表示される計数玉数）に関する処理と読み替えることができる。即ち、第２実施形態のＣＵ３には、制御ユニット３２８のＲＡＭ３２８ｂに、各口座（４円，２円，１円）の計数玉数が記憶され、メイン画面において、記憶している基本単価に対応した口座の計数玉数が表示されることになる。なお、第２実施形態においては、ＣＵ３の制御ユニット３２８に記憶されている基本単価に対応した口座以外の口座の計数玉数は０となる。
【０２７１】
このときＣＵ３で記憶されている基本単価に対応した口座（乗入れ先口座に対応した口座）の計数玉数は、以下のようにして更新されるものとする。まず、計数センサ３５６によりパチンコ玉が検出される毎に、制御部３５０から制御ユニット３２８に対して計数信号が入力され、制御ユニット３２８のＲＡＭ３２８ｂに記憶されている計数玉数（メイン画面に表示される計数玉数）の値が加算される。そして、計数払出操作（上記実施形態における計数プレイボタン３１９の操作に相当）に基づいて遊技媒体が払い出される計数払出が実行され、ＣＵ３が記憶している計数玉数（メイン画面に表示される計数玉数）から払出玉数が減算される。
【０２７２】
なお、ＣＵ３で計数払出が実行されると、第１実施形態の持玉払出と同様に、上位管理装置（第２実施形態では会員管理装置１５０）と通信が行われることなく、ＣＵ３で記憶されている基本単価に対応した口座の計数玉数のみが減算される。一方、貯玉払出が実行されると、第１実施形態の貯玉払出と同様に、会員管理装置１５０との通信が行われ、ＣＵ３で記憶されている基本単価に対応した口座の貯玉数（メイン画面に表示される貯玉数）及び会員管理装置１５０で管理されている基本単価に対応した口座の貯玉数が減算される。
【０２７３】
そして、返却ボタン２２が操作されると、受け付けていた会員カードから読み取られた会員番号と、ＲＡＭ３２８ｂに記憶されている各口座（４円，２円，１円）の計数玉数とを含むカード排出通知が会員管理装置１５０に送信され、会員管理装置１５０においては、受信したカード排出通知により指定される会員番号に対応付けて貯玉管理テーブルで管理されている各口座（４円，２円，１円）の貯玉数に、受信したカード排出通知により指定される各口座（４円，２円，１円）の計数玉数を加算する。そして、カード排出通知を送信したＣＵ３では、ＲＡＭ３２８ｂに記憶されている各口座（４円，２円，１円）の計数玉数を０にクリアする。
【０２７４】
このように、第２実施形態において、会員管理装置１５０で管理される各口座の貯玉数に、対応した口座の計数玉数が加算されるのは、ＣＵ３で受け付けた会員カードが返却されるとき（カード排出通知を受信したとき）となる。また、第２実施形態では、ＣＵ３の基本単価に対応した口座以外の口座の計数玉数は０であるため、会員カードが返却されるときには、当該ＣＵ３の基本単価に対応した口座の貯玉数のみが実際の加算対象となる。
【０２７５】
このような第２実施形態に係る遊技用システム１’において、貯玉移行処理が実行されるときの動作の流れを図２２及び図２３を用いて説明する。なお、図２２及び図２３において、第１実施形態の図１６及び図１７と共通する処理には、共通する符号を付している。
【０２７６】
ここで、ＣＵ３のカードＲ／Ｗ３２７には会員カードが受け付けられており、該会員カードから読み取られた会員番号に対応付けて会員管理装置１５０で管理されている４円口座の貯玉数が３５、２円口座の貯玉数が０、１円口座の貯玉数が６０であるものとする（図２２のＳ４０００Ａ）。
【０２７７】
また、制御ユニット３２８のＲＡＭ３２８ｂには、会員管理装置１５０で管理されている各口座の貯玉数と合致する貯玉数（４円：３５玉，２円：０玉，１円：６０玉）が記憶されており、各口座の計数玉数はいずれも０である（４円：０玉，２円：０玉，１円：０玉）ものとする。このとき、表示部３１２に表示されているメイン画面において、計数玉数として基本単価に対応した４円口座の計数玉数である０が表示され、貯玉数として基本単価に対応した４円口座の貯玉数である３５が表示される（図２２のＳ４０２０Ａ）。
【０２７８】
そして、この状態で、遊技者により乗入れ画面移行ボタンが操作され、表示画面がメイン画面から乗入れ画面に切り替えられたものとする（図２２のＳ４０２５）。移行後の乗入れ画面では、乗入れ先口座の貯玉数（３５玉）と、乗入れ元口座の貯玉数を乗入れ先口座の貯玉数に換算した玉数（０玉×２円÷４円，６０玉×１円÷４円）との合算玉数（３５玉＋０玉＋１５玉＝５０玉）が、基本払出玉数（１２５玉）未満であることに基づいて、乗入れ払出可能玉数は０玉と表示され（図２２のＳ４０３０）、乗入れ操作領域３１２ｂには、乗入れ払出ボタンが無効態様で表示される（図２２のＳ４０３５）。
【０２７９】
そして、前述したように、制御ユニット３２８は、乗入れ元口座の貯玉数が残存している（１円口座の貯玉数が６０玉である）が乗入れ元口座の貯玉数不足により乗入れ払出を実行できないことに基づいて、必要計数玉数算出処理を実行し、必要計数玉数を算出する。この例では、Ｓ１０２で算出される合算玉数が、３５玉＋０玉＋（６０玉×１円÷４円）＝５０玉であり、Ｓ１０４で算出される基本払出玉数と合算玉数との差分が１２５玉−５０玉＝７５玉となる。従って、制御ユニット３２８は、乗入れ画面に「７５玉計数で乗入れ可」のメッセージを表示するようにしている（図２２のＳ４０４０Ａ）。
【０２８０】
次いで、この状態で、計数・端数払出ユニット３４０によりパチンコ玉の計数が行われる計数処理が発生し、１２０玉が計数されたものとする（図２２のＳ４０５０）。このとき、計数・端数払出ユニット３４０の制御部３５０から制御ユニット３２８に対して計数信号が入力され、制御ユニット３２８のＲＡＭ３２８ｂに記憶されている計数玉数の値が加算される。そして、当該口座の計数玉数が１以上であり計数払出が可能となったことに基づいて、計数プレイＬＥＤ３１９ｂを点灯し、計数プレイボタン３１９の操作を有効とする（図２２のＳ４０６０）。
【０２８１】
このとき、基本単価に対応した口座の貯玉数は３５玉から更新されていないが、基本単価に対応した口座の計数玉数は、０玉から１２０玉に更新されている（図２２のＳ４０７０Ａ）。制御ユニット３２８は、計数処理が発生したこと（即ち乗入れ先口座の計数玉数が更新されたこと）に基づいて、前述した必要計数玉数算出処理を実行する。
【０２８２】
この例では、必要計数玉数算出処理のＳ１０２で算出される合算玉数が、（３５玉＋１２０玉）＋０玉＋（６０玉×１円÷４円）＝１７０玉となる。制御ユニット３２８は、Ｓ１０３で合算玉数が基本払出玉数以上となっていること、即ち、必要計数玉数が０であることに基づいて、Ｓ１１０で乗入れ画面の乗入れ操作領域３１２ｂに貯玉移行ボタンを表示すると共に、Ｓ１１１で乗入れ画面に「貯玉移行で乗入れ可」のメッセージを表示することになる。
【０２８３】
従って、制御ユニット３２８は、乗入れ画面の乗入れ操作領域３１２ｂに、無効態様で表示されていた乗入れ払出ボタンに代えて、貯玉移行ボタンを表示する（図２２のＳ４０８０）と共に、「貯玉移行で乗入れ可」のメッセージを表示するようにしている（図２２及び図２３のＳ４１００）。
【０２８４】
次に、遊技者が、乗入れ画面において、乗入れ操作領域３１２ｂの貯玉移行ボタンを操作したものとする（図２３のＳ４１１０）。このとき、図１８の貯玉移行数算出処理が実行され、乗入れ先口座及び乗入れ元口座の各口座の貯玉数に加算すべき計数玉数が算出される。
【０２８５】
この例では、合算玉数（５０）が基本払出玉数（１２５）に満たないため、Ｓ２０３ではＮｏと判定され、Ｓ２０４では差分が１２５玉−５０玉＝７５玉と算出され、Ｓ２０５では、乗入れ先口座である４円口座の貯玉数（３５）に加算すべき４円口座の計数玉数が７５と設定される。また、Ｓ２１１では、乗入れ元口座である２円口座の貯玉数（０）に加算すべき２円口座の計数玉数が０と設定され、１円口座の貯玉数（６０）に加算すべき１円口座の計数玉数が０と設定される。
【０２８６】
次いで、制御ユニット３２８は、会員管理装置１５０に対して、乗入れ先口座及び乗入れ元口座の各口座に加算すべき計数玉数を指定する貯玉移行通知を送信する（図２３のＳ４１１１Ａ）。本例では、貯玉移行通知に、会員カードから読み取られた会員番号と、４円口座の貯玉数に加算させるべき４円口座の計数玉数を指定する４円加算数（７５）と、２円口座の貯玉数に加算させるべき２円口座の計数玉数を指定する２円加算数（０）と、１円口座の貯玉数に加算させるべき１円口座の計数玉数を指定する１円加算数（０）と、が含まれる。なお、第２実施形態では、ＣＵ３の基本単価に対応した口座以外の口座の計数玉数は０であるため、貯玉移行処理が実行されるときには、当該ＣＵ３の基本単価に対応した口座の貯玉数のみが実際の加算対象となる。
【０２８７】
貯玉移行通知を受信した会員管理装置１５０は、受信した貯玉移行通知に含まれる会員番号に対応付けて管理されている乗入れ先口座及び乗入れ元口座の貯玉数を特定すると共に、各口座の貯玉数に、指定された加算数を加算する（図２３のＳ４１１５Ａ）。本例では、４円口座の貯玉数（３５）に４円加算数（７５）を加算し、２円口座の貯玉数（０）に２円加算数（０）を加算し、１円口座の貯玉数（６０）に１円加算数（０）を加算する。これにより、４円口座の貯玉数は１１０、２円口座の貯玉数は０、１円口座の貯玉数は６０となる。
【０２８８】
次いで、会員管理装置１５０は、会員管理装置１５０で管理されている各口座の貯玉数に対応する口座の計数玉数が移行されたことを示す貯玉移行結果をＣＵ３に送信する（図２３のＳ４１１６Ａ）。これにより、貯玉移行結果を受信したＣＵ３の制御ユニット３２８において、会員管理装置１５０で管理されている各口座の貯玉数に、指定した加算玉数が加算されたことが確認される。
【０２８９】
貯玉移行結果を受信した制御ユニット３２８では、ＲＡＭ３２８ｂに記憶している各口座の貯玉数に、Ｓ４１１１Ａで指定した各口座に対応する加算数を加算すると共に、ＲＡＭ３２８に記憶している各口座の計数玉数から、Ｓ４１１１Ａで指定した各口座に対応する加算数を減算する（図２３のＳ４１２８Ａ）。
【０２９０】
本例では、４円口座の貯玉数（３５）に４円加算数（７５）を加算し、２円口座の貯玉数（０）に２円加算数（０）を加算し、１円口座の貯玉数（６０）に１円加算数（０）を加算する。これにより、制御ユニット３２８が記憶する４円口座の貯玉数は１１０、２円口座の貯玉数は０、１円口座の貯玉数は６０となる。また、４円口座の計数玉数（１２０）から４円加算数（７５）を減算し、２円口座の計数玉数（０）から２円加算数（０）を減算し、１円口座の計数玉数（０）から１円加算数（０）を減算する。これにより、４円口座の計数玉数は４５、２円口座の計数玉数は０、１円口座の計数玉数は０となる。
【０２９１】
本例では、Ｓ４１１１Ａで設定された４円加算数が７５、２円加算数が０、１円加算数が０であったことにより、「４円計数玉７５玉を貯玉に移行しました。」とのみ表示される（図２３のＳ４１３０Ａ）。そして、制御ユニット３２８は、乗入れ払出可能玉数を再計算し（図２３のＳ４１５０）、乗入れ操作領域３１２ｂに貯玉移行ボタンに代えて乗入れ払出ボタンが有効態様で表示された乗入れ画面を表示する（図２３のＳ４１６０）。
【０２９２】
本例では、貯玉移行処理により、４円口座の貯玉数は１１０、２円口座の貯玉数は０、１円口座の貯玉数は６０となっているため、乗入れ画面に表示される乗入れ払出可能玉数は、［１１０玉＋（０玉×２円÷４円）＋（６０玉×１円÷４円）］＝１２５玉となる。これにより、遊技者は、乗入れ払出が可能となり、乗入れ払出ボタンを操作することで乗入れ払出が実行されることを把握することができる。
【０２９３】
このように、第２実施形態では、貯玉移行ボタンが操作されたときに、カードＲ／Ｗ３２７で受け付けられている会員カードが返却されることなく、貯玉移行処理が実行され、乗入れ先口座の貯玉数に、対応する口座の計数玉数の少なくとも一部を移行させるようにしている。従来であれば、前述したように、ＣＵ３から会員カードが挿入されたときにのみ、各口座の計数玉数全部を、対応する各口座の貯玉数に加算すると共に、ＣＵ３で記憶されている各口座の計数玉数を０にクリアする処理を実行するところであるが、この実施の形態では、ＣＵ３における遊技者の操作によって、会員カードを返却することなく、貯玉移行処理を実行可能としているため、乗入れ払出を実行させようとする遊技者の利便性を高めることができる。
【０２９４】
［変形例］
次に、前述した実施の形態の変形例を挙げる。
【０２９５】
（１）上記の実施形態では、貯玉移行処理が実行されると、乗入れ元口座の貯玉数に、対応する口座の持玉数（計数玉数）の全部が加算され、乗入れ先口座の貯玉数には、対応する口座の持玉数（計数玉数）の一部又は全部が加算されるようになっているが、このような形態に限らず、乗入れ元口座及び乗入れ先口座の貯玉数に、対応する口座の持玉数（計数玉数）の全部が加算されるようにしても良い。
【０２９６】
図２４の変形例１では、計数処理前、４円貯玉数が５玉、２円貯玉数が２０玉、１円貯玉数が４０玉であり、４円持玉数が１０玉、２円持玉数が３０玉、１円持玉数が６０玉の状態である。このとき算出される必要計数玉数は、［１２５玉−（５玉＋１０玉）−｛（２０玉＋３０玉）×２円÷４円｝−｛（４０玉＋６０玉）×１円÷４円｝］＝６０玉となる。
【０２９７】
そして、計数処理が発生して２００玉の計数が行われると、４円持玉数が２１０玉となる。この状態で貯玉移行処理が実行されると、２円持玉数の全部である３０玉、１円持玉数の全部である６０玉、４円持玉数の全部である２１０玉が貯玉移行処理の対象となり、貯玉移行処理後の２円貯玉数は２０玉＋３０玉＝５０玉、２円持玉数は３０玉−３０玉＝０玉、１円貯玉数は４０玉＋６０玉＝１００玉、１円持玉数は６０玉−６０玉＝０玉、４円貯玉数は５玉＋２１０玉＝２１５玉、４円持玉数は２１０玉−２１０玉＝０玉となる。このとき、乗入れ払出可能玉数は、２５０玉≦［２１５玉＋（５０玉×２円÷４円）＋（１００玉×１円÷４円）］＜３７５玉であるため、２５０玉となる。
【０２９８】
この変形例１では、前述した例３のように、計数処理後の４円持玉数の一部（７０玉）のみを４円貯玉数に加算することにより、乗入れ払出を実行可能となるが、変形例１では、乗入れ元口座のみを対象とした貯玉移行処理によって乗入れ払出を実行可能となるにもかかわらず、貯玉移行ボタンが操作されることにより、乗入れ元口座（４円）及び乗入れ先口座（２円，１円）の貯玉数に、対応する口座（４円，２円，１円）の持玉数（計数玉数）の全部が加算される。
【０２９９】
（２）上記の実施形態では、貯玉移行処理が実行されると、全ての乗入れ元口座の貯玉数に、対応する口座の持玉数（計数玉数）の全部が加算される例について説明したが、このような形態に限らず、一部の乗入れ元口座の貯玉数に、対応する口座の持玉数（計数玉数）の一部又は全部が加算されるようにしても良い。
【０３００】
図２４の変形例２では、計数処理前、４円貯玉数が４５玉、２円貯玉数が４０玉、１円貯玉数が８０玉であり、４円持玉数が０玉、２円持玉数が１００玉、１円持玉数が１２０玉の状態である。このとき算出される必要計数玉数は、［１２５玉−（４５玉＋０玉）−｛（４０玉＋１００玉）×２円÷４円｝−｛（８０玉＋１２０玉）×１円÷４円｝］≦０、であるため、０玉となる。
【０３０１】
そして、計数処理が発生することなく、この状態で貯玉移行処理が実行されると、２円持玉数１００玉のうち８０玉が貯玉移行処理の対象となり、貯玉移行処理後の２円貯玉数は４０玉＋８０玉＝１２０玉、２円持玉数は１００玉−８０玉＝２０玉となる。このとき、乗入れ払出可能玉数は、［４５玉＋（１２０玉×２円÷４円）＋（８０玉×１円÷４円）］＝１２５玉となるため、１円口座の貯玉数に、対応する１円口座の持玉数を加算させるまでもなく、乗入れ払出が実行可能となる。
【０３０２】
即ち、複数の乗入れ元口座（２円口座及び１円口座）のうち一部の乗入れ元口座（２円口座）のみを対象とした貯玉移行処理を実行することにより、乗入れ払出が実行可能となる場合には、該一部の乗入れ元口座のみを対象とした貯玉移行処理を実行するようにしても良い。また、乗入れ元口座に対応した口座の持玉数（計数玉数）の全部を貯玉数に加算させるまでもなく、乗入れ払出が実行可能となる場合には、該持玉数（計数玉数）の一部のみを貯玉数に加算させるようにしても良い。
【０３０３】
なお、変形例２では、乗入れ優先順位テーブルで定められた優先順位に従って、優先順位の高い乗入れ元口座（例えば、最優先の乗入れ元口座である２円口座）から優先的に貯玉移行処理を実行するようにしているが、このような形態に限らず、優先順位の低い乗入れ元口座（例えば、次に優先される乗入れ元口座である１円口座）から優先的に貯玉移行処理を実行するようにしても良い。
【０３０４】
また、乗入れ優先順位テーブルで定められた優先順位とは関係無く、貯玉移行処理の対象とする乗入れ元口座の優先順位を会員管理装置１５０で設定して、設定された優先順位をＣＵ３に送信して記憶させ、ＣＵ３及び会員管理装置１５０において、設定された優先順位に従って貯玉移行処理が実行されるようにしても良い。
【０３０５】
（３）上記の実施形態では、乗入れ操作領域３１２ｂに操作されている貯玉移行ボタンを操作することにより、貯玉移行処理が実行されて、該乗入れ操作領域３１２ｂに、貯玉移行ボタンに代えて、貯玉払出を実行させるときに操作する乗入れ払出ボタンが表示される例について説明した。即ち、貯玉移行ボタンの操作が乗入れ払出の意思確認操作を兼ねており、共通の操作によって、貯玉移行処理及び乗入れ払出の意思確認が実行される例について説明した。
【０３０６】
このような形態に限らず、乗入れ操作領域３１２ｂに表示された貯玉移行ボタンを操作することで、貯玉移行処理が実行され、貯玉移行処理の完了後に、遊技者の操作を要することなく続けて乗入れ払出が実行されるようにしても良い。上記の実施形態では、乗入れ操作領域３１２ｂに貯玉移行ボタンが表示される条件（貯玉移行処理を実行させる操作が可能となる条件）は、貯玉移行処理が実行されることによって乗入れ先口座及び乗入れ元口座の貯玉数に基づいて乗入れ払出が可能となる場合である。そのため、貯玉移行ボタンの操作に応じて、貯玉移行処理の完了後に自動的に乗入れ払出を実行するようにしても良い。
【０３０７】
このような構成とした場合には、貯玉移行処理を実行させる貯玉移行ボタンの操作が、乗入れ払出の意思確認操作及び乗入れ払出を実際に実行させる操作を兼ねており、共通の操作によって、貯玉移行処理及び乗入れ払出の意思確認、並びに乗入れ払出が実行される。これにより、乗入れ払出を実行させるための操作を簡素化することができる。
【０３０８】
なお、乗入れ払出の意思確認が、前述したような会員管理装置１５０で管理されている暗証番号と、ＣＵ３に入力された暗証番号との照合完了（暗証番号の一致）である場合には、照合完了によって、その後の遊技者の操作を要することなく自動的に貯玉移行処理が実行されるようにしても良く、照合完了によって、その後の遊技者の操作を要することなく自動的に貯玉移行処理及びその後の乗入れ払出が実行されるようにしても良い。
【０３０９】
（４）上記の実施形態では、貯玉移行処理が実行されることによって乗入れ先口座及び乗入れ元口座の貯玉数に基づいて乗入れ払出が実行可能となる場合にのみ、乗入れ操作領域３１２ｂに貯玉移行ボタンが表示され、貯玉移行処理を実行させる操作が可能（有効）となる例について説明した。これによれば、仮に貯玉移行処理を実行したとしても、貯玉移行処理後の乗入れ先口座及び乗入れ元口座の貯玉数に基づいて算出される乗入れ払出可能玉数が基本払出玉数未満となることにより、乗入れ払出が実行できないという事態を防止して、遊技者の無駄な操作を回避することができる。
【０３１０】
このような形態に限らず、仮に貯玉移行処理を実行したとしても、貯玉移行処理後の乗入れ先口座及び乗入れ元口座の貯玉数に基づいて算出される乗入れ払出可能玉数が基本払出玉数未満となる場合であっても、貯玉移行ボタンを表示して、貯玉移行ボタンの操作によって貯玉移行処理を実行可能としても良い。このような構成とした場合には、貯玉移行処理によって、乗入れ先口座及び乗入れ元口座の貯玉数に、対応する口座の持玉数の全部を移行させるようにすると良い。
【０３１１】
（５）上記の実施形態では、ＣＵ３が会員管理装置１５０と通信可能である場合にのみ、乗入れ払出が許容される例について説明したが、ＣＵ３が会員管理装置１５０と通信不能な状態であっても、制御ユニット３２８が記憶している各口座の貯玉数に基づいて乗入れ払出を実行可能としても良い。この場合には、乗入れ払出が実行されるときに、制御ユニット３２８側で記憶されている各口座の貯玉数が減算され、会員カードが排出されるときに、該会員カードに更新後（減算後）の各口座の貯玉数が記録されるようにすると良い。そして、会員管理装置１５０と通信可能なＣＵ３に会員カードが挿入されたときに、ＣＵ３が受け付けた会員カードから読み取られた会員番号及び各口座の貯玉数が会員管理装置１５０に対して送信され、会員管理装置１５０では、受信した会員番号に関連付けられている各口座の貯玉数を、受信した各口座の貯玉数に更新するようにすると良い。
【０３１２】
（６）上記の第１実施形態では、ＣＵ３における遊技媒体の計数処理や持玉払出が実行されたときに、持玉管理装置１４０で管理されている持玉数が更新されず、会員カードが返却されるときに持玉管理装置１４０で管理されている持玉数が更新される例について説明したが、このような形態に限らず、遊技媒体の計数処理や持玉払出により制御ユニット３２８に記憶される持玉数が更新されるときに、該ＣＵ３と持玉管理装置１４０との間で通信が行われ、ＣＵ３にて受付中のカードのカードＩＤに対応付けて持玉管理テーブルで管理されている持玉数が、当該ＣＵ３にて記憶されている持玉数に更新されるようにしても良い。
【０３１３】
（７）上記の第２実施形態では、ＣＵ３から会員カードが排出されるときに、該会員カードの会員番号及び制御ユニット３２８に記憶されていた各口座の計数玉数を含むカード排出通知を送信し、会員管理装置１５０では、受信したカード排出通知に含まれる会員番号に対応付けて管理している各口座の貯玉数に、該カード排出通知で指定される各口座の計数玉数を加算するようにしている（ただし、このとき実際に更新されるのはＣＵ３の基本単価に対応した口座の貯玉数のみとなる）。このような形態に限らず、会員管理装置１５０において、貯玉数と当日貯玉数を別に管理するようにしておき、営業終了時処理が実行されたとき又は景品交換用ＰＯＳ端末１７０に会員カードが挿入されたときに、各口座の貯玉数に、対応する口座の当日貯玉数を加算するようにしても良い。
【０３１４】
具体的には、ＣＵ３から会員カードが排出されるときに、該会員カードの会員番号及び制御ユニット３２８に記憶されていた各口座の計数玉数を含むカード排出通知を送信し、会員管理装置１５０では、受信したカード排出通知に含まれる会員番号に対応付けて管理している各口座の当日貯玉数に、該カード排出通知で指定される各口座の計数玉数を加算するようにする。そして、会員管理装置１５０では、営業終了時処理が実行されたとき又は景品交換用ＰＯＳ端末１７０に会員カードが挿入されたときに、会員番号毎に、各口座の当日貯玉数を、対応する口座の貯玉数に加算する。
【０３１５】
このような構成とした場合において、ＣＵ３に会員カードが挿入されると、ＣＵ３は、カードＲ／Ｗ３２７で受け付けた会員カードの会員番号に対応付けて会員管理装置１５０で管理されている各口座の当日貯玉数を取得する。ＣＵ３では、取得した当日貯玉数のうち、当該ＣＵ３の基本単価に対応した口座の当日貯玉数を減算して遊技媒体の付与を行う付与処理が可能である。
【０３１６】
そして、このような構成のＣＵ３において、乗入れ操作領域３１２ｂに表示された貯玉移行ボタンが操作されると、１以上の口座の当日貯玉数の一部又は全部が、対応する口座の貯玉数に移行される貯玉移行処理が実行される。このときの貯玉移行処理における当日貯玉数と貯玉数との関係は、第１実施形態における持玉数と貯玉数との関係と同様であり、例えば、図２１の例１〜例４の説明における持玉数を当日貯玉数と読み替えると良い。
【０３１７】
なお、このような当日貯玉数を管理する場合には、当日貯玉数と貯玉数とを同じコンピュータで管理せず、貯玉数は会員管理装置１５０で管理する一方、当日貯玉数は会員管理装置１５０と通信可能に接続され、双方向のデータ送信が可能な当日貯玉数管理コンピュータで管理するようにしても良い。
【０３１８】
（８）上記の第１実施形態では、いずれの口座（４円，２円，１円）の持玉数を貯玉移行処理の対象とするかについて、予め定められた優先順位に従って決定される例について説明したが、このような形態に限らず、いずれの口座の持玉数を貯玉移行処理の対象とするかを、ＣＵ３における遊技者の操作により選択可能としても良い。例えば、貯玉移行処理の対象として２円口座を選択することにより、４円口座、２円口座、及び１円口座のうち、２円口座の持玉数のみを、２円口座の貯玉数に加算させることが可能となる。
【０３１９】
（９）上記の実施形態では、貯玉移行処理の対象となる口座の持玉数あるいは計数玉数のうち、何玉を貯玉に移行させるかに関して、乗入れ払出可能玉数が基本払出玉数以上となるように自動的に設定される例について説明したが、このような形態に限らず、貯玉移行処理の対象となる口座の持玉数あるいは計数玉数のうち、何玉を移行させるかについて、遊技者の入力操作により設定可能としても良い。
【０３２０】
（１０）上記の実施形態では、遊技者の貯玉移行操作に基づいて、持玉数あるいは計数玉数の少なくとも一部が貯玉数に加算される例について説明したが、このような形態に限らず、遊技者の操作によらず持玉数あるいは計数玉数の少なくとも一部が貯玉数に自動的に加算されるようにしても良い。例えば、貯玉移行処理前の各口座の貯玉数に基づいて乗入れ払出を実行することはできないが、仮に貯玉移行処理を実行した場合には移行後の各口座の貯玉数に基づいて乗入れ払出を実行可能となる場合には、遊技者の操作によらず、各口座の持玉数あるいは計数玉数の少なくとも一部が貯玉数に自動的に加算されるようにしても良い。
【０３２１】
なお、このような構成とする場合には、（１）現在の乗入れ先口座の貯玉数と乗入れ元口座の貯玉数をＣＵ３の基本単価の玉数に換算した玉数との合算玉数が、既に乗入れ払出を実行可能な基本払出玉数に達しているとき、（２）上記合算玉数が基本払出玉数に達しておらず且つ各口座の持玉数あるいは計数玉数を対応する各口座の貯玉数に加算したとしても、該加算後の上記合算玉数が基本払出玉数に達しないときには、上記のような自動的な加算を実行せず、（３）上記合算玉数が基本払出玉数に達していないが各口座の持玉数あるいは計数玉数を対応する各口座の貯玉数に加算した場合に、該加算後の上記合算玉数が基本払出玉数に達するときには、上記のような自動的な加算を実行可能とすると良い。
【０３２２】
（１１）上記の第１実施形態では、ビジターカード又は会員カードがＣＵ３に挿入されたときに、ＣＵ３が持玉管理装置１４０及び会員管理装置１５０から各口座の持玉数及び貯玉数を取得すると共に、持玉管理装置１４０及び会員管理装置１５０においても各口座の持玉数及び貯玉数を継続して記憶する例について説明したが、このような形態に限らず、ＣＵ３が持玉管理装置１４０及び会員管理装置１５０から各口座の持玉数及び貯玉数を取得したことに基づいて、持玉管理装置１４０及び会員管理装置１５０において対応するカードＩＤ及び会員番号の各口座の持玉数及び貯玉数を０にクリアするようにしても良い。このような構成とする場合には、ビジターカード又は会員カードがＣＵ３から排出されるときに、ＣＵ３で記憶されていた各口座の持玉数及び貯玉数が持玉管理装置１４０及び会員管理装置１５０に送信され、持玉管理装置１４０及び会員管理装置１５０において受信した持玉数及び貯玉数を、対応するカードＩＤ及び会員番号の各口座の持玉数及び貯玉数として記憶するようにすると良い。
【０３２３】
（１２）上記の第２実施形態では、ビジターカード又は会員カードがＣＵ３に挿入されたときに、ＣＵ３が会員管理装置１５０から各口座の貯玉数を取得すると共に、会員管理装置１５０においても各口座の貯玉数を継続して記憶する例について説明したが、このような形態に限らず、ＣＵ３が会員管理装置１５０から各口座の貯玉数を取得したことに基づいて、会員管理装置１５０において対応するカードＩＤ及び会員番号の各口座の貯玉数を０にクリアするようにしても良い。このような構成とする場合には、ビジターカード又は会員カードがＣＵ３から排出されるときに、ＣＵ３で記憶されていた各口座の貯玉数（ただし、ＣＵ３の基本単価に対応した貯玉数については該貯玉数に計数玉数を合算した後の更新後の貯玉数）が会員管理装置１５０に送信され、会員管理装置１５０において受信した各口座の貯玉数を、対応するカードＩＤ及び会員番号の各口座の貯玉数として記憶するようにすると良い。
【０３２４】
（１３）上記の実施形態では、ＣＵ３にて貨幣が受け付けられる毎に、また、ＣＵ３でプリペイド払出が実行される毎に、制御ユニット３２８で記憶されているプリペイド残額が更新されると共に、ＣＵ３と残額管理装置１００との間で通信が実行され、残額管理装置１００で管理されているプリペイド残額も更新される例について説明したが、このような形態に限らず、ＣＵ３にて貨幣が受け付けられたとき、ＣＵ３でプリペイド払出が実行されたときには、制御ユニット３２８で記憶されているプリペイド残額が更新される一方で、ＣＵ３と残額管理装置１００との間では通信が実行されず、残額管理装置１００で管理されているプリペイド残額が更新されないようにしても良い。
【０３２５】
このような構成とする場合には、ＣＵ３からカードが返却されるときに、該カードのカードＩＤと制御ユニット３２８で記憶されているプリペイド残額とを含む情報が残額管理装置１００に送信され、残額管理装置１４０において、受信したカードＩＤに対応付けて管理しているプリペイド残額を、受信したプリペイド残額に更新するようにすると良い。
【０３２６】
（１４）上記の実施形態では、ＣＵ３にて貯玉払出や乗入れ払出が実行される毎に、制御ユニット３２８で記憶されている各口座の貯玉数が更新されると共に、ＣＵ３と会員管理装置１５０との間で通信が実行され、会員管理装置１５０で管理されている各口座（１以上の口座）の貯玉数も更新される例について説明したが、このような形態に限らず、ＣＵ３にて貯玉払出や乗入れ払出が実行されたときには、制御ユニット３２８で記憶されている各口座の貯玉数が更新される一方で、ＣＵ３と会員管理装置１５０との間では通信が実行されず、会員管理装置１５０で管理されている各口座の貯玉数は更新されないようにしても良い。
【０３２７】
このような構成とする場合には、ＣＵ３から会員カードが返却されるときに、該会員カードの会員番号と制御ユニット３２８で記憶されている各口座の貯玉数とを含む情報が会員管理装置１５０に送信され、会員管理装置１５０において、受信した会員番号に対応付けて管理している各口座の貯玉数を、受信した各口座の貯玉数に更新するようにすると良い。
【０３２８】
（１５）上記の実施形態では、カードＲ／Ｗ３２７からカードが返却されることに伴い、カード貯留部からカードＲ／Ｗ３２７の所定位置にビジターカードが供給される例について説明したが、このような形態に限らず、カードＲ／Ｗ３２７からカードが返却されるときには、カード貯留部からカードＲ／Ｗ３２７の所定位置にビジターカードを搬送しないようにしても良い。即ち、カードＲ／Ｗ３２７の所定位置にカードが存在しない状態で、貨幣受付及びプリペイド払出、並びに、計数処理及び持玉払出を実行可能としても良い。
【０３２９】
このような構成とした場合には、上記（１３）に示したように、貨幣受付及びプリペイド払出に基づいて制御ユニット３２８に記憶されているプリペイド残額が更新される一方で、ＣＵ３と残額管理装置１００との間では通信が実行されず残額管理装置１００で管理されているプリペイド残額は更新されない構成とすると良い。また、上記実施形態のように、計数処理及び持玉払出に基づいて制御ユニット３２８に記憶されている基本単価の持玉数が更新される一方で、ＣＵ３と持玉管理装置１４０との間では通信が実行されず持玉管理装置１４０で管理されている各口座の持玉数は更新されない構成とすると良い。
【０３３０】
そして、カードＲ／Ｗ３２７の所定位置にカードが存在しない状態で（カードＲ／Ｗ３２７にカードが受け付けられていない状態で）、返却ボタン２２が操作されると、カード貯留部からカードＲ／Ｗ３２７の所定位置にビジターカードを搬送し、該所定位置のビジターカードのカードＩＤと制御ユニット３２８で記憶しているプリペイド残額とを含む情報を残額管理装置１００に送信すると共に、該所定位置のビジターカードのカードＩＤと制御ユニット３２８で記憶している各口座の持玉数とを含むカード排出通知を持玉管理装置１４０に送信し、さらに、該所定位置のビジターカードに制御ユニット３２８で記憶しているプリペイド残額並びに各口座の持玉数及び日付を記録して返却すると良い。
【０３３１】
ＣＵ３から上記の情報を受信した残額管理装置１００では、受信したカードＩＤに対応付けて管理しているプリペイド残額を、受信したプリペイド残額に更新する。また、ＣＵ３から上記のカード排出通知を受信した持玉管理装置１４０では、受信したカードＩＤに対応付けて管理している各口座の持玉数を、受信した各口座の持玉数に更新する。
【符号の説明】
【０３３２】
１…遊技用システム
２…パチンコ機
３…カードユニット
１５０…会員管理装置
１５２…ＣＰＵ
１５５…記憶装置
３１２…表示部
３１４…透明タッチパネル
３２７…カードＲ／Ｗ
３２８…制御ユニット
３２９…表示制御基板
３３４…通信部
【図１】
0006568423.tif 000002
【図２】
0006568423.tif 000003
【図３】
0006568423.tif 000004
【図４】
0006568423.tif 000005
【図５】
0006568423.tif 000006
【図６】
0006568423.tif 000007
【図７】
0006568423.tif 000008
【図８】
0006568423.tif 000009
【図９】
0006568423.tif 000010
【図１０】
0006568423.tif 000011
【図１１】
0006568423.tif 000012
【図１２】
0006568423.tif 000013
【図１３】
0006568423.tif 000014
【図１４】
0006568423.tif 000015
【図１５】
0006568423.tif 000016
【図１６】
0006568423.tif 000017
【図１７】
0006568423.tif 000018
【図１８】
0006568423.tif 000019
【図１９】
0006568423.tif 000020
【図２０】
0006568423.tif 000021
【図２１】
0006568423.tif 000022
【図２２】
0006568423.tif 000023
【図２３】
0006568423.tif 000024
【図２４】
0006568423.tif 000025